(57)【特許請求の範囲】
【請求項１】
マルチ無線アクセス技術（ＲＡＴ）アクセス（ＭＲＡ）動作を実行するように構成された無線送信／受信ユニット（ＷＴＲＵ）であって、
第１のコアネットワークの第１の非アクセス層（ＮＡＳ）エンティティおよび第２のコアネットワークの第２のＮＡＳエンティティと通信するように構成されたＷＴＲＵ  ＮＡＳエンティティと、
を備え、
前記ＷＴＲＵは、どのセルがＭＲＡ動作をサポートするかを示す、前記ＷＴＲＵに記憶された情報に基づいて、第１のＲＡＴに対する第１のセルを選択するように構成され、
前記ＷＴＲＵは、
前記第１のＲＡＴを使用する第１の接続および第２のＲＡＴを使用する第２の接続を制御するように構成された第１の無線リソース制御（ＲＲＣ）エンティティをさらに備え、前記第１のＲＡＴは前記第１のコアネットワークに接続され、および前記第２のＲＡＴは前記第２のコアネットワークに接続される
ことを特徴とするＷＴＲＵ。
【請求項２】
前記第１のＲＡＴおよび前記第２のＲＡＴは、ロングタームエボリューション（ＬＴＥ）、（ＬＴＥ−Ａ）、ユニバーサル移動体通信システム（ＵＭＴＳ）、ＵＭＴＳ地上無線アクセス周波数分割複信（ＵＴＲＡ−ＦＤＤ）、広帯域チャネル分割多元接続（ＷＣＤＭＡ）、ＵＭＴＳ地上無線アクセス時分割複信（ＵＴＲＡ−ＴＤＤ）、ＵＭＴＳ地上無線アクセス時分割複信高チップレート（ＵＴＲＡ−ＴＤＤ  ＨＣＲ）、ＵＭＴＳ地上無線アクセス時分割複信低チップレート（ＵＴＲＡ−ＴＤＤ  ＬＣＲ）、高速パケットアクセス（ＨＳＰＡ）、高速ダウンリンクパケットアクセス（ＨＳＤＰＡ）、高速アップリンクパケットアクセス（ＨＳＵＰＡ）、移動体通信用グローバルシステム（ＧＳＭ）、ｅｎｈａｎｃｅｄ  ｄａｔａ  ｒａｔｅｓ  ｆｏｒ  ＧＳＭ  ｅｖｏｌｕｔｉｏｎ（ＥＤＧＥ）、８０２．１１ｂ、８０２．１１ａ、８０２．１１ｇ、８０２．１１ｎ、８０２．１６ａ、８０２．１６ｅ、８０２．２０、符号分割多元接続（ＣＤＭＡ）２０００  １ｘ、ＣＤＭＡ２０００、およびエボリューションデータオプティマイズド（ＥＶ−ＤＯ）のうちの異なるものであることを特徴とする請求項１に記載のＷＴＲＵ。
【請求項３】
前記ＷＴＲＵがアクセスポイント名（ＡＰＮ）への接続を要求すること、前記ＷＴＲＵが所定のサービス品質（ＱｏＳ）を要求すること、前記ＷＴＲＵが特定のインターネットプロトコル（ＩＰ）アドレスへの接続を要求すること、前記ＷＴＲＵが音声サービスを要求すること、前記ＷＴＲＵがデータサービスを要求すること、前記ＷＴＲＵがショートメッセージサービス（ＳＭＳ）サービスを要求することの、うちの１または複数によって、または、前記ＷＴＲＵが、過負荷状態、オペレータポリシートリガーに合致するイベント、もしくは加入者プロファイルに記憶されたインジケーション、のうちの１つの結果としての新しい確立理由を指定することによって、ＭＲＡ動作がトリガーされることを特徴とする請求項１に記載のＷＴＲＵ。
【請求項４】
前記ＮＡＳエンティティは、前記第１のＲＡＴを使用して前記第１のＮＡＳエンティティおよび前記第２のＮＡＳエンティティと通信して、モビリティ管理を実行するようにさらに構成されたことを特徴とする請求項１に記載のＷＴＲＵ。
【請求項５】
前記ＷＴＲＵは、前記第１のＲＡＴ上で前記第２のコアネットワークにおいてベアラを確立するようにさらに構成されたことを特徴とする請求項１に記載のＷＴＲＵ。
【請求項６】
前記ＷＴＲＵは、前記第１のコアネットワークから受信された信号に基づいて、前記第１のＲＡＴに対する第１のセルを選択するようにさらに構成され、前記信号は、ブロードキャスト信号または専用信号のうちの１つであり、および、前記信号は、ＭＲＡ動作をサポートする前記第１のコアネットワークのセルに関する情報を備えることを特徴とする請求項１に記載のＷＴＲＵ。
【請求項７】
無線送信／受信ユニット（ＷＴＲＵ）がマルチ無線アクセス技術（ＲＡＴ）アクセス（ＭＲＡ）動作を実行する方法であって、
どのセルがＭＲＡ動作をサポートするかを示す、前記ＷＴＲＵに記憶された情報に基づいて、ＭＲＡ動作をサポートする第１のＲＡＴの第１のセルを決定するステップと、
第１のコアネットワークの第１の非アクセス層（ＮＡＳ）エンティティおよび第２のコアネットワークの第２のＮＡＳエンティティと通信するように構成されたＷＴＲＵ  ＮＡＳエンティティを使用し、ならびに前記第１のＲＡＴを使用する第１の接続および第２のＲＡＴを使用する第２の接続を制御するように構成された第１の無線リソース制御（ＲＲＣ）エンティティを使用して、前記第１のセルを介して前記第１のコアネットワークの前記第１のＮＡＳエンティティにアタッチするステップであって、前記第１のＲＡＴは前記第１のコアネットワークに接続され、および、前記第２のＲＡＴは前記第２のコアネットワークに接続される、ステップと、
ＭＲＡ動作をサポートする第２のＲＡＴの第２のセルを決定するステップと、
前記ＷＴＲＵ  ＮＡＳエンティティおよび前記ＲＲＣエンティティを使用して、前記第２のセルを介して前記第２のＮＡＳエンティティにアタッチするステップと
を備えたことを特徴とする方法。
【請求項８】
前記ＷＴＲＵ  ＮＡＳエンティティは、前記第１のＲＡＴを使用して前記第１のＮＡＳエンティティおよび前記第２のＮＡＳエンティティと通信して、セッション管理を実行することを特徴とする請求項７に記載の方法。
【請求項９】
前記第１のＲＡＴおよび前記第２のＲＡＴは、ロングタームエボリューション（ＬＴＥ）、（ＬＴＥ−Ａ）、ユニバーサル移動体通信システム（ＵＭＴＳ）、ＵＭＴＳ地上無線アクセス周波数分割複信（ＵＴＲＡ−ＦＤＤ）、広帯域チャネル分割多元接続（ＷＣＤＭＡ）、ＵＭＴＳ地上無線アクセス時分割複信（ＵＴＲＡ−ＴＤＤ）、ＵＭＴＳ地上無線アクセス時分割複信高チップレート（ＵＴＲＡ−ＴＤＤ  ＨＣＲ）、ＵＭＴＳ地上無線アクセス時分割複信低チップレート（ＵＴＲＡ−ＴＤＤ  ＬＣＲ）、高速パケットアクセス（ＨＳＰＡ）、高速ダウンリンクパケットアクセス（ＨＳＤＰＡ）、高速アップリンクパケットアクセス（ＨＳＵＰＡ５）、移動体通信用グローバルシステム（ＧＳＭ）、ｅｎｈａｎｃｅｄ  ｄａｔａ  ｒａｔｅｓ  ｆｏｒ  ＧＳＭ  ｅｖｏｌｕｔｉｏｎ（ＥＤＧＥ）、８０２．１１ｂ、８０２．１１ａ、８０２．１１ｇ、８０２．１１ｎ、８０２．１６ａ、８０２．１６ｅ、８０２．２０、符号分割多元接続（ＣＤＭＡ）２０００  １ｘ、ＣＤＭＡ２０００、およびエボリューションデータオプティマイズド（ＥＶ−ＤＯ）のうちの異なるものであることを特徴とする請求項７に記載の方法。
【請求項１０】
前記ＷＴＲＵは、前記第１のＲＡＴ上で前記第２のコアネットワークにおいてベアラを確立することを特徴とする請求項８に記載の方法。
【請求項１１】
前記第１のＮＡＳエンティティにアタッチするステップおよび前記第２のＮＡＳエンティティにアタッチするステップは、同時に実行されることを特徴とする請求項７に記載の方法。
【発明の詳細な説明】
【技術分野】
【０００１】
本発明は、異なる無線アクセス技術に属するコンポーネントキャリアのリソースにアクセスするために移動局において非アクセス層の手順を使用するための方法および装置に関する。
【背景技術】
【０００２】
関連出願の相互参照
【０００３】
本出願は、２０１１年８月１９日に出願した米国特許仮出願第６１／５２５，４３２号明細書の利益を主張するものであり、この仮出願の内容は、参照により本明細書に組み込まれる。
【０００４】
無線システムにおける音声サービスとデータサービスとの両方に関する改善されたネットワークのカバレッジ、改善された容量、および増加する帯域幅の要求は、例えば、広帯域チャネル分割多元接続（ＷＣＤＭＡ（登録商標））およびロングタームエボリューション（ＬＴＥ）を含むいくつかの無線アクセス技術（ＲＡＴ）の継続的な開発につながった。ＷＣＤＭＡは、２つの高速ダウンリンクパケットアクセス（ＨＳＤＰＡ）のダウンリンクのコンポーネントキャリアの同時使用（２Ｃ−ＨＳＤＰＡ）をサポートする。ＬＴＥは、同じ送信間隔内で、ネットワークノード間、例えば、進化型ノード−Ｂ（ｅノードＢ）と無線送信／受信ユニット（ＷＴＲＵ）との間の複数のコンポーネントキャリアの無線リソースを使用する同時送信および／または受信をサポートする。
【０００５】
一部のオペレータは、ＬＴＥがデータ拡張オーバーレイ（ｄａｔａ  ｅｎｈａｎｃｅｍｅｎｔ  ｏｖｅｒｌａｙ）であるようにして、同じカバーエリアにＷＣＤＭＡ高速パケットアクセス（ＨＳＰＡ）とＬＴＥとの両方を展開する。ＬＴＥの展開は、既存のＷＣＤＭＡ／ＨＳＰＡの展開と同様のカバレッジを有し、（例えば、ＷＣＤＭＡ／ＨＳＰＡアクセスとＬＴＥアクセスとの両方をサポートする）マルチモードＷＴＲＵが、広く展開される。
【０００６】
多くのオペレータがＨＳＰＡサービスとＬＴＥサービスとの両方のサポートを提供することが予測されるが、スペクトルはコストのかかるリソースであり、すべての周波数帯域がすべてのオペレータに利用可能である訳ではない。キャリアアグリゲーションの場合は、概して、所与のオペレータに関して、ＲＡＴ毎に最高で２ないし３コンポーネントキャリアに制限される。加えて、ＬＴＥが展開されつつあるが、当分の間はレガシーの展開が維持され、そのことは、オペレータが、それらのＲＡＴのうちの１つで無線リソース、スペクトル、および容量の過少利用の期間を目の当たりにする状況をもたらす。
【０００７】
したがって、当技術分野において、ＷＴＲＵが異なるＲＡＴに応じて周波数のうちの少なくとも１つで動作する場合に、ＷＴＲＵが同時に複数の周波数で動作する必要がある。
【発明の概要】
【発明が解決しようとする課題】
【０００８】
本発明では、無線送信／受信ユニット（ＷＴＲＵ）がマルチ無線アクセス技術（ＲＡＴ）アクセス（ＭＲＡ）動作を実行するための方法および装置を提供する。
【課題を解決するための手段】
【０００９】
本明細書において説明されるのは、ＷＴＲＵが第１の無線アクセス技術（ＲＡＴ）に従って動作する少なくとも１つのセルの無線リソースおよび前記ＷＴＲＵが第２のＲＡＴに従って動作する少なくとも１つのセルの無線リソースを使用して、複数のＲＡＴ上で前記ＷＴＲＵがいかにして同時に動作するかに関連する方法である。本明細書において説明される方法は、この種の動作に限定なしに適用可能である。本明細書において説明される方法は、例として提供される実施形態の任意の組み合わせを含め、それらの任意の組み合わせで適用される可能性もある。
【００１０】
マルチ無線アクセス技術（ＲＡＴ）アクセス（ＭＲＡ）動作を実行するための無線送信／受信ユニット（ＷＴＲＵ）が、開示される。前記ＷＴＲＵは、第１のコアネットワークの第１の非アクセス層（ＮＡＳ）エンティティおよび第２のコアネットワークの第２のＮＡＳエンティティと通信するように構成されたＷＴＲＵのＮＡＳエンティティと、第１のＲＡＴを使用する第１の接続および第２のＲＡＴを使用する第２の接続を制御するように構成された無線リソース制御（ＲＲＣ）エンティティとを含み、前記第１のＲＡＴは前記第１のコアネットワークに接続され、前記第２のＲＡＴは前記第２のコアネットワークに接続される。
【００１１】
マルチ無線アクセス技術（ＲＡＴ）アクセス（ＭＲＡ）動作を実行するための無線送信／受信ユニット（ＷＴＲＵ）が、開示される。前記ＷＴＲＵは、第１のコアネットワークの第１の非アクセス層（ＮＡＳ）エンティティおよび第２のコアネットワークの第２のＮＡＳエンティティと通信するように構成されたＷＴＲＵのＮＡＳエンティティと、第１のＲＡＴを使用する第１の接続を制御するように構成された第１の無線リソース制御（ＲＲＣ）エンティティと、第２のＲＡＴを使用する第２の接続を制御するように構成された第２のＲＲＣエンティティとを含み、前記第１のＲＡＴは前記第１のコアネットワークに接続され、前記第２のＲＡＴは前記第２のコアネットワークに接続される。
【００１２】
マルチ無線アクセス技術（ＲＡＴ）アクセス（ＭＲＡ）動作を実行するための無線送信／受信ユニット（ＷＴＲＵ）が、開示される。前記ＷＴＲＵは、第１のコアネットワークの第１の非アクセス層（ＮＡＳ）エンティティと通信するように構成された第１のＷＴＲＵのＮＡＳエンティティと、第２のコアネットワークの第２のＮＡＳエンティティと通信するように構成された第２のＷＴＲＵのＮＡＳエンティティと、第１のＲＡＴを使用する第１の接続および第２のＲＡＴを使用する第２の接続を制御するように構成された無線リソース制御（ＲＲＣ）エンティティとを含み、前記第１のＲＡＴは前記第１のコアネットワークに接続され、前記第２のＲＡＴは前記第２のコアネットワークに接続される。
【００１３】
マルチ無線アクセス技術（ＲＡＴ）アクセス（ＭＲＡ）動作を実行するための無線送信／受信ユニット（ＷＴＲＵ）が、開示される。前記ＷＴＲＵは、第１のコアネットワークの第１の非アクセス層（ＮＡＳ）エンティティと通信するように構成された第１のＷＴＲＵのＮＡＳエンティティと、第２のコアネットワークの第２のＮＡＳエンティティと通信するように構成された第２のＷＴＲＵのＮＡＳエンティティと、第１のＲＡＴを使用する第１の接続を制御するように構成された無線リソース制御（ＲＲＣ）エンティティと、第２のＲＡＴを使用する第２の接続を制御するように構成された第２のＲＲＣエンティティとを含み、前記第１のＲＡＴは前記第１のコアネットワークに接続され、前記第２のＲＡＴは前記第２のコアネットワークに接続される。
【００１４】
無線送信／受信ユニット（ＷＴＲＵ）がマルチ無線アクセス技術（ＲＡＴ）アクセス（ＭＲＡ）動作を実行する方法が、開示される。前記方法は、ＭＲＡ動作をサポートする第１のＲＡＴの第１のセルを決定するステップと、第１のコアネットワークの第１の非アクセス層（ＮＡＳ）エンティティおよび第２のコアネットワークの第２のＮＡＳエンティティと通信するように構成されたＷＴＲＵのＮＡＳエンティティを使用し、および前記第１のＲＡＴを使用する第１の接続および第２のＲＡＴを使用する第２の接続を制御するように構成された無線リソース制御（ＲＲＣ）エンティティを使用して、前記第１のセルを介して前記第１のコアネットワークの前記第１のＮＡＳエンティティにアタッチするステップであって、前記第１のＲＡＴは前記第１のコアネットワークに接続され、前記第２のＲＡＴは前記第２のコアネットワークに接続される、該アタッチするステップと、ＭＲＡ動作をサポートする前記第２のＲＡＴの第２のセルを決定するステップと、前記ＷＲＴＵのＮＡＳエンティティおよび前記ＲＲＣエンティティを使用して前記第２のＮＡＳエンティティにアタッチするステップとを含む。
【００１５】
無線送信／受信ユニット（ＷＴＲＵ）がマルチ無線アクセス技術（ＲＡＴ）アクセス（ＭＲＡ）動作を実行する方法が、開示される。前記方法は、ＭＲＡ動作をサポートする第１のＲＡＴの第１のセルを決定するステップと、第１のコアネットワークの第１の非アクセス層（ＮＡＳ）エンティティおよび第２のコアネットワークの第２のＮＡＳエンティティと通信するように構成されたＷＴＲＵのＮＡＳエンティティを使用しおよび前記第１のＲＡＴを使用する第１の接続を制御するように構成された第１の無線リソース制御（ＲＲＣ）エンティティを使用して、前記第１のセルを介して前記第１のコアネットワークの前記第１のＮＡＳエンティティにアタッチするステップであって、前記第１のＲＡＴは前記第１のコアネットワークに接続される、該アタッチするステップと、ＭＲＡ動作をサポートする第２のＲＡＴの第２のセルを決定するステップと、前記ＷＲＴＵのＮＡＳエンティティおよび前記第２のＲＡＴを使用する第２の接続を制御するように構成された第２のＲＲＣエンティティを使用して、前記第２のセルを介して前記第２のＮＡＳエンティティにアタッチするステップであって、前記第２のＲＡＴは前記第２のコアネットワークに接続される、該アタッチするステップとを含む。
【００１６】
無線送信／受信ユニット（ＷＴＲＵ）がマルチ無線アクセス技術（ＲＡＴ）アクセス（ＭＲＡ）動作を実行する方法が、開示される。前記方法は、ＭＲＡ動作をサポートする第１のＲＡＴの第１のセルを決定するステップと、第１のコアネットワークの第１の非アクセス層（ＮＡＳ）エンティティと通信するように構成された第１のＷＴＲＵのＮＡＳエンティティを使用しおよび前記第１のＲＡＴを使用する第１の接続および第２のＲＡＴを使用する第２の接続を制御するように構成された無線リソース制御（ＲＲＣ）エンティティを使用して、前記第１のセルを介して第１のコアネットワークの第１のＮＡＳエンティティにアタッチするステップであって、前記第１のＲＡＴは前記第１のコアネットワークに接続され、前記第２のＲＡＴは前記第２のコアネットワークに接続される、該アタッチするステップと、ＭＲＡ動作をサポートする前記第２のＲＡＴの第２のセルを決定するステップと、前記第２のコアネットワークの前記第２のＮＡＳエンティティおよび前記ＲＲＣエンティティと通信するように構成された第２のＷＴＲＵのＮＡＳエンティティを使用して、前記第２のセルを介して前記第２のＮＡＳエンティティにアタッチするステップとを含む。
【００１７】
無線送信／受信ユニット（ＷＴＲＵ）がマルチ無線アクセス技術（ＲＡＴ）アクセス（ＭＲＡ）動作を実行する方法が、開示される。前記方法は、ＭＲＡ動作をサポートする第１のＲＡＴの第１のセルを決定するステップと、第１のコアネットワークの第１の非アクセス層（ＮＡＳ）エンティティと通信するように構成された第１のＷＴＲＵのＮＡＳエンティティを使用しおよび前記第１のＲＡＴを使用する第１の接続を制御するように構成された第１の無線リソース制御（ＲＲＣ）エンティティを使用して前記第１のセルを介して第１のＮＡＳエンティティにアタッチするステップであって、前記第１のＲＡＴは前記第１のコアネットワークに接続される、該アタッチするステップと、ＭＲＡ動作をサポートする第２のＲＡＴの第２のセルを決定するステップと、第２のＷＲＴＵのＮＡＳエンティティおよび前記第２のＲＡＴを使用する第２の接続を制御するように構成された第２のＲＲＣエンティティを使用して、前記第２のセルを介して第２のＮＡＳエンティティにアタッチするステップであって、前記第２のＲＡＴは前記第２のコアネットワークに接続される、該アタッチするステップとを含む。
【図面の簡単な説明】
【００１８】
より深い理解が、添付の図面と併せて例として与えられる以下の説明から得られる。
【図１Ａ】１または複数の開示される実施形態が実装される例示的な通信システムを示す図である。
【図１Ｂ】図１Ａに示された通信システム１００内で使用される例示的なＷＴＲＵを示す図である。
【図１Ｃ】一実施形態によるＲＡＮおよびコアネットワーク１０６のシステム図である。
【図１Ｄ】図１Ａに示された通信システム内で使用される別の例示的なＲＡＮおよび別の例示的なＣＮ１０６を示す図である。
【図２Ａ】２つの異なるＲＡＮ２０４ａおよび２０４ｂと通信するＷＲＴＵを、互いに通信するように構成された２つのコアネットワーク２０６ａおよび２０６ｂとともに示す図である。
【図２Ｂ】２つの異なる基地局と通信するＷＲＴＵを、互いに通信するように構成された２つのＲＡＮとともに示す図である。
【図３Ａ】ＷＴＲＵの例に従うＭＲＡ動作を容易化するための、図３Ｂ〜図３Ｉと異なるネットワークアーキテクチャを概略的に示す図である。
【図３Ｂ】ＷＴＲＵの例に従うＭＲＡ動作を容易化するための、図３Ａ、図３Ｃ〜図３Ｉと異なるネットワークアーキテクチャを概略的に示す図である。
【図３Ｃ】ＷＴＲＵの例に従うＭＲＡ動作を容易化するための、図３Ａ、図３Ｂ、図３Ｄ〜図３Ｉと異なるネットワークアーキテクチャを概略的に示す図である。
【図３Ｄ】ＷＴＲＵの例に従うＭＲＡ動作を容易化するための、図３Ａ〜図３Ｃ、図３Ｅ〜図３Ｉと異なるネットワークアーキテクチャを概略的に示す図である。
【図３Ｅ】ＷＴＲＵの例に従うＭＲＡ動作を容易化するための、図３Ａ〜図３Ｄ、図３Ｆ〜図３Ｉと異なるネットワークアーキテクチャを概略的に示す図である。
【図３Ｆ】ＷＴＲＵの例に従うＭＲＡ動作を容易化するための、図３Ａ〜図３Ｅ、図３Ｇ〜図３Ｉと異なるネットワークアーキテクチャを概略的に示す図である。
【図３Ｇ】ＷＴＲＵの例に従うＭＲＡ動作を容易化するための、図３Ａ〜図３Ｆ、図３Ｈ〜図３Ｉと異なるネットワークアーキテクチャを概略的に示す図である。
【図３Ｈ】ＷＴＲＵの例に従うＭＲＡ動作を容易化するための、図３Ａ〜図３Ｇ、図３Ｉと異なるネットワークアーキテクチャを概略的に示す図である。
【図３Ｉ】ＷＴＲＵの例に従うＭＲＡ動作を容易化するための、図３Ａ〜図３Ｈと異なるネットワークアーキテクチャを概略的に示す図である。
【図４】無線プロトコル、非アクセス層（ＮＡＳ）プロトコル、およびアクセス層（ＡＳ）プロトコルを概略的に示す図である。
【図５Ａ】異なる数のＮＡＳエンティティおよび異なる数のＲＲＣエンティティを有するＭＲＡ  ＷＴＲＵの一例を概略的に示す図である。
【図５Ｂ】異なる数のＮＡＳエンティティおよび異なる数のＲＲＣエンティティを有するＭＲＡ  ＷＴＲＵの別の例を概略的に示す図である。
【図５Ｃ】異なる数のＮＡＳエンティティおよび異なる数のＲＲＣエンティティを有するＭＲＡ  ＷＴＲＵのさらに別の例を概略的に示す図である。
【図５Ｄ】異なる数のＮＡＳエンティティおよび異なる数のＲＲＣエンティティを有するＭＲＡ  ＷＴＲＵのさらに別の例を概略的に示す図である。
【図６】ＭＲＡ動作のためにどのセルにアクセスすべきかを決定することに関してＭＲＡ  ＷＴＲＵを概略的に示す図である。
【図７】ＭＲＡ動作を開始するためのネットワークからのメッセージを受信するＷＴＲＵを概略的に示す図である。
【図８】ｅＵＴＲＡ（ＬＴＥ／ＥＰＳ）ＲＡＴからの例示的な複合アタッチ（ｃｏｍｂｉｎｅｄ  ａｔｔａｃｈ）手順のフロー図である。
【図９】ＰＤＰコンテキストがＧＰＲＳ／ＵＭＴＳドメインおよびＥＰＳドメインでＷＴＲＵのために生成されるｅＵＴＲＡ（ＬＴＥ／ＥＰＳ）ＲＡＴからの複合アタッチ方法の別の例のフロー図の概略図である。
【図１０】ＰＤＰコンテキストがＥＰＳドメインでアクティブ化されるが、ＧＰＲＳ／ＵＭＴＳドメインではアクティブ化されないＵＴＲＡ（ＧＰＲＳ／ＵＭＴＳ／ＨＳＰＡ）ＲＡＴからの複合アタッチ手順の例のフロー図の概略図である。
【図１１】ＥＰＳドメインでアクティブ化されるＰＤＰコンテキストに加えて、ＰＤＰコンテキストがＧＰＲＳ／ＵＭＴＳ／ＨＳＰＡドメインでアクティブ化されるＵＴＲＡ（ＧＰＲＳ／ＵＭＴＳ／ＨＳＰＡ）ＲＡＴからの複合アタッチ手順の別の例のフロー図の概略図である。
【図１２】逐次動作のための例示的なＲＡＴに固有のアタッチ手順のフロー図の概略図である。
【図１３】例示的なＲＡＴに固有の同時アタッチ方法のフロー図の概略図である。
【図１４】ｅＵＴＲＡ（ＬＴＥ／ＥＰＳ）ＲＡＴからの、例示的なＷＴＲＵにより開始される複合デタッチ（ｃｏｍｂｉｎｅｄ  ｄｅｔａｃｈ）方法のフロー図の概略図である。
【図１５】ＵＴＲＡ（ＧＰＲＳ／ＵＭＴＳ／ＨＳＰＡ）ＲＡＴからの、例示的なＷＴＲＵにより開始される複合デタッチ方法のフロー図の概略図である。
【図１６】例示的なモビリティ管理エンティティ（ＭＭＥ）により開始される複合デタッチ方法のフロー図の概略図である。
【図１７】例示的なサービング汎用パケット無線サービス（ＧＰＲＳ）サポートノード（ＳＧＳＮ）により開始される複合デタッチ方法のフロー図の概略図である。
【図１８】例示的なホームロケーションレジスタ（ＨＬＲ）により開始される複合デタッチ方法のフロー図である。
【図１９】３ＧＰＰネットワークと非３ＧＰＰネットワークとの両方へのＷＴＲＵのアタッチをもたらす、ＵＴＲＡ（ＧＰＲＳ／ＵＭＴＳ／ＨＳＰＡ）ＲＡＴかまたはＥＵＴＲＡ（ＥＰＳ／ＬＴＥ）ＲＡＴかのどちらかからの複合アタッチ要求方法の例のフロー図の概略図である。
【図２０】３ＧＰＰネットワークと非３ＧＰＰネットワークとの両方へのＷＴＲＵのアタッチをもたらす、非３ＧＰＰ  ＲＡＴからの複合アタッチ要求方法の例のフロー図の概略図である。
【図２１】３ＧＰＰネットワークと非３ＧＰＰネットワークとの両方へのＷＴＲＵのアタッチをもたらす複合アタッチ方法の別の例のフロー図の概略図である。
【図２２Ａ】セッション管理を実行するための図２２Ｂと異なる方法を概略的に示す図である。
【図２２Ｂ】セッション管理を実行するための図２２Ａと異なる方法を概略的に示す図である。
【図２３】２つの新しい情報要素（ＩＥ）を導入する複合アタッチ手順のためのＥＰＳアタッチタイプ情報要素（ＩＥ）を示す表の例を概略的に示す図である。
【図２４】複合デタッチ手順のためのＥＰＳアタッチタイプ情報要素（ＩＥ）を示す表の例を示す図である。
【図２５】図２４に示された修正されたＥＰＳアタッチ受諾メッセージで導入されたＧＰＲＳ／ＵＭＴＳアタッチステータス情報要素（ＩＥ）を示す表の例を概略的に示す図である。
【図２６】修正されたＥＰＳアタッチ受諾メッセージの内容の別の例を示す表の例を概略的に示す図である。
【図２７】図２６に示された修正されたＥＰＳアタッチ受諾メッセージの例としてＧＰＲＳ／ＵＭＴＳ  ＰＤＰコンテキストメッセージの内容の例を概略的に示す図である。
【図２８】ＧＰＲＳ／ＵＭＴＳアタッチ受諾メッセージの内容の例示的な表を概略的に示す図である。
【図２９】複合デタッチ手順のためのＥＰＳデタッチ要求メッセージで使用されるデタッチタイプＩＥに関する情報要素（ＩＥ）の修正された表の例を概略的に示す図である。
【図３０】複合アタッチのためのＧＰＲＳ／ＵＭＴＳアタッチ要求メッセージで使用されるＧＰＲＳ／ＵＭＴＳアタッチタイプＩＥの表の例を概略的に示す図である。
【図３１】複合アタッチ手順のためのＧＰＲＳ／ＵＭＴＳアタッチ受諾メッセージの内容の修正された表の例を概略的に示す図である。
【図３２】ＥＰＳアタッチ受諾メッセージの内容に関する例示的な表を概略的に示す図である。
【図３３】複合アタッチ手順のためのＧＰＲＳ／ＵＭＴＳアタッチ受諾メッセージの内容の修正された表の例を概略的に示す図である。
【図３４】ＧＰＴＳ／ＵＭＴＳ  ＰＤＰコンテキストアクティブ化受諾メッセージの内容に関する例示的な表を概略的に示す図である。
【図３５】ＥＰＳアタッチ済み受諾メッセージに関する別の例示的な表を概略的に示す図である。
【図３６】複合デタッチのための情報要素のＧＰＲＳ／ＵＭＴＳデタッチタイプに関する表の例を概略的に示す図である。
【発明を実施するための形態】
【００１９】
図１Ａは、１または複数の開示される実施形態が実装される例示的な通信システム１００を示す。通信システム１００は、複数の無線ユーザに音声、データ、映像、メッセージ、放送などのコンテンツを提供する多元接続システムである。通信システム１００は、無線帯域幅を含むシステムリソースの共有を通じて複数の無線ユーザがそのようなコンテンツにアクセスすることを可能にする。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）などの１または複数のチャネルアクセス方法を使用する。
【００２０】
図１Ａに示されるように、通信システム１００は、ＷＴＲＵ１０２ａ、１０２ｂ、１０２ｃ、１０２ｄ、無線アクセスネットワーク（ＲＡＮ）１０４、コアネットワーク（ＣＮ）１０６、公衆交換電話網（ＰＳＴＮ）１０８、インターネット１１０、およびその他のネットワーク１１２を含むが、開示される実施形態は、任意の数のＷＴＲＵ、基地局、ネットワーク、および／またはネットワーク要素を考慮することが理解されるであろう。ＷＴＲＵ１０２ａ、１０２ｂ、１０２ｃ、１０２ｄのそれぞれは、無線環境内で動作および／または通信するように構成された任意のタイプのデバイスである。例として、ＷＴＲＵ１０２ａ、１０２ｂ、１０２ｃ、１０２ｄは、無線信号を送信および／または受信するように構成され、ユーザ機器（ＵＥ）、移動局、固定または移動加入者ユニット、ページャ、セルラ電話、携帯情報端末（ＰＤＡ）、スマートフォン、ラップトップ、ノートブック、パーソナルコンピュータ、無線センサー、家庭用電化製品などを含む。
【００２１】
通信システム１００は、基地局１１４ａおよび基地局１１４ｂも含む。基地局１１４ａ、１１４ｂのそれぞれは、ＣＮ１０６、インターネット１１０、および／またはその他のネットワーク１１２などの１または複数の通信ネットワークへのアクセスを容易化するために、ＷＴＲＵ１０２ａ、１０２ｂ、１０２ｃ、１０２ｄのうちの少なくとも１つと無線でインターフェースをとるように構成された任意のタイプのデバイスである。例として、基地局１１４ａ、１１４ｂは、無線基地局（ＢＴＳ）、ノード−Ｂ、進化型ノード−Ｂ（ｅＮＢ）、ホームノード−Ｂ（ＨＮＢ）、ホームｅＮＢ（ＨｅＮＢ）、サイトコントローラ、アクセスポイント（ＡＰ）、無線ルータなどである。基地局１１４ａ、１１４ｂはそれぞれ単一の要素として示されているが、基地局１１４ａ、１１４ｂは、任意の数の相互に接続された基地局および／またはネットワーク要素を含むことが理解されるであろう。
【００２２】
基地局１１４ａは、ＲＡＮ１０４の一部であり、ＲＡＮ１０４は、その他の基地局、および／または基地局コントローラ（ＢＳＣ）、無線ネットワークコントローラ（ＲＮＣ）、中継ノードなどのネットワーク要素（図示せず）も含む。基地局１１４ａおよび／または基地局１１４ｂは、セルと呼ばれる特定の地理的領域（図示せず）内で無線信号を送信および／または受信するように構成される。セルは、セルのセクタにさらに分割される。例えば、基地局１１４ａに関連するセルは、３つのセクタに分割される。したがって、一実施形態において、基地局１１４ａは、３つのトランシーバ、すなわち、セルの各セクタに対して１つずつトランシーバを含む。別の実施形態において、基地局１１４ａは、多入力多出力（ＭＩＭＯ）技術を使用し、したがって、セルの各セクタに対して複数のトランシーバを利用する。
【００２３】
基地局１１４ａ、１１４ｂは、任意の好適な無線通信リンク（例えば、無線周波数（ＲＦ）、マイクロ波、赤外線（ＩＲ）、紫外線（ＵＶ）、可視光など）であるエアーインターフェース１１６上でＷＴＲＵ１０２ａ、１０２ｂ、１０２ｃ、１０２ｄのうちの１または複数と通信する。エアーインターフェース１１６は、任意の好適な無線アクセス技術（ＲＡＴ）を用いて確立される。
【００２４】
より詳細には、上述のように、通信システム１００は、多元接続システムであり、ＣＤＭＡ、ＴＤＭＡ、ＦＤＭＡ、ＯＦＤＭＡ、ＳＣ−ＦＤＭＡなどの１または複数のチャネルアクセス方式を使用する。例えば、ＲＡＮ１０４内の基地局１１４ａ、およびＷＴＲＵ１０２ａ、１０２ｂ、１０２ｃは、広帯域ＣＤＭＡ（ＷＣＤＭＡ）を用いてエアーインターフェース１１６を確立するユニバーサル移動体通信システム（ＵＭＴＳ）地上無線アクセス（ＵＴＲＡ）などの無線技術を実装する。ＷＣＤＭＡは、高速パケットアクセス（ＨＳＰＡ）および／または進化型ＨＳＰＡ（ＨＳＰＡ＋）などの通信プロトコルを含む。ＨＳＰＡは、高速ダウンリンク（ＤＬ）パケットアクセス（ＨＳＤＰＡ）および／または高速アップリンク（ＵＬ）パケットアクセス（ＨＳＵＰＡ）を含む。
【００２５】
別の実施形態において、基地局１１４ａおよびＷＴＲＵ１０２ａ、１０２ｂ、１０２ｃは、ロングタームエボリューション（ＬＴＥ）および／またはＬＴＥアドバンスト（ＬＴＥ−Ａ）を用いてエアーインターフェース１１６を確立する進化型ＵＴＲＡ（Ｅ−ＵＴＲＡ）などの無線技術を実装する。
【００２６】
その他の実施形態において、基地局１１４ａおよびＷＴＲＵ１０２ａ、１０２ｂ、１０２ｃは、ＩＥＥＥ８０２．１６（すなわち、マイクロ波アクセスのための世界的相互運用性（ＷｉＭＡＸ：ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ））、ＣＤＭＡ２０００、ＣＤＭＡ２０００  １Ｘ、ＣＤＭＡ２０００エボリューション−データ最適化（ＥＶ−ＤＯ：ｅｖｏｌｕｔｉｏｎ−ｄａｔａ  ｏｐｔｉｍｉｚｅｄ）、暫定標準２０００（ＩＳ−２０００）、暫定標準９５（ＩＳ−９５）、暫定標準８５６（ＩＳ−８５６）、移動体通信用グローバルシステム（ＧＳＭ（登録商標））、ＧＳＭの進化のための拡張データレート（ＥＤＧＥ：ｅｎｈａｎｃｅｄ  ｄａｔａ  ｒａｔｅｓ  ｆｏｒ  ＧＳＭ  ｅｖｏｌｕｔｉｏｎ）、ＧＳＭ／ＥＤＧＥ  ＲＡＮ（ＧＥＲＡＮ）などの無線技術を実装する。
【００２７】
図１Ａの基地局１１４ｂは、例えば、無線ルータ、ＨＮＢ、ＨｅＮＢ、またはＡＰであり、事業所、家庭、車両、キャンパスなどの局所的な地域で無線接続を容易化するための任意の好適なＲＡＴを利用する。一実施形態において、基地局１１４ｂおよびＷＴＲＵ１０２ｃ、１０２ｄは、無線ローカルエリアネットワーク（ＷＬＡＮ）を確立するためのＩＥＥＥ８０２．１１などの無線技術を実装する。別の実施形態において、基地局１１４ｂおよびＷＴＲＵ１０２ｃ、１０２ｄは、無線パーソナルエリアネットワーク（ＷＰＡＮ）を確立するためのＩＥＥＥ８０２．１５などの無線技術を実装する。さらに別の実施形態において、基地局１１４ｂおよびＷＴＲＵ１０２ｃ、１０２ｄは、セルラに基づくＲＡＴ（例えば、ＷＣＤＭＡ、ＣＤＭＡ２０００、ＧＳＭ、ＬＴＥ、ＬＴＥ−Ａなど）を利用してピコセルまたはフェムトセルを確立する。図１Ａに示されるように、基地局１１４ｂは、インターネット１１０への直接的な接続を有する。したがって、基地局１１４ｂは、ＣＮ１０６を介してインターネット１１０にアクセスするように要求されない。
【００２８】
ＲＡＮ１０４は、ＣＮ１０６と通信し、ＣＮ１０６は、ＷＴＲＵ１０２ａ、１０２ｂ、１０２ｃ、１０２ｄのうちの１または複数に音声、データ、アプリケーション、および／またはボイスオーバーインターネットプロトコル（ＶｏＩＰ）サービスを提供するように構成された任意のタイプのネットワークである。例えば、ＣＮ１０６は、呼制御、課金サービス、モバイルの位置に基づくサービス、プリペイド電話、インターネット接続、映像配信などを提供し、および／またはユーザ認証などの高レベルのセキュリティ機能を実行する。図１Ａには示されていないが、ＲＡＮ１０４および／またはＣＮ１０６は、ＲＡＮ１０４と同じＲＡＴ、または異なるＲＡＴを使用するその他のＲＡＮと直接的または間接的に通信することが理解されるであろう。例えば、Ｅ−ＵＴＲＡ無線技術を利用しているＲＡＮ１０４に接続されることに加えて、ＣＮ１０６は、ＧＳＭ無線技術を使用する別のＲＡＮ（図示せず）とも通信する。
【００２９】
ＣＮ１０６は、ＷＴＲＵ１０２ａ、１０２ｂ、１０２ｃ、１０２ｄがＰＳＴＮ１０８、インターネット１１０、および／またはその他のネットワーク１１２にアクセスするためのゲートウェイとしても働く。ＰＳＴＮ１０８は、一般電話サービス（ＰＯＴＳ：ｐｌａｉｎ  ｏｌｄ  ｔｅｌｅｐｈｏｎｅ  ｓｅｒｖｉｃｅ）を提供する回線交換電話ネットワークを含む。インターネット１１０は、ＴＣＰ／ＩＰスイートの伝送制御プロトコル（ＴＣＰ）、ユーザデータグラムプロトコル（ＵＤＰ）、およびインターネットプロトコル（ＩＰ）などの共通の通信プロトコルを使用する相互に接続されたコンピュータネットワークおよびデバイスの全世界的なシステムを含む。ネットワーク１１２は、その他のサービスプロバイダによって所有および／または運用される有線または無線通信ネットワークを含む。例えば、ネットワーク１１２は、ＲＡＮ１０４と同じＲＡＴ、または異なるＲＡＴを使用する１または複数のＲＡＮに接続された別のＣＮを含む。
【００３０】
通信システム１００のＷＴＲＵ１０２ａ、１０２ｂ、１０２ｃ、１０２ｄの一部またはすべては、マルチモード機能を含み、すなわち、ＷＴＲＵ１０２ａ、１０２ｂ、１０２ｃ、１０２ｄは、異なる無線リンク上で異なる無線ネットワークと通信するための複数のトランシーバを含む。例えば、図１Ａに示されたＷＴＲＵ１０２ｃは、セルラに基づく無線技術を使用する基地局１１４ａおよびＩＥＥＥ８０２無線技術を使用する基地局１１４ｂと通信するように構成される。
【００３１】
図１Ｂは、図１Ａに示された通信システム１００内で使用される例示的なＷＴＲＵ１０２を示す。図１Ｂに示されるように、ＷＴＲＵ１０２は、プロセッサ１１８、トランシーバ１２０、送信／受信要素（例えば、アンテナ）１２２、スピーカー／マイクロホン１２４、キーパッド１２６、ディスプレイ／タッチパッド１２８、取り外し不可能なメモリ１３０、取り外し可能なメモリ１３２、電源１３４、全地球測位システム（ＧＰＳ）チップセット１３６、および周辺機器１３８を含む。ＷＴＲＵ１０２は、実施形態に準拠したまま、上述の要素の一部の組み合わせを含むことが理解されるであろう。
【００３２】
プロセッサ１１８は、汎用プロセッサ、専用プロセッサ、通常のプロセッサ、デジタル信号プロセッサ（ＤＳＰ）、マイクロプロセッサ、ＤＳＰコアと関連する１または複数のマイクロプロセッサ、コントローラ、マイクロコントローラ、特定用途向け集積回路（ＡＳＩＣ）、フィールドプログラマブルゲートアレイ（ＦＰＧＡ）回路、集積回路（ＩＣ）、状態機械などである。プロセッサ１１８は、信号の符号化、データ処理、電力制御、入力／出力処理、および／またはＷＴＲＵ１０２が無線環境内で動作することを可能にする任意のその他の機能を実行する。プロセッサ１１８は、トランシーバ１２０に結合され、トランシーバ１２０は、送信／受信要素１２２に結合される。図１Ｂはプロセッサ１１８およびトランシーバ１２０を別個のコンポーネントとして示すが、プロセッサ１１８およびトランシーバ１２０は、電子的なパッケージまたはチップに一緒に統合される。
【００３３】
送信／受信要素１２２は、無線インターフェース１１６上で基地局（例えば、基地局１１４ａ）に信号を送信するか、または基地局（例えば、基地局１１４ａ）から信号を受信するように構成される。例えば、一実施形態において、送信／受信要素１２２は、ＲＦ信号を送信および／または受信するように構成されたアンテナである。別の実施形態において、送信／受信要素１２２は、例えば、ＩＲ、ＵＶ、または可視光信号を送信および／または受信するように構成されたエミッタ／ディテクタである。さらに別の実施形態において、送信／受信要素１２２は、ＲＦ信号と光信号との両方を送信および受信するように構成される。送信／受信要素１２２は、無線信号の任意の組み合わせを送信および／または受信するように構成される。
【００３４】
加えて、送信／受信要素１２２は、図１Ｂにおいて単一の要素として示されているが、ＷＴＲＵ１０２は、任意の数の送信／受信要素１２２を含む。例えば、ＷＴＲＵ１０２は、ＭＩＭＯ技術を使用する。したがって、一実施形態において、ＷＴＲＵ１０２は、エアーインターフェース１１６上で無線信号を送信および受信するために２つ以上の送信／受信要素１２２（例えば、複数のアンテナ）を含む。
【００３５】
トランシーバ１２０は、送信／受信要素１２２によって送信されることになる信号を変調し、送信／受信要素１２２によって受信される信号を復調するように構成される。上述のように、ＷＴＲＵ１０２は、マルチモード機能を有する。したがって、トランシーバ１２０は、ＷＴＲＵ１０２が例としてＵＴＲＡおよびＩＥＥＥ８０２．１１またはＬＴＥおよびＷＣＤＭＡ／ＨＳＰＡなどの複数のＲＡＴを介して通信することを可能にするための複数のトランシーバを含む。
【００３６】
ＷＴＲＵ１０２のプロセッサ１１８は、スピーカー／マイクロホン１２４、キーパッド１２６、および／またはディスプレイ／タッチパッド１２８（例えば、液晶ディスプレイ（ＬＣＤ）ディスプレイユニットまたは有機発光ダイオード（ＯＬＥＤ）ディスプレイユニット）に結合され、それらからユーザ入力データを受信する。さらに、プロセッサ１１８は、スピーカー／マイクロホン１２４、キーパッド１２６、および／またはディスプレイ／タッチパッド１２８にもユーザデータを出力する。加えて、プロセッサ１１８は、取り外し不可能なメモリ１３０および／または取り外し可能なメモリ１３２などの任意のタイプの好適なメモリの情報にアクセスし、それらのメモリにデータを記憶する。取り外し不可能なメモリ１３０は、ランダムアクセスメモリ（ＲＡＭ）、読み出し専用メモリ（ＲＯＭ）、ハードディスク、または任意のその他のタイプのメモリストレージデバイスを含む。取り外し可能なメモリ１３２は、加入者識別モジュール（ＳＩＭ）カード、メモリスティック、セキュアデジタル（ＳＤ）メモリカードなどを含む。その他の実施形態において、プロセッサ１１８は、サーバまたはホームコンピュータ（図示せず）などの、ＷＴＲＵ１０２に物理的に置かれていないメモリの情報にアクセスし、そのメモリにデータを記憶する。
【００３７】
プロセッサ１１８は、電源１３４から電力を受け取り、ＷＴＲＵ１０２内のその他のコンポーネントに電力を分配し、および／またはその電力を制御するように構成される。電源１３４は、ＷＴＲＵ１０２に給電するための任意の好適なデバイスである。例えば、電源１３４は、１または複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含む。
【００３８】
プロセッサ１１８は、ＧＰＳチップセット１３６にも結合され、ＧＰＳチップセット１３６は、ＷＴＲＵ１０２の現在位置に関する位置情報（例えば、経度および緯度）を提供するように構成される。ＧＰＳチップセット１３６からの情報に加えて、またはＧＰＳチップセット１３６からの情報の代わりに、ＷＴＲＵ１０２は、基地局（例えば、基地局１１４ａ、１１４ｂ）からエアーインターフェース１１６上で位置情報を受信し、および／または２つ以上の近隣の基地局から信号が受信されるタイミングに基づいてその位置を決定する。ＷＴＲＵ１０２は、実施形態に準拠したまま、任意の好適な位置決定方法によって位置情報を取得する。
【００３９】
プロセッサ１１８は、その他の周辺機器１３８にさらに結合され、その他の周辺機器１３８は、追加的な特徴、機能、および／または有線もしくは無線接続を提供する１または複数のソフトウェアモジュールおよび／またはハードウェアモジュールを含む。例えば、周辺機器１３８は、加速度計、電子コンパス、衛星トランシーバ、デジタルカメラ（写真または動画用）、ユニバーサルシリアルバス（ＵＳＢ）ポート、振動デバイス、テレビトランシーバ、ハンズフリーヘッドセット、Ｂｌｕｅｔｏｏｔｈ（登録商標）モジュール、周波数変調（ＦＭ）ラジオユニット、デジタル音楽プレーヤー、メディアプレーヤー、ビデオゲームプレーヤーモジュール、インターネットブラウザなどを含む。
【００４０】
図１Ｃは、一実施形態によるＲＡＮ１０４およびコアネットワーク１０６のシステム図である。上述のように、ＲＡＮ１０４は、エアーインターフェース１１６上でＷＴＲＵ１０２ａ、１０２ｂ、１０２ｃと通信するためにＵＴＲＡ無線技術を使用する。ＲＡＮ１０４は、コアネットワーク１０６とも通信する。図１Ｃに示されるように、ＲＡＮ１０４はノード−Ｂ１４０ａ、１４０ｂ、１４０ｃを含み、ノード−Ｂ１４０ａ、１４０ｂ、１４０ｃは、エアーインターフェース１１６上でＷＴＲＵ１０２ａ、１０２ｂ、１０２ｃと通信するための１または複数のトランシーバをそれぞれ含む。ノード−Ｂ１４０ａ、１４０ｂ、１４０ｃは、ＲＡＮ１０４内の特定のセル（図示せず）にそれぞれが関連付けられる。ＲＡＮ１０４は、ＲＮＣ１４２ａ、１４２ｂも含む。ＲＡＮ１０４は、実施形態に準拠したまま、任意の数のノード−ＢおよびＲＮＣを含むことが理解されるであろう。
【００４１】
図１Ｃに示されるように、ノード−Ｂ１４０ａ、１４０ｂは、ＲＮＣ１４２ａと通信する。加えて、ノード−Ｂ１４０ｃは、ＲＮＣ１４２ｂと通信する。ノード−Ｂ１４０ａ、１４０ｂ、１４０ｃは、Ｉｕｂインターフェースを介してそれぞれのＲＮＣ１４２ａ、１４２ｂと通信する。ＲＮＣ１４２ａ、１４２ｂは、Ｉｕｒインターフェースを介して互いに通信する。ＲＮＣ１４２ａ、１４２ｂのそれぞれは、それが接続されているそれぞれのノード−Ｂ１４０ａ、１４０ｂ、１４０ｃを制御するように構成される。さらに、ＲＮＣ１４２ａ、１４２ｂのそれぞれは、アウターループ電力制御、負荷制御、アドミッション制御、パケットのスケジューリング、ハンドオーバ制御、マクロダイバーシティ（ｍａｃｒｏｄｉｖｅｒｓｉｔｙ）、セキュリティ機能、データの暗号化などのその他の機能を実行またはサポートするように構成される。
【００４２】
図１Ｃに示されるコアネットワーク１０６は、メディアゲートウェイ（ＭＧＷ）１４４、移動通信交換局（ＭＳＣ）１４６、サービングＧＰＲＳサポートノード（ＳＧＳＮ）１４８、および／またはゲートウェイＧＰＲＳサポートノード（ＧＧＳＮ）１４９を含む。上述の要素のそれぞれはコアネットワーク１０６の一部として示されているが、これらの要素のうちの任意の要素は、コアネットワークのオペレータ以外の主体によって所有および／または運用されることが理解されるであろう。
【００４３】
ＲＡＮ１０４のＲＮＣ１４２ａは、ＩｕＣＳインターフェースを介してコアネットワーク１０６のＭＳＣ１４６に接続される。ＭＳＣ１４６は、ＭＧＷ１４４に接続される。ＭＳＣ１４６およびＭＧＷ１４４は、ＷＴＲＵ１０２ａ、１０２ｂ、１０２ｃがＰＳＴＮ１０８などの回線交換ネットワークにアクセスできるようにして、ＷＴＲＵ１０２ａ、１０２ｂ、１０２ｃと従来の固定電話回線通信デバイスとの間の通信を容易化する。
【００４４】
ＲＡＮ１０４のＲＮＣ１４２ａは、ＩｕＰＳインターフェースを介してコアネットワーク１０６のＳＧＳＮ１４８も接続される。ＳＧＳＮ１４８は、ＧＧＳＮ１４９に接続される。ＳＧＳＮ１４８およびＧＧＳＮ１４９は、ＷＴＲＵ１０２ａ、１０２ｂ、１０２ｃがインターネット１１０などのパケット交換ネットワークにアクセスできるようにして、ＷＴＲＵ１０２ａ、１０２ｂ、１０２ｃとＩＰ対応デバイスとの間の通信を容易化する。
【００４５】
上述のように、コアネットワーク１０６は、その他のサービスプロバイダによって所有および／または運用されるその他の有線または無線ネットワークを含むネットワーク１１２にも接続される。
【００４６】
ＣＮ１０６は、ホームネットワーク加入者ノード（ｈｏｍｅ  ｎｅｔｗｏｒｋ  ｓｕｂｓｃｒｉｂｅｒ  ｎｏｄｅ）を含み、ホームネットワーク加入者ノードは、ＷＴＲＵに関する認証、セキュリティコンテキストの保存、およびセキュリティキーの生成を実行する。ホームネットワーク加入者ノードは、ホームロケーションレジスタ（ＨＬＲ）またはホーム加入者サーバ（ＨＳＳ）と呼ばれる。
【００４７】
図１Ｄは、図１Ａに示された通信システム１００内で使用される別の例示的なＲＡＮ１０４および別の例示的なＣＮ１０６を示す。上述のように、ＲＡＮ１０４は、無線インターフェース１１６上でＷＴＲＵ１０２ａ、１０２ｂ、１０２ｃと通信するためにＥ−ＵＴＲＡ無線技術を使用する。ＲＡＮ１０４は、ＣＮ１０６とも通信する。
【００４８】
ＲＡＮ１０４はｅノード−Ｂ１５０ａ、１５０ｂ、１５０ｃを含むが、ＲＡＮ１０４は、実施形態に準拠したまま、任意の数のｅＮＢを含むことが理解されるであろう。ｅＮＢ１５０ａ、１５０ｂ、１５０ｃは、エアーインターフェース１１６上でＷＴＲＵ１０２ａ、１０２ｂ、１０２ｃと通信するための１または複数のトランシーバをそれぞれが含む。一実施形態において、ｅＮＢ１５０ａ、１５０ｂ、１５０ｃは、ＭＩＭＯ技術を実装する。したがって、ｅＮＢ１５０ａは、例えば、複数のアンテナを使用して、ＷＴＲＵ１０２ａに無線信号を送信し、ＷＴＲＵ１０２ａから無線信号を受信する。
【００４９】
ｅＮＢ１５０ａ、１５０ｂ、１５０ｃのそれぞれは、特定のセル（図示せず）に関連付けられ、無線リソース管理の決定、ハンドオーバの決定、ＵＬおよび／またはＤＬにおけるユーザのスケジューリングなどを処理するように構成される。図１Ｄに示されるように、ｅＮＢ１５０ａ、１５０ｂ、１５０ｃは、Ｘ２インターフェース上で互いに通信する。
【００５０】
図１Ｄに示されるＣＮ１０６は、モビリティ管理エンティティ（ＭＭＥ）１５２、サービングゲートウェイ１５４、およびパケットデータネットワーク（ＰＤＮ）ゲートウェイ（ＧＷ）１５６を含む。上述の要素のそれぞれはＣＮ１０６の一部として示されているが、これらの要素のうちの任意の要素は、ＣＮのオペレータ以外のエンティティによって所有および／または運用されることが理解されるであろう。
【００５１】
ＭＭＥ１５２は、Ｓ１インターフェースを介してＲＡＮ１０４内のｅＮＢ１５０ａ、１５０ｂ、１５０ｃのそれぞれに接続され、制御ノードとして働く。例えば、ＭＭＥ１５２は、ＷＴＲＵ１０２ａ、１０２ｂ、１０２ｃのユーザの認証、ベアラのアクティブ化／無効化、ＷＴＲＵ１０２ａ、１０２ｂ、１０２ｃの最初のアタッチの間じゅうずっと特定のサービングゲートウェイの選択などの役割を担う。ＭＭＥ１５２は、ＲＡＮ１０４と、ＧＳＭまたはＷＣＤＭＡなどのその他の無線技術を使用するその他のＲＡＮ（図示せず）との間の切り替えのための制御プレーンの機能も提供する。
【００５２】
サービングゲートウェイ１５４は、Ｓ１インターフェースを介してＲＡＮ１０４内のｅＮＢ１５０ａ、１５０ｂ、１５０ｃのそれぞれに接続される。概して、サービングゲートウェイ１５４は、ＷＴＲＵ１０２ａ、１０２ｂ、１０２ｃに／からユーザのデータパケットをルーティングおよび転送する。サービングゲートウェイ１５４は、ｅＮＢ間のハンドオーバの間じゅうずっとユーザプレーンのアンカーになること、ＤＬのデータがＷＴＲＵ１０２ａ、１０２ｂ、１０２ｃに利用可能であるときにページングをトリガーすること、ＷＴＲＵ１０２ａ、１０２ｂ、１０２ｃのコンテキストを管理および記憶することなどのその他の機能も実行する。
【００５３】
サービングゲートウェイ１５４は、ＰＤＮゲートウェイ１５６にも接続され、ＰＤＮゲートウェイ１５６は、ＷＴＲＵ１０２ａ、１０２ｂ、１０２ｃがインターネット１１０などのパケット交換ネットワークにアクセスすることを提供して、ＷＴＲＵ１０２ａ、１０２ｂ、１０２ｃとＩＰ対応デバイスとの間の通信を容易化する。
【００５４】
ＣＮ１０６は、その他のネットワークとの通信を容易化する。例えば、ＣＮ１０６は、ＷＴＲＵ１０２ａ、１０２ｂ、１０２ｃがＰＳＴＮ１０８などの回線交換ネットワークにアクセスすることを提供して、ＷＴＲＵ１０２ａ、１０２ｂ、１０２ｃと従来の固定電話回線通信デバイスとの間の通信を容易化する。例えば、ＣＮ１０６は、ＣＮ１０６とＰＳＴＮ１０８との間のインターフェースとして働くＩＰゲートウェイ（例えば、ＩＰマルチメディアサブシステム（ＩＭＳ）サーバ）を含むか、またはそのようなＩＰゲートウェイと通信する。さらに、ＣＮ１０６は、ＷＴＲＵ１０２ａ、１０２ｂ、１０２ｃが、その他のネットワーク１１２にアクセスすることを提供し、該その他のネットワーク１１２には、その他のサービスプロバイダによって所有および／または運用されるその他の有線または無線ネットワークを含む。
【００５５】
ＣＮ１０６は、ホームネットワーク加入者ノードを含み、ホームネットワーク加入者ノードは、ＷＴＲＵに関する認証、セキュリティコンテキストの保存、およびセキュリティキーの生成を実行する。ホームネットワーク加入者ノードは、ホームロケーションレジスタ（ＨＬＲ）またはホーム加入者サーバ（ＨＳＳ）と呼ばれる。
【００５６】
図１Ｃは、ＵＭＴＳ／ＧＰＲＳシステムを示した。図１Ｄは、ＬＴＥシステムを示した。システムは、ＧＥＲＡＮまたはＷＭＡＸなどの別のタイプのシステムである可能性がある。
【００５７】
例において、ＬＴＥは、ＥＰＳを含み、ＥＰＳは、ＬＴＥを含む。
【００５８】
図２Ａは、２つの異なるＲＡＮ２０４ａおよび２０４ｂと通信するＷＲＴＵを、互いに通信するように構成された２つのコアネットワーク２０６ａおよび２０６ｂとともに示す。図２Ａに示されるのは、ＷＲＴＵ１０２、２つのＲＡＮ２０４ａ、２０４ｂ、２つの基地局２１４ａ、２１４ｂ、および２つのコアネットワーク２０６ａ、２０６ｂである。図１Ａに示されたように、コアネットワーク２０６Ａおよび２０６Ｂは、ＰＳＴＮ１０８、インターネット１１０、およびその他のネットワーク１１２と通信するように構成される。
【００５９】
ＷＲＴＵ１０２は、マルチモードＷＴＲＵ１０２である。マルチモードＷＴＲＵ１０２は、少なくとも２つの異なる無線アクセス技術（ＲＡＴ）をサポートする任意のモバイル端末である。例えば、マルチモードＷＲＴＵ１０２は、ＧＳＭ、ＷＣＤＭＡ、ＨＳＰＡ、ＨＳＤＰＡ、ＨＳＵＰＡ、およびＬＴＥ、ＩＥＥＥ８０２．１１ｂ／ａ／ｇ／ｎ、ＩＥＥＥ８０２．１６ａ／ｅ、および８０２．２０、ならびにＣＤＭＡ２０００  １ｘ、およびＣＤＭＡ２０００  ＥＶ−ＤＯのうちの２つ以上をサポートする。示されたように、ＷＴＲＵ１０２は、それぞれが２つのＲＡＮ２０４ａおよび２０４ｂの一部である２つの異なる基地局２１４ａおよび２１４ｂと通信している。ＲＡＮ２０４ａおよびコアネットワーク２０６ａは、ＥＰＳ通信システムであり、ＲＡＮ２０４ｂおよびコアネットワーク２０６ｂは、ＵＴＭＳ／ＧＰＲＳ通信システムである。２つのコアネットワーク２０６ａおよび２０６ｂは、ＷＲＴＵ１０２と２つのコアネットワーク２０６ａ、２０６ｂとの間、およびＷＴＲＵ１０２と２つの基地局２１４ａおよび２１４ｂとの間の通信の調整を支援するために互いに通信する（２２０）。通信２２０は、コアネットワーク２０６ａ、２０６ｂ内の互いに通信する異なるエンティティを含む。例えば、コアネットワーク２０６ａ内のＭＭＥエンティティが、コアネットワーク２０６ｂ内のＳＧＳＮエンティティと通信する。２つの基地局２１４ａ、２１４ｂおよび２つのＲＡＮ２０４ａ、２０４ｂは、図１に関連して示された通りである。
【００６０】
図２Ｂは、２つの異なる基地局と通信するＷＲＴＵを、互いに通信するように構成された２つのＲＡＮとともに示す。図２Ａに示されるのは、ＷＲＴＵ１０２、２つのＲＡＮ２０４ｃ、２０４ｄ、２つの基地局２１４ｃ、２１４ｄ、および２つのコアネットワーク２０６ｃ、２０６ｄである。図１Ａに示されたように、コアネットワーク２０６ｃおよび２０６ｄは、ＰＳＴＮ１０８、インターネット１１０、およびその他のネットワーク１１２と通信するように構成される。
【００６１】
ＷＲＴＵ１０２は、マルチモードＷＴＲＵである。示されたように、ＷＴＲＵ１０２は、それぞれが２つのＲＡＮ２０４ｃおよび２０４ｄの一部である２つの異なる基地局２１４ｃおよび２１４ｄと通信している。ＲＡＮ２０４ｃおよびコアネットワーク１０６ｃは、ＥＰＳ通信システムであり、ＲＡＮ２０４ｄおよびコアネットワーク１０６ｄは、ＵＭＴＳ／ＧＰＲＳ通信システムである。２つのＲＡＮ２０４ｃおよび２０４ｄは、ＷＲＴＵ１０２と２つの基地局２１４ａおよび２１４ｂとの間の通信の調整を支援するために互いに通信する（２２２）。通信２２０は、ＲＡＮ２０４ｃ、２０４ｄ内の互いに通信する異なるエンティティを含む。２つの基地局２１４ｃ、２１４ｄおよび２つのコアネットワーク２０６ｃ、２０６ｄは、図１に関して示された通りである。
【００６２】
基地局２１４ａ、２１４ｂ、２１４ｃ、および２１４ｄによって提供されるセル（図示せず）は、プライマリセル（Ｐセル）またはセカンダリセル（Ｓセル）であり、セルは、ＰセルかまたはＳセルかのどちらかであるとき、サービングセルと見なされる。Ｐセル、Ｓセル、およびサービングセルについては、以下でさらに検討される。
【００６３】
コンポーネントキャリア（ＣＣ）は、ＷＴＲＵ１０２がエアーインターフェース２１６を動作させる周波数を含む。エアーインターフェース２１６は、１または複数の物理チャネルを含む。例えば、ＷＴＲＵ１０２は、エアーインターフェース２１６を構成する複数のＤＬ物理チャネルを含むダウンリンク（ＤＬ）ＣＣ上の送信を受信する。別の例として、ＷＴＲＵ１０２は、エアーインターフェース２１６を構成する複数のＵＬ物理チャネルを含むＵＬ  ＣＣ上の送信を実行する。
【００６４】
例えば、ＬＴＥに関して、ＤＬ物理チャネルは、物理制御フォーマットインジケータチャネル（ＰＣＦＩＣＨ）、物理ＨＡＲＱインジケータチャネル（ＰＨＩＣＨ）、物理データ制御チャネル（ＰＤＣＣＨ）、物理マルチキャストデータチャネル（ＰＭＣＨ）、および物理データ共有チャネル（ＰＤＳＣＨ）を含む。ＰＣＦＩＣＨ上で、ＷＴＲＵ１０２は、ＤＬ  ＣＣの制御領域のサイズを示す制御データを受信する。ＰＨＩＣＨ上で、ＷＴＲＵ１０２は、前のアップリンクの送信に関するＨＡＲＱ肯定応答（ＡＣＫ）／否定応答（ＮＡＣＫ）フィードバックを示す制御データを受信する。ＰＤＣＣＨ上で、ＷＴＲＵ１０２は、ＤＬリソースおよびＵＬリソースのスケジューリングを目的として使用されるＤＬ制御情報（ＤＣＩ）メッセージを受信する。ＰＤＳＣＨ上で、ＷＴＲＵ１０２は、ユーザデータおよび／または制御データを受信する。例えば、ＷＴＲＵ１０２は、ＵＬ  ＣＣ上で送信する。
【００６５】
ＬＴＥに関して、ＵＬ物理チャネルは、物理ＵＬ制御チャネル（ＰＵＣＣＨ）および物理ＵＬ共有チャネル（ＰＵＳＣＨ）を含む。ＰＵＳＣＨ上で、ＷＴＲＵ１０２は、ユーザデータおよび／または制御データを送信する。ＰＵＣＣＨ上、および場合によってＰＵＳＣＨ上で、ＷＴＲＵ１０２は、ＵＬ制御情報を送信する。例えば、ＷＴＲＵ１０２は、チャネル品質インジケータ（ＣＱＩ）／プリコーディング行列インジケータ（ＰＭＩ）／ランクインジケータ（ＲＩ）またはスケジューリング要求（ＳＲ）および／またはＨＡＲＱ  ＡＣＫ／ＮＡＣＫフィードバックを送信する。ＵＬ  ＣＣ上で、ＷＴＲＵ１０２は、サウンディングおよび基準信号（ＳＲＳ）を送信するための専用リソースも割り当てられる。
【００６６】
例えば、ＨＳＤＰＡに関して、共有チャネルは、ダウンリンクの送信に使用される、すなわち、高速ダウンリンク共有チャネル（ＨＳ−ＤＳＣＨ）である。ＨＳ−ＤＳＣＨは、ＷＴＲＵ１０２が、専用トランスポートチャネル（ＤＴＣＨ）、専用制御チャネル（以降ＤＣＣＨ）、共通制御チャネル（ＣＣＣＨ）、または場合によってはさらにブロードキャスト制御チャネル（ＢＣＣＨ）などの論理チャネルからのユーザデータおよび／または制御シグナリングを受信するトランスポートチャネルである。ＷＴＲＵ１０２は、高速ＤＬ共有チャネル（ＨＳ−ＰＤＳＣＨ）上でＨＳ−ＤＳＣＨを受信する。ＷＴＲＵ１０２は、高速共有制御チャネル（ＨＳ−ＳＣＣＨ）上で、ＨＳ−ＰＤＳＣＨのスケジューリングのためのＤＬ制御シグナリング（例えば、チャネライゼーション符号、変調方式、およびトランスポートブロックサイズを含むトランスポートフォーマット）と、例えば、間欠受信（ＤＲＸ）／間欠送信（ＤＴＸ）のアクティブ化／無効化のためのその他のタイプの制御シグナリング、および／または追加のＨＳＰＡセルに関するアクティブ化／無効化コマンドとを受信する。ＷＴＲＵ１０２は、それぞれの構成されたＨＳ−ＤＳＣＨについて１つずつ、高速専用物理制御チャネル（ＨＳ−ＤＰＣＣＨ）上で、ＨＳ−ＰＤＳＣＨの送信および／またはＨＳ−ＳＣＣＨの命令に関連するＵＬフィードバック制御情報を送信し、このフィードバックは、ＨＡＲＱフィードバックと、ＣＱＩと、ＷＴＲＵ１０２がＭＩＭＯ動作用に構成されている場合はプリコーディング制御情報（ＰＣＩ）とからなる。電力制御コマンドは、ＤＰＣＨ上またはフラクショナルＤＰＣＨ（Ｆ−ＤＰＣＨ）上でＷＴＲＵ１０２によって受信される。ＨＳ−ＳＣＣＨおよびＨＳ−ＤＰＳＣＨに関するソフトハンドオーバは存在しない。
【００６７】
例えば、ＨＳＵＰＡに関して、高速なスケジューリングおよびソフトコンバイニングのための高速なＨＡＲＱがサポートされ、拡張専用チャネル（Ｅ−ＤＣＨ）が使用される。ＨＳＵＰＡに関しては、ソフトハンドオーバがサポートされる。Ｅ−ＤＣＨは、専用物理データチャネル（Ｅ−ＤＰＤＣＨ）にマッピングされる。各無線リンクにはＥ−ＤＰＤＣＨが存在しないか、１つのＥ−ＤＰＤＣＨが存在するか、または複数のＥ−ＤＰＤＣＨが存在する。ＷＴＲＵ１０２は、Ｅ−ＤＣＨ専用物理制御チャネル（Ｅ−ＤＰＣＣＨ）上でＥ−ＤＣＨに関連する制御情報を送信する。各無線リンク上に１つのＥ−ＤＰＣＣＨが存在する。ＵＬの送信のために必要とされる専用物理ダウンリンクチャネルは、Ｆ−ＤＰＣＨ、Ｅ−ＤＣＨ相対許可チャネル（Ｅ−ＲＧＣＨ）、Ｅ−ＤＣＨ絶対許可チャネル（Ｅ−ＡＧＣＨ）、およびＥ−ＤＣＨ  ＨＡＲＱインジケータチャネル（Ｅ−ＨＩＣＨ）である。ＷＴＲＵ１０２は、ＤＰＣＨまたはフラクショナルＤＰＣＨ上で電力制御コマンドを受信する。ＷＴＲＵ１０２は、それぞれのサービング無線リンクおよび非サービング無線リンクに関して上位レイヤのシグナリングによって構成された関連するＥ−ＲＧＣＨ上でサービング無線リンクおよび非サービング無線リンクからＵＬ相対許可を受信する。ＷＴＲＵ１０２は、上位レイヤのシグナリングによって構成されたＥ−ＡＧＣＨ上でサービングＥ−ＤＣＨセルからＥ−ＤＣＨに関する絶対許可を受信する。ＷＴＲＵは、Ｅ−ＨＩＣＨ上でＨＡＲＱ  ＡＣＫ／ＮＡＣＫフィードバックを受信する。
【００６８】
セルは、ＤＬ  ＣＣ上でブロードキャストされるか、または場合によってはコアネットワーク２０６からの専用構成シグナリングを使用するかのどちらかでＷＴＲＵ１０２によって受信されるシステム情報（ＳＩ）に基づいてＵＬ  ＣＣにリンクされるＤＬ  ＣＣを介して情報を送信する。例えば、ＤＬ  ＣＣ上でブロードキャストされるとき、ＷＴＲＵ１０２は、（例えば、ＬＴＥのＲＲＣ＿ＩＤＬＥのときまたはＷＣＤＭＡのアイドル／ＣＥＬＬ＿ＦＡＣＨのとき、すなわち、ＷＴＲＵ１０２がまだネットワークへの無線リソース接続をしていないとき）リンクされたＵＬ  ＣＣのアップリンク周波数および帯域幅をシステム情報要素の一部として受信する。
【００６９】
プライマリセル（Ｐセル）は、ＷＴＲＵ１０２が通信システムへの最初のアクセスを実行する、例えば、最初の接続確立手順を実行するかもしくは接続再確立手順を開始するかのどちらかのプライマリ周波数で動作するセル、またはハンドオーバ手順でＰセルとして示されたセルを含む。セルは、周波数が無線リソース接続（ＲＲＣ）構成手順の一部として示された結果としてＰセルと見なされる。一部の機能は、Ｐセル上でのみサポートされる。例えば、ＰセルのＵＬ  ＣＣは、物理アップリンク制御チャネルのリソースが所与のＷＴＲＵ１０２に関するすべてのＨＡＲＱ  ＡＣＫ／ＮＡＣＫフィードバックを運ぶように構成されるＣＣに対応する。
【００７０】
例えば、ＬＴＥにおいて、ＷＴＲＵ１０２は、Ｐセルを使用して、セキュリティ機能に関するパラメータと、非アクセスシステム（ＮＡＳ）のモビリティ情報などの上位レイヤのシステム情報に関するパラメータとを導出する。ＰセルのＤＬ上でのみサポートされるその他の機能は、ブロードキャストチャネル（ＢＣＣＨ）上のシステム情報（ＳＩ）取得および変更監視手順と、ページングとを含む。加えて、ＷＣＤＭＡにおいて、Ｐセルは、ＬＴＥに関して上述されたＰセルと同様である。
【００７１】
セカンダリセル（Ｓセル）は、無線リソース制御接続（ＲＲＣ）が確立されると構成され、追加的な無線リソースを提供するために使用されるセカンダリ周波数上で動作するセルを含む。ＳセルがＷＴＲＵ１０２の構成に追加されるとき、関係のあるＳセルでの動作に関連するシステム情報が、通常、専用シグナリングを使用して提供される。パラメータはシステム情報（ＳＩ）のシグナリングを使用してＳセルのダウンリンク上でブロードキャストされる値とは異なる値を有するが、この情報は、本明細書においては、この情報を取得するためにＷＴＲＵ１０２によって使用される方法とは無関係に関係のあるＳセルのＳＩと呼ばれる。
【００７２】
ＰセルのＤＬおよびＰセルのＵＬは、それぞれ、ＰセルのＤＬ  ＣＣおよびＵＬ  ＣＣに対応する。ＳセルのＤＬおよびＳセルのＵＬは、それぞれ、ＳセルのＤＬ  ＣＣおよびＵＬ  ＣＣに対応する。サービングセルは、ＰセルかまたはＳセルかのどちらかである。
【００７３】
ＷＴＲＵ１０２は、ＰセルのＤＬ、ＰセルのＵＬ、ＳセルのＤＬ、およびＳセルのＵＬのうちの１または複数を用いて構成される。
【００７４】
マルチＲＡＴアクセス（ＭＲＡ）を使用するＷＴＲＵ１０２は、ＤＬ  ＣＣおよびＵＬ  ＣＣのために第１のＲＡＴを用いる少なくとも１つのＣＣと、ＤＬ  ＣＣまたはＵＬ  ＣＣのうちの少なくとも１つのための第２のＲＡＴの少なくとも１つのＣＣとによって動作するように構成された任意のマルチモードＷＴＲＵ１０２を含む。加えて、ＷＴＲＵ１０２は、異なるコンポーネントキャリア上で時間的に同時かまたはほぼ同時かのどちらかで動作する。実施形態において、ＭＲＡ  ＷＴＲＵ１０２は、２つ以上のＲＡＴが同じ周波数帯域上でシーケンシャルに動作するようにして動作する。
【００７５】
例において、ＵＴＲＡＮ／ＧＥＲＡＮ、ＵＭＴＳ／ＨＳＰＡ、ＵＴＲＡＮ、ＵＭＴＳ、ＨＳＰＡ、およびＧＰＲＳ／ＵＭＴＳ／ＨＳＰＡは、交換可能なように使用される。例において、ＬＴＥ、ＥＰＳ、およびＥＵＴＲＡＮは、交換可能なように使用される。
【００７６】
図３Ａ、３Ｂ、３Ｃ、３Ｄ、３Ｅ、３Ｆ、３Ｇ、３Ｈ、および３Ｉは、ＷＴＲＵの例に従うＭＲＡ動作を容易化するための異なるネットワークアーキテクチャを概略的に示す。図３Ａは、既存のアーキテクチャ３１０を概略的に示す。
【００７７】
図３Ｂは、本明細書において開示されるＷＴＲＵの例に従うＭＲＡ動作を容易化するネットワークアーキテクチャ３２０の例を概略的に示す。図３Ｂに示されるのは、３つの新しいインターフェースＳ５／Ｇｎ３２２、３２４  Ｉｕｒ／Ｉｕｂ／Ｘ２、およびＳ１−ＭＭＥ／Ｉｕ−ＣＰ３２６を用いるアーキテクチャ３１０である。Ｓ５／Ｇｎ３２２は、ＰＧＷとＲＮＣとの間の新しい直接的なインターフェースである。Ｓ５／Ｇｎ３２２は、Ｓ５インターフェース、Ｓ１２インターフェース、もしくはＧｎインターフェース、または本明細書において開示されるＷＴＲＵのＭＲＡ動作を容易化するためのそれらのインターフェースの任意の組み合わせと同様である。Ｓ１−ＭＭＥ／Ｉｕ−ＣＰ３２６は、ＳＧＳＮとｅＮＢとの間の直接的なインターフェースである。Ｓ１−ＭＭＥ／Ｉｕ−ＣＰ３２６は、Ｓ１−ＭＭＥインターフェース、Ｓ１−Ｕ、Ｉｕ−ＣＰインターフェース、もしくはＩｕ−ＵＰ、または本明細書において開示されるＷＴＲＵのＭＲＡ動作を容易化するためのそれらのインターフェースの任意の組み合わせと同様である。Ｉｕｒ／Ｉｕｂ／Ｘ２  ３２４は、ＲＮＣとｅＮＢとの間のインターフェースである。Ｉｕｒ／Ｉｕｂ／Ｘ２  ３２４は、Ｉｕｒインターフェース、Ｉｕｂインターフェース、もしくはＸ２インターフェース、または本明細書において開示されるＷＴＲＵのＭＲＡ動作を容易化するためのそれらのインターフェースの任意の組み合わせと同様である。例えば、１つのＮＡＳエンティティおよび２つのＲＲＣエンティティを有する例示的なＷＴＲＵに関して、ＰＳトラフィックの分割がＳＧＳＮにおいて（またはＧＧＳＮにおいて）行われ、ＳＧＳＮ（またはＧＧＳＮ）は、ＷＴＲＵに宛てられたデータパケットを、ＲＮＣを通じてルーティングすべきか、またはｅＮＢを通じてルーティングすべきか、またはＲＮＣとｅＮＢとの両方を通じてルーティングすべきかを決定する。別の例として、１つのＮＡＳエンティティおよび２つのＲＲＣエンティティを有するＷＴＲＵに関して、トラフィックの分割がＰＧＷにおいて（またはＳＧＷにおいて）行われ、ＰＧＷ（またはＳＧＷ）は、データパケットを、ｅＮＢを通じてか、ＲＮＣを通じてか、またはＲＮＣとｅＮＢとの両方を通じてかのいずれかでルーティングすると決定する。
【００７８】
図３Ｃ、３Ｄ、および３Ｅは、例に従う図３Ｂの異なる例である。
【００７９】
図３Ｆは、ＳＧＷとノードＢとの間の新しい直接的なインターフェース、およびｅＮＢとノードＢとの間の新しい直接的なインターフェースが存在する別のネットワークアーキテクチャのオプションである。例えば、１つの単一のＮＡＳ制御エンティティおよび２つのＲＲＣ制御エンティティを有するＷＴＲＵの場合、ＵＥに宛てられたトラフィックがＳＧＷにおいて分割され、ＳＧＷは、データパケットをｅＮＢを通じてか、またはノードＢを通じてか、またはｅＮＢとノードＢとの両方を通じてかのいずれかでルーティングすると決定する。さらに、ｅＮＢは、ＵＥに宛てられたデータパケットの一部またはすべてを、Ｕｕインターフェース上でＵＥに直接送信する代わりにノードＢを介してルーティングすると決定する。同様に、ノードＢは、ＵＥに宛てられたデータパケットの一部またはすべてを、Ｕｕインターフェース上でＵＥに直接送信する代わりにｅＮＢを介してルーティングすると決定する。
【００８０】
図３Ｇ、３Ｈ、および３Ｉは、例えば、コアネットワークの構成が異なる、１つの単一のＮＡＳ制御エンティティおよび２つのＲＲＣ制御エンティティを有するＷＴＲＵの場合、ＲＮＣにおけるノードＢおよびｅノードＢに向けたトラフィックの分割、または、ＲＮＣにおけるｅノードＢおよびノードＢからのトラフィックアグリゲーションを示す。図３Ｇ、３Ｈ、および３Ｉにおいて、線は、制御経路またはユーザデータ経路およびその他のプロトコルのうちの１または複数を示す。
【００８１】
図４は、ＷＴＲＵ１０２、ＲＡＮ１０４、およびＣＮ１０６、通信インターフェース４１４、通信インターフェース４１６、非アクセス層（ＮＡＳ）プロトコル通信４３４、無線プロトコル通信４１８、およびＳ１プロトコル通信４２２を概略的に示す。ＷＴＲＵ１０２と、ＲＡＮ１０４と、ＣＮ１０６との間で通信するために使用されるプロトコルは、２つのタイプ、すなわち、無線プロトコル４０８およびＳ１プロトコル４１２を含むアクセス層（ＡＳ）プロトコル４０４と、ＮＡＳプロトコル４２０とに分類され、また、無線プロトコル、非アクセスプロトコル（ＮＡＳ）、アクセスステータス（ＡＳ）プロトコルがある。ＷＴＲＵ１０２は、ＲＲＣ、ＰＤＣＰ、ＰＨＹ、ＲＬＣ、およびＭＡＣを含む無線プロトコル４０８を使用して、ＲＡＮ１０４と無線プロトコル通信４１８上で通信する。ＲＡＮ１０４は、Ｉｕｈ、Ｉｕ、およびＳ１を含むＳ１プロトコルを使用して、Ｓ１プロトコル通信４２２上でＣＮ１０６と通信する。
【００８２】
ＷＴＲＵ１０２およびＲＡＮ１０４は、ＣＭ、ＭＭ、ＧＭＭ、ＳＭ、ＥＭＭ、およびＥＳＭを含むＮＡＳプロトコル４２０を使用して、ＮＡＳプロトコル通信４３４上で互いに通信する。通信インジケータ４３２は、ＮＡＳプロトコルに関するＷＴＲＵ１０２とＣＮ１０６との間の実際のメッセージが配信のためにアクセス層４０４を実際に通ることを示す。
【００８３】
ＮＡＳ４２０レイヤは、ＣＮ１０６とＷＴＲＵ１０２との間、またはＷＴＲＵ１０２とＣＮ１０６との間の、シグナリングおよびトラフィックをサポートする。ＮＡＳプロトコルは、以下、すなわち、接続管理（ＣＭ）、モビリティ管理（ＭＭ）、汎用パケット無線サービス（ＧＰＲＳ）モビリティ管理（ＧＭＭ）、セッション管理（ＳＭ）、進化型パケットシステム（ＥＰＳ）モビリティ管理（ＥＭＭ）、およびＥＰＳシステムセッション管理（ＥＳＭ）、加入管理、セキュリティ管理、ならびに課金を含む。
【００８４】
図５Ａ、５Ｂ、５Ｃ、および５Ｄは、異なる数のＮＡＳエンティティおよび異なる数のＲＲＣエンティティを有するＭＲＡ  ＷＴＲＵの異なる例を概略的に示す。図５Ａは、ＭＲＡ  ＷＴＲＵ５０２ａ、ＮＡＳエンティティ５３４ａ、ＲＲＣ５０８ａエンティティ、エアーインターフェース５１６、５１７、ＲＡＮ５０４、５０５、コアネットワーク５０６、５０７、およびＰＤＮネットワーク５０９を概略的に示す。ＭＲＡ  ＷＴＲＵ５０２ａは、２つのＲＡＮ５０４、５０５を介して２つのコアネットワーク５０６、５０７にアタッチされ、ＭＲＡ  ＷＴＲＵ５０２ａは、コアネットワーク５０６、５０７の一方または両方を介してＰＤＮ５０９に接続される。コアネットワーク５０６、５０７のそれぞれは、ＮＡＳエンティティ５１２ａ、５１３ａをそれぞれ有する。ＮＡＳエンティティ５１２ａ、５１３ａは、コアネットワーク５０６、５０７を構成するさまざまなネットワークコンポーネントに存在する２つ以上のエンティティを含む。
【００８５】
単一のＮＡＳエンティティ５３４ａが、ＭＲＡ  ＷＴＲＵ５０２ａとコアネットワーク５０６のＮＡＳ５１２エンティティとコアネットワーク５０７のＮＡＳエンティティ５１３との間のＮＡＳレイヤプロトコル４０２を制御する。ＭＲＡ  ＷＴＲＵ５０２ａは、ＰＤＮ５０９に接続される。接続からＰＤＮ５０９へのデータトラフィックは、コアネットワーク５０６、５０７のどちらかまたは両方を通じてルーティングされる。ＮＡＳエンティティ５３４ａは、ＮＡＳエンティティ５１２とＮＡＳエンティティ５１３との間のプロトコルを管理する。
【００８６】
ＲＲＣ５０８ａは、ＲＡＮ５０４、５０５の対応するＲＲＣによって管理される１または複数のＲＡＴを制御するエンティティである。例えば、ＲＲＣ５０８ａは、ＭＲＡ  ＷＴＲＵ５０２ａとＲＡＮ５０４のＲＲＣ５２４との間の接続、およびＭＲＡ  ＷＴＲＵ５０２ａとＲＡＮ５０５のＲＲＣ５２５との間の接続を制御する。例えば、ＭＲＡ  ＷＴＲＵ５０２ａは、ＬＴＥが展開される少なくとも１つの周波数上のエアーインターフェース５１７のＲＲＣ５２５を管理し、ＨＳＰＡのために使用される少なくとも１つの周波数上のエアーインターフェース５１６上のＲＲＣ５２４を同時に管理する単一のＲＲＣ５０８ａを使用する。実施形態において、ＲＲＣ５０８ａは、ＲＡＮ５０４、５０５のそれぞれに対してＲＲＣインスタンスを使用することによってＭＲＡ  ＷＴＲＵ５０２ａと１または複数のＲＡＮ５０４、５０５との間の１または複数のＲＲＣ接続を制御する。
【００８７】
図５Ｂは、ＭＲＡ  ＷＴＲＵ５０２ｂ、ＮＡＳエンティティ５３４ｂ、および２つのＲＲＣエンティティ５０８ｂ、５０９ｂ、エアーインターフェース５１６、５１７、ＲＡＮ５０４、５０５、コアネットワーク５０６、５０７、およびＰＤＮネットワーク５０９を概略的に示す。ＲＲＣ５０８ｂ、５０９ｂは、ＲＡＮ５０４、５０５の対応するＲＲＣによって管理される１または複数のＲＡＴを制御するエンティティである。ＭＲＡ  ＷＴＲＵ５０２ｂは、ＲＡＴ毎に１つのＲＲＣ５０８ｂ、５０９ｂと、１または複数のコアネットワーク５０６、５０７に対して単一のＮＡＳ５３４ｂとを有する。例えば、ＲＲＣ５０８ｂは、ＭＲＡ  ＷＴＲＵ５０２ｂとＲＡＮ５０４のＲＲＣ５２４との間の接続を制御し、ＲＡＮ５０４のＲＡＴは、ＬＴＥであり、ＲＲＣ５０９ｂは、ＭＲＡ  ＷＴＲＵ５０２ｂとＲＡＮ５０５のＲＲＣ５２５との間の接続を制御し、ＲＡＮ５０５のＲＡＴは、ＵＭＴＳ／ＧＰＲＳの一部である。
【００８８】
図５Ｃは、ＭＲＡ  ＷＴＲＵ５０２ｃ、ＮＡＳエンティティ５３４ｃ、５３５ｃ、およびＲＲＣ５０８ｃ、エアーインターフェース５１６、５１７、ＲＡＮ５０４、５０５、コアネットワーク５０６、５０７、およびＰＤＮネットワーク５０９を概略的に示す。ＲＲＣ５０８ｃは、ＲＡＮ５０４、５０５の対応するＲＲＣによって管理される１または複数のＲＡＴを制御するエンティティである。
【００８９】
ＮＡＳエンティティ５３４ｃ、５３５ｃは、ＮＡＳレイヤプロトコル４０２を制御するエンティティである。単一のＮＡＳエンティティ５３４が、ＭＲＡ  ＷＴＲＵ５０２ｃと単一のコアネットワーク５０６、５０７のＮＡＳエンティティとの間のＮＡＳレイヤプロトコル４０２を制御する。例えば、ＮＡＳ５３４ｃが、ＭＲＡ  ＷＴＲＵ５０２ｃとコアネットワーク５０６のＮＡＳ５１２との間のＮＡＳプロトコルを管理し、ＮＡＳ５３５ｃが、ＭＲＡ  ＷＴＲＵ５０２ｃとコアネットワーク５０７のＮＡＳ５１３との間のＮＡＳプロトコルを管理する。ＭＲＡ  ＷＴＲＵ５０２ｃは、３つ以上のＮＡＳエンティティ５３４ｃ、５３５ｃを有し、各ＮＡＳエンティティ５３４ｃ、５３５ｃが、ＭＲＡ  ＷＴＲＵ５０２ｃとコアネットワーク５０６、５０７との間のＮＡＳレイヤプロトコル４０２を管理する。ＮＡＳエンティティ５３４ｃ、５３５ｃは、接続５４０を介して互いに通信して、異なるコアネットワーク５０６、５０７への複数の接続を管理する。例えば、ＭＲＡ  ＷＴＲＵ５０２ｃは、ＰＤＮ５０９に接続される。接続からＰＤＮ５０９へのデータトラフィックおよびＰＤＮ５０９からのデータトラフィックは、コアネットワーク５０６、５０７のどちらかまたは両方を通じてルーティングされる。ＮＡＳエンティティ５３４ｃは、ＮＡＳ５１２によるコアネットワーク５０６を介したＰＤＮ５０９へのトラフィックフローおよびＰＤＮ５０９からのトラフィックフローを管理する。ＮＡＳエンティティ５３５ｃは、ＮＡＳ５１３によるコアネットワーク５０７を介したＰＤＮ５０９へのトラフィックフローおよびＰＤＮ５０９からのトラフィックフローを管理する。ＮＡＳエンティティ５３４ｃ、５３５ｃは、接続５４０を介して互いに通信して、２つの異なるコアネットワーク５０６、５０７を介したＰＤＮ５０９へのトラフィックおよびＰＤＮ５０９からのトラフィックを調整する。例えば、ＮＡＳエンティティ５３４ｃ、５３５ｃは、インタラクションし、すべてのまたは特定のモビリティおよびセッション管理手順を調整する。例えば、コアネットワーク５０６にアタッチされ、ＮＡＳ５１２と通信するＬＴＥ  ＮＡＳ５３５ｃであるＮＡＳエンティティ５３４ｃによるＩＰアドレス／ベアラのアクティブ化／修正／無効化が、ＵＭＴＳ／ＧＰＲＳシステムの一部であり、コアネットワーク５０７にアタッチされ、ＮＡＳ５１３と通信する、ＮＡＳエンティティ５３５ｃに接続５４０上でシグナリングされるかまたは通信される。このようにして、すべてのＮＡＳエンティティ５３４ｃ、５３５ｃが、現在のアクティブなＩＰアドレスおよびベアラ、またはその他のモビリティ管理パラメータおよびセキュリティパラメータで更新される。
【００９０】
図５Ｄは、ＭＲＡ  ＷＴＲＵ５０２ｄ、ＮＡＳエンティティ５３４ｃ、５３５ｃ、およびＲＲＣ接続５０８ｄ、５０９ｄ、エアーインターフェース５１６、５１７、ＲＡＮ５０４、５０５、コアネットワーク５０６、５０７、およびＰＤＮネットワーク５０９を概略的に示す。ＮＡＳエンティティ５３４ｄ、５３５ｄは、ＮＡＳレイヤプロトコル４０２を制御するエンティティである。単一のＮＡＳエンティティ５３４が、ＭＲＡ  ＷＴＲＵ５０２ｄと単一のコアネットワーク５０６、５０７のＮＡＳエンティティとの間のＮＡＳレイヤプロトコル４０２を制御する。ＲＲＣ５０８ｄ、５０９ｄは、ＲＡＮ５０４、５０５の対応するＲＲＣ５２４、５２５によって管理される１または複数のＲＡＴを制御するエンティティである。
【００９１】
図６は、ＭＲＡ動作のためにどのセルにアクセスすべきかを決定することに関してＭＲＡ  ＷＴＲＵ６０２を概略的に示す。図６に示されるのは、ＭＲＡ  ＷＴＲＵ６０２、ユーザ６５０、情報６３２、記憶されたデータ６３０、ＲＡＮ６０４ａ、６０４ｂ、コアネットワーク６０６ａ、６０６ｂ、およびＰＤＮ６０９である。上で検討されたように、セルは、１または複数の基地局６１４ａ、６１４ｂによって提供される地理的領域である。
【００９２】
ＭＲＡ  ＷＴＲＵ６０２は、上述のように、単一のＮＡＳエンティティ５３４または複数のＮＡＳエンティティ５３４を用いて、単一のＲＲＣ５０８接続または複数のＲＲＣ５０８接続を用いて構成される。
【００９３】
ＭＲＡ  ＷＴＲＵ６０２は、ＭＲＡ動作のためにどのセルを選択すべきかを決定するように構成される。ＭＲＡ  ＷＴＲＵ６０２は、ＭＲＡ動作を開始すると決定する前に、またはＭＲＡ動作を開始すると決定した後に、ＭＲＡ動作のためにどのセルを選択すべきかを決定する。ＭＲＡ  ＷＴＲＵ６０２は、ＭＲＡ動作のための第１の接続を確立するための第１のＲＡＴのセルを決定し、ＭＲＡ動作を確立するための第２のＲＡＴのセルを決定し、任意で、第２のＲＡＴに関する第２の接続を確立する。
【００９４】
ＭＲＡ  ＷＴＲＵ６０２は、ＲＡＮ６０４、コアネットワーク６０６、ＰＤＮ６０９、またはその他のネットワークの部分からエアーインターフェース６１６上で受信されるシグナリングを使用して、ＭＲＡ動作のためにどのセルを選択すべきかを決定する。
【００９５】
ＭＲＡ  ＷＴＲＵ６０２は、セルが一部となっている公衆陸上移動ネットワーク（ＰＬＭＮ）に基づいてＭＲＡ動作のためにどのセルを選択すべきかを選択する。例えば、ＭＲＡ  ＷＴＲＵ６０２は、ユーザ６５０とＰＬＭＮとの間の顧客契約の一部であるＰＬＭＮの一部であるセルのみを選択する。
【００９６】
ＭＲＡ  ＷＴＲＵ６０２は、記憶されたデータ６３０に基づいてＭＲＡ動作のためにどのセルを選択すべきかを選択する。記憶されたデータ６３０は、ＭＲＡ  ＷＴＲＵ６０２の取り外し不可能なメモリ１３０もしくは取り外し可能なメモリ１３２の一部としてローカルに記憶されるか、またはＲＡＮ６０４、コアネットワーク６０６、もしくはネットワークのその他の部分の一部であるデータサーバ（図示せず）などのリモートの場所に記憶されている場合にはエアーインターフェース６１６上でＭＲＡ  ＷＴＲＵ６０２によってアクセスされる。
【００９７】
記憶されたデータ６３０は、汎用加入者識別モジュール（ＵＳＩＭ）に関連する。記憶されたデータ６３０は、どのセルがＭＲＡ動作をサポートするかを示す。記憶されたデータ６３０は、どのＰＬＭＮがＭＲＡ動作をサポートするかを示す。記憶されたデータ６３０は、ＭＲＡ動作をサポートするＰＬＭＮのリストと、ＭＲＡ動作をサポートするエリア識別情報のリストと、ＭＲＡ動作をサポートする限定グループ加入者（ＣＳＧ）識別情報のリストと、ＭＲＡ動作をサポートするｅノードＢおよびＲＮＣの識別情報またはその他のネットワークエンティティのリストと、ＭＲＡ動作をサポートするセル識別情報のリストとを含む。記憶されたデータ６３０は、ＭＲＡ動作が異なるＰＬＭＮのセルに渡って、異なるエリア識別子のセルに渡って、異なるＣＳＧ識別子のセルに渡って、ならびに異なるｅノードＢおよびＲＮＣ識別情報のセルに渡って、またはその他のネットワークエンティティのセルに渡ってサポートされるか否かのインジケーションを含む。
【００９８】
記憶されたデータ６３０は、ＰＬＭＮ識別、エリア識別、ＣＳＧ識別、ｅノードＢ／ＲＮＣ識別、およびセル識別に対するＲＡＴタイプおよび／またはＲＡＴのカテゴリーのインジケーションを含む。記憶されたデータ６３０は、ＰＬＭＮ識別、エリア識別、ＣＳＧ識別、ｅノードＢ／ＲＮＣ識別、およびセル識別に対してＭＲＡ動作を開始および／または設定するためにセルがアクセスされるか否かのインジケーションを含む。例えば、記憶されたデータ６３０は、ＰＬＭＮ識別とともに、ＭＲＡ動作が異なるＰＬＭＮのセルに渡って可能であるか否かのインジケーションを含む。別の例として、記憶されたデータ６３０は、ＰＬＭＮによって提供されるＭＲＡのサポートが特定のＲＡＴタイプに基づくか否かのインジケーションを含み、ＰＬＭＮがどのその他のＰＬＭＮとＭＲＡ動作を行うかのインジケーションを含む。記憶されたデータ６３０は、ＰＬＭＮ識別、エリア識別、ＣＳＧ識別、ｅノードＢ／ＲＮＣ識別、およびセル識別に対するＲＡＴタイプを関連付ける。
【００９９】
ＭＲＡ  ＷＴＲＵ６０２は、ＭＲＡ動作をサポートするセルをサーチすることによってＭＲＡ動作のためのセルを特定する。ＭＲＡ  ＷＴＲＵ６０２は、エアーインターフェース６１６上で受信された情報６３２に基づいて、セルがＭＲＡ動作をサポートするか否かを決定し、任意で、記憶されたデータ６３０をサーチに使用する。例えば、ＭＲＡ  ＷＴＲＵ６０２は、セルがＭＲＡ動作をサポートしないことを示す記憶されたデータ６３０に含まれる情報に基づいてセルを除外する。情報６３２は、１または複数のセルがＭＲＡ動作をサポートするか否かを示すＲＡＮ６０４またはコアネットワーク６０６からのシステム情報ブロードキャスティングである。
【０１００】
サーチは、ＭＲＡ  ＷＴＲＵ６０２が実行している初期セル選択手順の一部、またはセル再選択手順の一部である。ＭＲＡ  ＷＴＲＵ６０２は、ＭＲＡ  ＷＴＲＵ６０２がアイドルなどの特定のモードにあるときにＭＲＡ動作をサポートするセルをサーチするのみである。ＭＲＡ  ＷＴＲＵ６０２は、１または複数のＲＡＴに対してシーケンシャルにかまたは同時にかのどちらかでサーチを行う。ＭＲＡ  ＷＴＲＵ６０２は、１または複数のセルに対して逐次的にかまたは同時にかのどちらかでサーチを行う。
【０１０１】
ＭＲＡ  ＷＴＲＵ６０２は、記憶されたデータ６３０でのサーチの結果を記憶し、記憶されたサーチ結果に基づいて、セルがＭＲＡ動作をサポートするか否かを決定する。ＭＲＡ  ＷＴＲＵ６０２は、ＭＲＡ動作を開始しようと試みる前に２つ以上のＲＡＴタイプに関するＭＲＡ動作をサポートする少なくとも１つのセルをサーチし、発見する。ＭＲＡ  ＷＴＲＵ６０２は、独立してか、あるいはＲＡＮ６０４もしくはコアネットワーク６０６、またはＰＤＮ６０９などのその他のネットワークの部分からエアーインターフェース６１６上で受信される要求に基づいてか、のどちらかでＭＲＡ動作を開始しようと試みる。
【０１０２】
ＭＲＡ  ＷＴＲＵ６０２は、ＭＲＡ動作のための１または複数のセルを特定するためにサーチを１回または複数回繰り返す。ＭＲＡ  ＷＴＲＵ６０２は、ＭＲＡ動作をサポートする１または複数のセルをサーチし、発見し、発見されたセルをランク付けする。例えば、セルは、記憶されたデータ６３０内に記憶された構成されたＵＳＩＭ内に記憶されたランキングデータに従ってランク付けされる。
【０１０３】
ＭＲＡ  ＷＴＲＵ６０２は、セルからのメッセージを監視し、監視されたメッセージに基づいてセルがＭＲＡ動作をサポートするか否かを決定することによって、サーチを実行する。例えば、セルから受信されるシステム情報ブロードキャスティングメッセージが、ＭＲＡインジケータを含む。その他の例において、ＭＲＡ  ＷＴＲＵ６０２は、セルがＭＲＡ動作をサポートするか否かを決定するために、別のＭＲＡ  ＷＴＲＵ６０２およびセルへの情報６３２ならびに別のＭＲＡ  ＷＴＲＵ６０２およびセルからの情報６３２を監視する。
【０１０４】
ＭＲＡ  ＷＴＲＵ６０２は、セル上でＭＲＡ動作を開始しようと試みることによってサーチを実行し、セルからの応答に基づいて、セルがＭＲＡ動作をサポートするか否かを決定する。
【０１０５】
ＭＲＡ  ＷＴＲＵ６０２は、記憶されたデータ６３０内のＵＳＩＭの構成に基づいてサーチを実行する。例えば、記憶されたデータ６３０は、セルの有限の組のみがサーチされるべきであること、サーチが所定の回数だけ繰り返されるべきであること、サーチとサーチの間に所定の時間が置かれるべきであること、またはサーチが所定の時間だけ実行されるべきであることを示す。別の例において、記憶されたデータ６３０は、ＭＲＡ動作のために必要とされるセルが見つかるまでの間だけサーチが実行されるべきであることを示す。
【０１０６】
ＭＲＡ  ＷＴＲＵ６０２は、第１のセル６０４ａを介してコアネットワーク６０６にアタッチし、次に、別のセルがＭＲＡ動作をサポートするか否かを示すネットワークの部分と通信することによって、サーチを実行する。例えば、ＭＲＡ  ＷＴＲＵ６０２は、第１のＲＡＴ上の第１のセル６０４ａを介してコアネットワーク６０６ａのＮＡＳ６１２ａにアタッチし、ＭＭＥ、ＳＧＷ、ＰＧＷ、ＳＧＳＮ、もしくはＰＣＲＦ、またはその他のコアネットワーク６０６ａのエンティティであるＮＡＳエンティティ６１２ａから、異なるＲＡＴを用いる別のセルがＭＲＡ動作をサポートするというインジケーションを受信する。ＭＲＡ  ＷＴＲＵ６０２は、ＭＲＡ動作をサポートしないセルを介してＮＡＳ６１２ａにアタッチし、ＭＲＡ動作をサポートするセルをサーチするのに役立つ情報６３２を要求するかまたは受信することによって、サーチを実行する。ＭＲＡ  ＷＴＲＵ６０２は、ＭＲＡ動作をサポートする第１のＲＡＴ上の第１のセルを介してＮＡＳ６１２ａにアタッチすることによってサーチを実行し、次いで、ＭＲＡ動作をサポートする第２のＲＡＴ上の第２のセルをサーチする。ＭＲＡ  ＷＴＲＵ６０２は、たとえアタッチするときにＭＲＡ  ＷＴＲＵ６０２がＭＲＡ動作を開始することを意図しないとしても、ＭＲＡ動作をサポートするセルを介してアタッチすることを優先する。
【０１０７】
ＭＲＡ  ＷＴＲＵ６０２は、ＭＲＡ動作のサポートを示すネットワークからの情報６３２を受信する。情報６３２は、システム情報、ＢＣＣＨ、またはシステム情報ブロック（ＳＩＢ）などのブロードキャスト信号から受信される。情報６３２は、ＮＡＳメッセージまたはＲＲＣメッセージなどからの専用シグナリングである。以下、すなわち、アタッチ受諾と、ベアラリソース割り当て、およびベアラリソース割り当て修正手順などのセッション管理メッセージと、デフォルト／専用ベアラアクティブ化、およびベアラコンテキスト修正などのＰＤＮ接続性要求メッセージとは、情報６３２を含む専用シグナリングメッセージのいくつかの例である。
【０１０８】
情報６３２は、ＲＲＣＣｏｎｎｅｃｔｉｏｎＲｅｃｏｎｆｉｇｕｒａｔｉｏｎメッセージなどのＲＲＣ６２４メッセージなどの専用シグナリングメッセージから受信される。専用シグナリングメッセージは、ＭＲＡ動作を構成する要求である。情報６３２を含むメッセージのその他の例は、ＯＭＡ  ＤＭ、ＯＴＡ、またはＡＮＤＳＦである。
【０１０９】
情報６３２は、ページングメッセージで受信される。情報６３２は、ＰＬＭＮ識別、エリア識別、ＣＳＧ識別、ｅノードＢ／ＲＮＣ識別、セル識別、トラッキングエリアのセル、ルーティングエリアのセル、ロケーションエリアのセル、ＭＭＥ、ＳＧＳＮ、またはＭＳＣ／ＶＬＲなどの特定のコアネットワークノードに対するＭＲＡ動作のサポートのインジケーションを含む。例えば、情報６３２は、システム情報のブロードキャストがＭＲＡ  ＷＴＲＵ６０２によって受信される現在のセルがＭＲＡ動作をサポートすることを示す。加えて、情報６３２は、ＭＲＡ動作が現在のＰＬＭＮとは異なるＰＬＭＮに対してサポートされるか否かのインジケーションを含む。
【０１１０】
情報６３２は、ＭＲＡ  ＷＴＲＵ６０２がＭＲＡ動作をサポートするセルを使用するための優先度または好ましい順番を示す。優先度または好ましい順序は、ＭＲＡ動作をサポートするセルがＭＲＡ  ＷＴＲＵ６０２に送信される順序によって示される。情報６３２は、ＭＲＡ動作をサポートするセル上でＭＲＡを使用することをＭＲＡ  ＷＴＲＵ６０２が許されるか否かを示さない。ＭＲＡ  ＷＴＲＵ６０２は、例えば、ＮＡＳプロトコル上でネットワークエンティティから来る異なる情報６３２で、ＭＲＡ  ＷＴＲＵ６０２がＭＲＡ動作をサポートするセルを使用するかどうかのインジケーションを受信する。
【０１１１】
ＭＲＡ  ＷＴＲＵ６０２は、以下、すなわち、現在アタッチされているセルに対してＭＲＡがサポートされるかどうか、現在のＰＬＭＮに対してＭＲＡがサポートされるかどうか、近隣のセルに対してＭＲＡがサポートされるかどうか、およびＭＲＡ動作が開示される可能性があるか否か、のうちの１または複数をユーザ６５０に対して表示する。ＭＲＡ  ＷＴＲＵ６０２は、ユーザ６５０がＭＲＡ  ＷＴＲＵ６０２のＭＲＡ動作をオンまたはオフすることを可能にするインターフェースをユーザ６５０に提供する。ＭＲＡ  ＷＴＲＵ６０２は、ユーザがＭＲＡ  ＷＴＲＵ６０２がＭＲＡ動作をサポートするセルをサーチすることをオンまたはオフすることを可能にするインターフェースをユーザ６５０に提供する。ＭＲＡ  ＷＴＲＵ６０２は、一部のモビリティポリシー（ｍｏｂｉｌｉｔｙ  ｐｏｌｉｃｙ）を適用するために、ＭＲＡ動作がサポートされるか否かのインジケーションを必要とするＡＮＤＳＦクライアントなどの上位レイヤにＭＲＡ動作に関連する情報を提供する。
【０１１２】
ＭＲＡ  ＷＴＲＵ６０２は、自律的にＭＲＡ動作を要求するか、またはＭＲＡ動作に入る要求をネットワークエンティティから受信することに応じてＭＲＡ  ＷＴＲＵ６０２がＭＲＡ動作を開始するか、のどちらかである。例えば、ＭＲＡ  ＷＴＲＵ６０２は、ＡＰＮへの接続を要求し、次いで、ＡＰＮがＭＲＡ動作を開始し、ＭＲＡ  ＷＴＲＵ６０２がＭＲＡ動作に入ることを要求する。その他の例は、ＭＲＡ  ＷＴＲＵ６０２が特定のＱｏＳ、ＩＰアドレス、またはＣＳ通話、ＳＭＳ、もしくはＳＳなどのサービスを要求することを含み、これらの場合のそれぞれで、ネットワークエンティティは、ＭＲＡ  ＷＴＲＵ６０２がＭＲＡ動作に入るべきであると決定する。
【０１１３】
ＭＲＡ  ＷＴＲＵ６０２は、２つ以上の異なるＲＡＴに関するＭＲＡ動作をサポートする１または複数のセルを特定した後、ＭＲＡ動作に入ると決定する。ＭＲＡ  ＷＴＲＵ６０２は、以下、すなわち、１または複数のセルが同じＰＬＭＮである場合、１または複数のセルのＰＬＭＮがＲＡＴに固有である場合、１または複数のセルに関するＣＳＧ識別がＭＲＡのサポートを示す場合、１または複数のセルが異なるＰＬＭＮであるが、異なるＰＬＭＮがＭＲＡのＰＬＭＮ間のサポートをサポートする場合のいずれかに基づいてＭＲＡ動作に入ると決定する。
【０１１４】
ＭＲＡ  ＷＴＲＵ６０２は、構成である記憶されたデータ６３０内のデータに基づいてＭＲＡ動作を開始する。ＭＲＡ  ＷＴＲＵ６０２は、以下のうちの１または複数に基づいてＭＲＡ動作を開始する、つまり、常に要求ＭＲＡ動作を開始し、ＭＲＡ  ＷＴＲＵ６０２が最後に使用されたときにＭＲＡ動作中であったことに基づいてＭＲＡ動作を開始し、ユーザ６５０がＭＲＡ動作を要求することに応答してＭＲＡ動作を開始し、ユーザ６５０がＭＲＡ  ＷＴＲＵ６０２の構成を変更することに応答してＭＲＡ動作を開始し、ユーザ６５０の動作を満足することに応答して新しいサービスが開始されることに応じてＭＲＡ動作を開始する。
【０１１５】
ＭＲＡ  ＷＴＲＵ６０２がＭＲＡ動作を開始するが、ネットワークエンティティがＭＲＡ動作を拒否する。例えば、ＨＳＳエンティティが、コアネットワーク６０６におけるＭＲＡ  ＷＴＲＵ６０２に関連する加入情報に基づいてＭＲＡ動作を拒絶する。ＭＲＡ  ＷＴＲＵ６０２は、以下、すなわち、第２のＲＡＴを示す第１のＲＡＴへのアタッチ手順において、モビリティまたはセッション管理などの専用ＮＡＳ手順、追加の無線ベアラリソースを要求するとき、および音声サービスなどのサービスを要求し、第１のＲＡＴがＣＳ音声サービスをサポートしないときのうちの１または複数に応じてＭＲＡ動作を開始する。
【０１１６】
ＭＲＡ  ＷＴＲＵ６０２は、ＲＲＣに基づく要求の間にＭＲＡ動作を開始する。例えば、ＭＲＡ  ＷＴＲＵ６０２は、第１のＲＡＴ上でのＲＲＣ接続確立手順の間に第２のＲＡＴに関するＭＲＡ動作のネットワークへの要求を開始する。例えば、ＭＲＡ  ＷＴＲＵ６０２の上位レイヤが、ＮＡＳメッセージが第２のＲＡＴ（例えば、ＤｅｄｉｃａｔｅｄＩｎｆｏＮＡＳＯｔｈｅｒＲＡＴ情報要素）に関連するコアネットワークエンティティに向けたＭＲＡコンテナを含むように、ＭＲＡに関連するメッセージのルーティングを要求する。
【０１１７】
例えば、ＭＲＡ  ＷＴＲＵ６０２は、例えば、初期コンテキスト設定／ＲＡＢおよび／または設定／ＲＡＢ修正がＲＲＣ接続の再構成につながるときに、ＭＲＡ動作の設定を要求するＲＲＣメッセージをトリガーするデフォルトおよび専用ベアラの確立を要求する。
【０１１８】
ＭＲＡ  ＷＴＲＵ６０２は、既存のＲＲＣおよび／またはＮＡＳ接続上でＭＲＡ動作の要求を送信する。ＷＴＲＵは、ＭＲＡの要求を送信したとき、第２のＲＡＴのセルにおけるページングを監視する。ページングが第２のＲＡＴのセルから受信されるとき、ＭＲＡ  ＷＴＲＵ６０２は、関係のあるセルの無線リソースを使用するＭＲＡ動作のために第２のＲＡＴへの最初のアクセスを開始する。一例において、第２のＲＡＴからのページング要求は、ＣＳ音声サービスのためのものである。
【０１１９】
図７は、ＭＲＡ動作を開始するためのネットワークからのメッセージを受信するＷＴＲＵ６０２を概略的に示す。図７は、ＭＲＡ  ＷＴＲＵ６０２、ＡＳ６０４、およびＮＡＳ６０６を示す。ＡＳ６０４は、メッセージが、図４に関連して検討されたＡＳレイヤプロトコル４０４を使用してネットワークエンティティから生じていることを表す。ＮＡＳ６０６は、メッセージが、図４に関連して検討されたＮＡＳレイヤプロトコル４０６を使用してネットワークエンティティから生じていることを表す。
【０１２０】
ＭＲＡ  ＷＴＲＵ６０２は、ＭＲＡ動作を開始するためのネットワークからのメッセージ７０２、７０３を受信することに応答してＭＲＡ動作を開始する（７０５）。ネットワークからのメッセージ７０２、７０３は、ＭＲＡ  ＷＴＲＵ６０２からネットワークに送信されるメッセージ７０１に応答するものである。ネットワークからのメッセージは、ＡＳ６０４レイヤプロトコルかまたはＮＡＳ６０６レイヤプロトコルかのどちらかを使用するエンティティからのものである。
【０１２１】
例えば、ＭＲＡ  ＷＴＲＵ６０２が、メッセージ７０１によって第１のＲＡＴのセルを介してコアネットワークにアタッチしており、そのとき、ネットワークは、ＭＲＡ  ＷＴＲＵ６０３が第２のＲＡＴ上でＭＲＡ動作を開始することを要求するＮＡＳに基づくメッセージ７０２を送信する。ＮＡＳに基づくメッセージ７０２は、モビリティ管理またはセッション管理に関連するコアネットワーク６０６エンティティからのものである。コアネットワーク６０６エンティティは、メッセージ７０１を受信済みである。そして、ＭＲＡ  ＷＴＲＵ６０２は、ＮＡＳに基づくメッセージ７０２に応答してＭＲＡ動作を開始する（７０４）。
【０１２２】
別の例として、ＭＲＡ  ＷＴＲＵ６０２は、第１のＲＡＴのセルに関するＲＲＣ接続確立または再構成手順中であり、メッセージ７０１は、確立または再構成手順の一部であり、そのとき、ネットワークは、ＭＲＡ  ＷＴＲＵ６０３が第２のＲＡＴ上でＭＲＡ動作を開始することを要求するＡＳに基づくメッセージ７０３を送信する。そして、ＭＲＡ  ＷＴＲＵ６０２は、メッセージ７０３に応答してＭＲＡ動作を開始する（７０４）。
【０１２３】
別の例として、ＭＲＡ  ＷＴＲＵ６０２は、ネットワークに登録しており、ＭＲＡ  ＷＴＲＵ６０３がＭＲＡ動作をサポートすることを既に示してある。ＭＲＡ  ＷＴＲＵ６０３は、ＭＲＡ動作のための構成、またはＭＲＡ動作がサポートされるというネットワークからのインジケーションを既に受信している。そのとき、ネットワークは、ＭＲＡ動作に入ることをＭＲＡ  ＷＴＲＵ６０３に示すページングメッセージであるＡＳに基づくメッセージ７０３を送信する。そして、ＭＲＡ  ＷＴＲＵ６０２は、メッセージ７０３に応答してＭＲＡ動作を開始する（７０４）。
【０１２４】
別の例として、ＭＲＡ  ＷＴＲＵ６０２は、ネットワークに登録しており、ＭＲＡ  ＷＴＲＵ６０２がＭＲＡ動作をサポートすることを既に示している。そのとき、ネットワークは、ＭＲＡ動作に入ることをＭＲＡ  ＷＴＲＵ６０２に示すページングメッセージであるＡＳに基づくメッセージ７０３を送信する。ページングメッセージは、ＮＡＳ６０６プロトコル上でネットワークエンティティから既に発せられている。そして、ＭＲＡ  ＷＴＲＵ６０２は、メッセージ７０３に応答してＭＲＡ動作を開始する（７０４）。
【０１２５】
別の例において、ＭＲＡ  ＷＴＲＵ６０３は、第１のＲＡＴのセルにおいてページングメッセージ７０３であるＡＳに基づくメッセージ７０３を受信する。ＭＲＡ  ＷＴＲＵ６０２は、ページングメッセージ７０３を受信するとき、コアネットワーク６０６に登録され、ＭＲＡ  ＷＴＲＵ６０２がＭＲＡ動作をサポートすることを既に示している。ＭＲＡ  ＷＴＲＵ６０３は、アクティブなＲＲＣ接続を持たない。そして、ＭＲＡ  ＷＴＲＵ６０２は、メッセージ７０３に応答して第１のセルにおいてＭＲＡ動作を開始する（７０４）。
【０１２６】
別の例において、ＭＲＡ  ＷＴＲＵ６０３は、第２のＲＡＴのセルにおいてページングメッセージ７０３であるＡＳに基づくメッセージ７０３を受信する。ＭＲＡ  ＷＴＲＵ６０２は、ページングメッセージ７０３を受信するとき、少なくとも第１のＲＡＴに接続されるか、またはＭＲＡ  ＷＴＲＵ６０２は、第１のＲＡＴにおいてページングメッセージ７０３を既に受信しているが、第１のＲＡＴにまだ接続していない。そして、ＭＲＡ  ＷＴＲＵ６０２は、メッセージ７０３に応答して第２のセルにおいてＭＲＡ動作を開始する（７０４）。
【０１２７】
別の例として、ＭＲＡ  ＷＴＲＵ６０２は、例えば、ＥＵＴＲＡセルかまたはＵＴＲＡＮ／ＧＰＲＳセルかのどちらかを使用する確立されたＲＲＣ接続を有する。メッセージ７０１は、ＲＲＣ接続の確立の一部である。ＭＲＡ  ＷＴＲＵ６０２は、ｅノードＢもしくはノードＢまたはＲＮＣなどのＲＡＮエンティティによって開始されるＡＳに基づくメッセージ７０３を受信する。そして、ＭＲＡ  ＷＴＲＵ６０２は、メッセージ７０３に応答して第２のセルにおいてＭＲＡ動作を開始する（７０４）。
【０１２８】
別の例として、ＭＲＡ  ＷＴＲＵ６０２は、例えば、ＭＲＡ  ＷＴＲＵ６０２の機能情報の交換の一部としてＭＲＡ動作のサポートを示す。メッセージ７０１は、ＭＲＡのサポートのインジケーションの一部である。ＭＲＡ  ＷＴＲＵ６０２は、ｅノードＢもしくはノードＢまたはＲＮＣなどのＲＡＮエンティティによって開始されるＡＳに基づくメッセージ７０３を受信する。そして、ＭＲＡ  ＷＴＲＵ６０２は、メッセージ７０３に応答して第２のセルにおいてＭＲＡ動作を開始する（７０４）。
【０１２９】
別の例として、ＭＲＡ  ＷＴＲＵ６０２は、ＲＲＣ接続を要求し、確立理由をある値に設定する。例えば、ＭＲＡ動作の要求を示すために新しい確立理由が定義される。この確立理由は、ＭＲＡ動作を開始するための上位レイヤのトリガーの結果として上位レイヤ（例えば、ＮＡＳ）によって与えられる。メッセージ７０１は、ＲＲＣ接続の要求の一部である。ＭＲＡ  ＷＴＲＵ６０２は、ｅノードＢもしくはノードＢまたはＲＮＣなどのＲＡＮエンティティによって開始されるＡＳに基づくメッセージ７０３を受信する。そして、ＭＲＡ  ＷＴＲＵ６０２は、メッセージ７０３に応答して第２のセルにおいてＭＲＡ動作を開始する（７０４）。
【０１３０】
別の例として、ＭＲＡ  ＷＴＲＵ６０２は、「モバイル発信（ＭＯ）ＣＳ通話」、「モバイル終端（ＭＴ）ＣＳ通話」、「継続中のパケット交換（ＰＳ）をともなうＭＯ  ＣＳ通話」、または「継続中のＰＳをともなうＭＴ  ＣＳ通話」として確立理由を送信する。メッセージ７０１は、確立理由の送信の一部である。ＭＲＡ  ＷＴＲＵ６０２は、ｅノードＢもしくはノードＢまたはＲＮＣなどのＲＡＮエンティティによって開始されるＡＳに基づくメッセージ７０３を受信する。そして、ＭＲＡ  ＷＴＲＵ６０２は、メッセージ７０３に応答して第２のセルにおいてＭＲＡ動作を開始する（７０４）。
【０１３１】
例において、ＭＲＡ  ＷＴＲＵ６０２は、第２のＲＡＴを用いる第２のセルにキャンプ（ｃａｍｐ）しており、第２のＲＡＴからのページングメッセージ７０３としてＡＳに基づくメッセージ７０３を受信する。例えば、ＭＲＡ  ＷＴＲＵ６０２は、第１のＲＡＴに接続される。そのとき、ＭＲＡ  ＷＴＲＵ６０２は、メッセージ７０３に応答して第２のセルにおいてＭＲＡ動作を開始して（７０４）、第２のＲＡＴへの接続を開始する。例において、ＭＲＡ  ＷＴＲＵ６０２は、接続がＭＲＡ  ＷＴＲＵ６０２に対して良好であるに違いないことを示す測定レポートを有するセルなどの、第２のＲＡＴのための異なるセルに移動するためのハンドオーバ要求を受信する。
【０１３２】
メッセージ７０２もしくはメッセージ７０３の一部として、または別のメッセージとして、ＭＲＡ  ＷＴＲＵ６０２は、ＷＴＲＵが現在接続されていない第２のＲＡＴに関する周波数に関連する（例えば、ＲＡＴ間）測定値を含むＲＲＣ構成を受信する。例において、測定レポートが、禁止タイマーに関連付けられる。例えば、関係のあるイベントによってトリガーされる測定レポートがタイマーを開始し、タイマーが動いている間、ＭＲＡ  ＷＴＲＵ６０２は、関係のあるイベントに関するさらなる測定レポートをトリガーすることを許されない。例において、測定レポートは、その適用可能性を制限するための何らかの規則に関連付けられ、例えば、それは、ＭＲＡ  ＷＴＲＵ６０２がアクティブにスケジューリングされる期間中にのみ測定レポートをトリガーする。例えば、ＬＴＥのｅノードＢが、ＵＴＲＡの周波数に関するＲＡＴ間測定を構成する。
【０１３３】
例において、メッセージ７０２またはメッセージ７０３の一部として、ＭＲＡ  ＷＴＲＵ６０２は、第２のＲＡＴの周波数上のＭＲＡ動作をサポートするセルの近さを検出する手順に関する構成を受信する。
【０１３４】
例において、ＭＲＡ  ＷＴＲＵ６０２は、メッセージ７０２、７０３を受信する前かまたは後かのどちらかに、第２のＲＡＴのセルに関して測定された無線リンク品質がＭＲＡ動作に好適であることを示す測定レポートを送信する。例において、ＭＲＡ  ＷＴＲＵ６０２は、第２のＲＡＴのセルがＭＲＡ動作に好適であると決定した場合に測定レポートを送信するのみである。
【０１３５】
例において、ｅノードＢもしくはノードＢまたはＲＮＣなどのＲＡＮエンティティは、ＭＲＡ  ＷＴＲＵ６０２がＭＲＡ動作を開始すべきであると決定し、ＲＡＮエンティティは、ＭＲＡ動作、例えばＭＭＥおよび／またはＳＧＳＮのためのコアネットワークの関連付けを開始し、および／または要求する。コアネットワークの関連付けは、本明細書において説明される原理に従って実行される。したがって、たとえＡＳプロトコルの一部であるエンティティが、ＭＲＡ  ＷＴＲＵ６０２がＭＲＡを開始すべきであると決定するとしても、ＭＲＡ  ＷＴＲＵ６０２によって受信されるメッセージはＮＡＳに基づくメッセージ７０２である。
【０１３６】
例において、メッセージ７０４の後、ＭＲＡ  ＷＴＲＵ６０２は、ＮＡＳエンティティまたはＲＲＣエンティティによってＭＲＡ動作のために構成される。例えば、以下で説明される複合アタッチ手順が使用される。
【０１３７】
ＷＴＲＵは、ＭＲＡ動作をサポートする少なくとも１つの好適なＥＵＴＲＡＮセルと、さらに場合によっては少なくとも１つの好適なＵＴＲＡＮセルの候補とを特定する。
【０１３８】
図８は、ｅＵＴＲＡ（ＬＴＥ）ＲＡＴに関する例示的な複合アタッチ手順８００のフロー図である。ＷＴＲＵ８０２は、本明細書において開示される理由のいずれかに基づいて複合アタッチ手順を開始する。
【０１３９】
図８の８５０において、ＷＴＲＵ８０２が、（ＭＲＡに対応した）ＥＵＴＲＡＮセルを使用して２つ以上のＲＡＴ（例えば、ＥＵＴＲＡＮおよびＵＴＲＡＮ／ＧＥＲＡＮ）上のＭＲＡ動作のためにＷＴＲＵ８０２を登録するためのアタッチ要求メッセージを送信する。
【０１４０】
ＭＲＡのためのアタッチ要求に関する新しいアタッチタイプが、標準的なアタッチタイプに追加される。新しいアタッチタイプは、以下、すなわち、ＧＰＲＳをともなう複合ＥＰＳ／国際移動体加入者識別番号（ＩＭＳＩ）（つまり、ＬＴＥ  ＰＳおよびＵＴＲＡＮ／ＧＥＲＡＮ  ＰＳ／ＣＳへの登録）のためのタイプ１）、例えば、「複合ＥＰＳ／ＧＰＲＳ／ＩＭＳＩアタッチ」タイプ、または、複合ＥＰＳおよびＧＰＲＳ（つまり、ＬＴＥ  ＰＳおよびＵＴＲＡＮ／ＧＥＲＡＮ  ＰＳへの登録）のためのタイプ２）、例えば、「複合ＥＰＳ／ＧＰＲＳアタッチ」タイプのうちの一方または両方を含む。
【０１４１】
ＷＴＲＵ８０２は、例えば、ＭＲＡ動作のためのアタッチ要求で上記タイプのうちの１つを使用して、例えば、ＵＴＲＡＮ  ＰＳおよびＬＴＥ  ＰＳのためにＧＰＲＳ／ＥＰＳを使用するか、またはＵＴＲＡＮ  ＰＳ／ＣＳおよびＬＴＥ  ＰＳのためにＧＰＲＳ／ＩＭＳＩ／ＥＰＳを使用する、所望のトラフィックのタイプのドメインの両方のＲＡＴネットワークにアタッチできることをネットワークに示す。タイプ情報要素のさらなる例については図２３を参照されたい。
【０１４２】
加えて、異なるＲＡＴの選択されたセルが異なるＣＳＧおよび／またはＰＬＭＮに関連する場合、例えば、ＥＵＴＲＡＮセルのＰＬＭＮがＵＴＲＡＮセルのＰＬＭＮと異なる場合、ＷＴＲＵ８０２は、アタッチ要求メッセージにＵＴＲＡＮのＰＬＭＮ識別をさらに含める。
【０１４３】
例において、ＷＴＲＵ８０２は、例えば、ＰＬＭＮのサーチにより導出され、おそらくは他方のＲＡＴに関してＷＴＲＵ８０２が見ることができるすべてのＰＬＭＮを列挙する他方のＲＡＴからのＰＬＭＮ識別のリストをアタッチ要求メッセージ８５０に含める。例において、ＷＴＲＵ８０２は、他方のＲＡＴに関するＰＬＭＮを選択し、選択をＭＭＥに伝える。例において、ＷＴＲＵ８０２は、他方のＲＡＴに関するＰＬＭＮの優先順位のリストを提供し、優先順位が付けられたリストをＭＭＥに与える。そのとき、ＭＭＥは、優先順位が付けられたリストに基づいてＭＳＣ／ＶＬＲを選択し、アタッチが失敗する場合は、アタッチを試みるために、優先順位が付けられたリストに基づいて別のＭＳＣ／ＶＬＲを選択する。
【０１４４】
図８の８５２において、ＥＵＴＲＡＮおよびＷＴＲＵ８０２の認証およびキー合意手順が、ＭＭＥと、ＨＳＳ／ＨＬＲと、ＷＴＲＵ８０２との間で実行される。アタッチするＷＴＲＵ８０２が、完全に認証される。
【０１４５】
図８の８５４において、ＭＭＥとＷＴＲＵ８０２との間の相互ルートキー（ｍｕｔｕａｌ  ｒｏｏｔ  ｋｅｙ）ＫＡＳＭＥが、ＥＵＴＲＡＮのＮＡＳおよびＡＳのための後続のセキュリティキーがＬＴＥ  ＲＡＴ上の動作のためにＷＴＲＵ８０２およびＭＭＥにおいてＫＡＳＭＥから別々に導出されるように合意される。
【０１４６】
図８の８５６において、ＷＴＲＵ８０２が、ＥＵＴＲＡＮにアタッチする。例においては、アタッチ手順８５６が、以下のように実行される。ＷＴＲＵ８０２が前に適切にデタッチせずに同じＭＭＥ８０６に再アタッチする場合に起こる、ＷＴＲＵ８０２に関してＭＭＥ８０６にアクティブなベアラコンテキストが存在する場合、ＭＭＥ８０６は、これらのベアラコンテキストを削除するようにＳＧＷ８０８、ＰＧＷ８１２、およびＰＣＲＦ（図示せず）に指示する。ＭＭＥ８０６は、ＨＳＳ８１４に対する位置更新手順を開始し、この位置更新手順の結果、古いＭＭＥ８０６からＭＭ（モビリティ管理）およびベアラコンテキストが削除され、必要に応じて、ＳＧＷ８０８、ＰＧＷ８１２、およびＰＣＲＦからこのＷＴＲＵ８０２のあらゆるアクティブなベアラが削除される。ＭＭＥ８０６は、ＳＧＷ８０６（サービングＧＷ）、ＰＧＷ８１２（パケットデータネットワークＧＷ）、およびＰＣＲＦに対して、アタッチ要求メッセージの内容によって必要とされる新しいベアラコンテキストのアクティブ化を開始する。
【０１４７】
ＭＭＥ８０６は、ＷＴＲＵ８０２が現在そのサービスを受けているＨＳＳ８１４を更新し、ＨＳＳ８１４からＷＴＲＵ８０２の加入者情報を取得する。次いで、ＭＭＥ８０６は、ＩＰアドレスの割り当てがＬＴＥにおけるアタッチ手順の一部として発生するので、ＳＧＷ８０８またはＰＧＷ８１２へのＷＴＲＵ８０２のＰＤＮ接続を生成する。
【０１４８】
アタッチタイプがＩＭＳＩアタッチを含む場合、ＭＭＥ８０６は、（例えば、ＬＴＥアタッチ要求メッセージに含まれるＴＡＩから変換することによって）ＷＴＲＵ８０２にＬＡＩを割り当てる。選択されたＰＬＭＮ  ＩＤが、ＭＳＣ／ＶＬＲ．８１０に送信される新しいＬＡＩに含まれる。ＣＳドメインで複数のＰＬＭＮが利用可能である場合、ＭＭＥ８０６は、ＷＴＲＵ８０２から受信された選択されたＰＬＭＮ情報、現在のＴＡＩ、古いＬＡＩ、およびＣＳドメインのための好ましいＲＡＴに関するオペレータの選択ポリシーに基づいて、ＣＳドメインのためのＰＬＭＮの選択を実行する。
【０１４９】
図８の８５８において、次に、ＭＭＥ８０６が、位置更新要求（新しいＬＡＩ、ＩＭＳＩ、ＭＭＥ名、位置更新タイプ、およびＭＲＡ動作のインジケーション）メッセージをＭＳＣ／ＶＬＲ８１０に送信して、アタッチするＷＴＲＵ８０２のためのＣＳサービスのためにＭＳＣ８１０を準備する。ＭＳＣ／ＶＬＲ８１０は、ＭＭＥ８０６の名前を記憶することによってＭＭＥ８０６との関連付けを生成する。ＶＬＲ８１０は、ＷＴＲＵ８０２を、ＬＡに対するその地域加入またはアクセス制限に関して調べる。ＭＭＥ８０６は、ＷＴＲＵ８０２から受信される選択されたＰＬＭＮおよびＷＴＲＵ８０２からのＰＬＭＮポリシーに基づいて、位置更新要求を送信すべきＭＳＣ８１０を選択する。
【０１５０】
図８の８６０において、ＭＳＣ８１０が、ＨＬＲ／ＨＳＳ８１４とのＣＳドメインの位置更新手順を実行する。図８の８６２において、次に、ＭＳＣ／ＶＬＲ８１０が、（ＶＬＲ８１０にＷＴＲＵ８０２がＵＴＲＡＮ  ＣＳドメインで、つまり、ＭＲＡモードで動作するためのＴＭＳＩが割り振られるようにして）位置更新受諾メッセージでＭＭＥ８０６に応答する。任意で、ＭＳＣ／ＶＬＲ８１０は、ＭＭＥ８０６を介してＣＳサービスのためのＩＭＳＩアタッチを受け付けるが、ＭＲＡのためのＩＭＳＩアタッチは受け付けない。ＭＳＣ／ＶＬＲ８１０は、例えば、ＨＳＳ８１４からの加入情報に基づいてＭＲＡを受け付けない。したがって、ＭＭＥ８０６に返される位置更新受諾メッセージ８６２は、ＩＭＳＩアタッチがＭＲＡのためのものであるのか、またはＣＳＦＢもしくはＳＭＳのみなどの現在のＣＳサービスのためのものであるのかを示す。この情報も、アタッチ受諾メッセージでＷＴＲＵ８０２に渡される。
【０１５１】
位置更新受諾メッセージ８６２ではなく、ＭＳＣ／ＶＬＲ８１０が、位置更新拒否をＭＭＥ８０６に送信する場合、ＭＭＥ８０６は、ＷＴＲＵ８０２から受信されたＣＳドメインのためのＰＬＭＮのリストに基づいて別のＭＳＣ／ＶＬＲ８１０を選択する。利用可能な別のＭＳＣ／ＶＬＲ８１０が存在しない。そのとき、ＭＭＥ８０６は、以下のように位置更新手順を実行する。
【０１５２】
拒否コードが「選択されたＰＬＭＮでローミングが許可されていない」である場合、ＭＭＥ８０６は、ＣＳドメインのための別のＰＬＭＮでＭＳＣ／ＶＬＲ８１０を再選択し、選択されたＰＬＭＮのＬＡＩを割り当て、図８の８５６で規定されたようにＬＡＩから新しいＭＳＣ／ＶＬＲ８１０を導出し、新しいＭＳＣ／ＶＬＲ８１０と位置更新手順を再度実行する。
【０１５３】
拒否コードが「選択されたロケーションエリアでアクセスが許可されていない」である場合、ＭＭＥ８０６は、他方のＲＡＴ（すなわち、ＧＥＲＡＮまたはＵＴＲＡＮ）の別のＬＡＩを割り当て、ＬＡＩから新しいＭＳＣ／ＶＬＲ８１０を導出し、新しいＭＳＣ／ＶＬＲ８１０と位置更新を再度実行する。代替的に、ＭＭＥ８０６は、いかなるＬＡＩの割り当ても行わずに別のＭＳＣ／ＶＬＲ８１０を選択する。
【０１５４】
アタッチタイプがＵＴＲＡＮ  ＰＳのためのＧＰＲＳアタッチを含み、ＰＳドメインで複数のＰＬＭＮが利用可能である場合、ＭＭＥ８０６は、ＷＴＲＵ８０２から受信された選択されたＰＬＭＮ情報、現在のＴＡＩ、古いＬＡＩ、およびＰＳドメインのための好ましいＲＡＴに関するオペレータの選択ポリシーに基づいてＰＳドメインのためのＰＬＭＮの選択を実行する。ＭＭＥ８０６は、ＣＳの登録のための対応する手法で上記の選択を実行する。そして、ＭＭＥ８０６は、選択されたＵＴＲＡＮのＰＬＭＮのための関連するＳＧＳＮ８０４を選択または発見し、「コンテキストインジケーション」と呼ばれ、以下、すなわち、ＭＭコンテキスト、ＥＰＳベアラコンテキスト、サービングＧＷのシグナリングアドレス、ＴＥＩＤ、ＷＴＲＵの情報変更報告アクション、ＣＳＧの情報報告アクション、ＷＴＲＵの時間帯、およびＩＳＲサポートのうちの、１または複数を含む新しいメッセージを送信する。新しいメッセージは、ＭＭＥ８０６およびＳＧＳＮ上で２つのＲＡＴ（ＬＴＥおよびＵＴＲＡＮ）の間のＭＲ−ＡＣＣＥＳＳ関連付けを行うために使用される。ＳＧＳＮ８０４は、その後のＭＲ−ＡＣＣＥＳＳインタラクションのためにＭＭＥ  ＩＤおよびアドレスを保存する。
【０１５５】
ＭＭＥ８０６または別の制御エンティティは、２ＲＡＴへの１アタッチ（ｏｎｅ−ａｔｔａｃｈ−ｆｏｒ−ｔｗｏ−ＲＡＴ）の目的を達成するために、対応するＵＴＲＡＮセキュリティパラメータを導出し、それらのパラメータを新しいＭＲ−ＡＣＣＥＳＳ関連付けメッセージ「コンテキストインジケーション」でＳＧＳＮに渡す。
【０１５６】
図８の８６４において、ＷＴＲＵ８０２およびＭＭＥ８０６が、一方向キー導出関数ＫＤＦを使用してＫＡＳＭＥから機密性キー（ｃｏｎｆｉｄｅｎｔｉａｌｉｔｙ  ｋｅｙ）ＣＫ’および完全性キー（ｉｎｔｅｇｒｉｔｙ  ｋｅｙ）ＩＫ’を導出する。ＫＤＦへの入力は、現在のＥＰＳのキーのセキュリティコンテキストの選択されたＮＡＳアップリンクＣＯＵＮＴ値または特にＭＲ−ＡＣＣＥＳＳに関するカウント値である。例えば、ＰＯパラメータに対する切り上げられたまたは切り下げられたダウンリンクおよびアップリンクＮＡＳカウント値の合計の平均が、ＫＤＦ関数に入力される。
【０１５７】
図８の８６６において、ＷＴＲＵ８０２およびＭＭＥ８０６が、ｅＫＳＩからＫＳＩの値を導出する（つまり、ＫＳＩ＝ｅＫＳＩ）。別の例において、このアタッチ手順の前にＷＴＲＵのＵＴＲＡＮセキュリティコンテキストに（アタッチ要求８５０を介してＭＭＥ８０６に運ばれた）古いＵＴＲＡＮ  ＫＳＩが存在する場合、ＫＳＩ＝古いＫＳＩ＋１またはＫＳＩ＝ｅＫＳＩ＋１である。
【０１５８】
図８の８６８において、ＭＭＥ８０６が、例えば、コンテキストインジケーションメッセージでＣＫ’、ＩＫ’をＫＳＩとともにＳＧＳＮに転送する。目標のＳＧＳＮは、記憶されたパラメータＣＫ、ＩＫ、ＫＳＩのうちの１または複数を、ＭＭＥ８０６から受信されたＣＫ’、ＩＫ’、およびＫＳＩで置き換える。ＷＴＲＵ８０６は、ＭＥとＵＳＩＭとの両方で、１または複数の記憶されたパラメータＣＫ、ＩＫ、ＫＳＩをＣＫ’、ＩＫ’、ＫＳＩで置き換える。ＳＴＡＲＴＰＳは、３ＧＰＰの規則に準拠する。ＭＭＥ８０６は、ＣＫ’およびＩＫ’を用いて、ｃ３関数を使用してＧＰＲＳ  Ｋｃを導出する。ＭＭＥ８０６は、（ＣＫ’およびＩＫ’に関連する）ｅＫＳＩ値をＧＰＲＳ  ＣＫＳＮに割り振る。ＭＭＥ８０６は、ＵＳＩＭおよびＭＥをＧＰＲＳ  ＫｃおよびＧＰＲＳ  ＣＫＳＮで更新する。
【０１５９】
図８の８７０において、ＭＭＥ８０６が、ＳＧＳＮ番号、ＳＧＳＮアドレス、ＩＭＳＩ、ＩＭＥＩＳＶ、および更新タイプのうちの１または複数でＳＧＳＮ８０４のステータスに関してＨＳＳ／ＨＬＲ８１４を更新する。さらに、ＨＳＳ／ＨＬＲ８１４が、ＰＬＭＮに関するＷＴＲＵ８０２の加入データおよびＣＳＧ加入データの一方または両方をＳＧＳＮに送信する。
【０１６０】
図８の８７２において、新しいＳＧＳＮ８０４が、「コンテキスト肯定応答」メッセージと呼ばれる新しいメッセージをＭＭＥ８０６に送信し、該コンテキスト肯定応答メッセージは、ＭＭＥ８０６に対して、コンテキスト肯定応答メッセージに埋め込まれたＷＴＲＵ８０２に関するＵＴＲＡＮの動作パラメータを伴ったＧＰＲＳアタッチ受諾を示す。これは、２つのネットワーク制御ノードの間のＭＲＡの関連付けの一部でもある。
【０１６１】
図８の８７４において、方法は、アタッチ手順を続ける。例えば、アタッチ手順は、受諾メッセージを含む。例においては、アタッチ手順は、以下のように実行される。ＭＭＥ８０６が、ｅノードＢ（図示せず）におけるＷＴＲＵ８０２に関するコンテキストを設定し、そのｅノードＢがＷＴＲＵ８０２をユーザプレーンのデータのための無線ベアラで再構成する。ＭＭＥ８０６は、Ｓ１インターフェース上のユーザプレーンのベアラのためのｅノードＢとＳＧＷ８０８との間の接続の確立を調整する。そして、ＷＴＲＵ８０２は、ＩＰデータを送信／受信できる状態になる。
【０１６２】
例においては、アタッチ手順は、以下の通りである。ＭＭＥ８０６が、アタッチ済み受諾メッセージを含む初期コンテキスト設定要求メッセージをｅノードＢ（図示せず）に送信する。そして、ｅＮＢが、ＷＴＲＵ８０２にアタッチ受諾メッセージとともにＲＲＣコネクション再構成メッセージを送信することによって、ＭＭＥ８０６からの指示に従ってＷＴＲＵ８０２を新しいベアラで再構成する。ｅノードＢは、初期コンテキスト応答メッセージをＭＭＥ８０６に送信する。ＷＴＲＵ８０２は、アタッチ完了メッセージを含む直接転送メッセージをｅノードＢに送信する。アタッチ完了メッセージは、ＥＰＳベアラ識別、ＮＡＳシーケンス番号、またはＮＡＳ−ＭＡＣのうちの１または複数を含む。ｅノードＢは、アタッチ完了メッセージをアップリンクＮＡＳトランスポートメッセージでＭＭＥ８０６に転送する。両方のメッセージ、初期コンテキスト応答メッセージおよびアタッチ完了メッセージを受信すると、ＭＭＥ８０６は、ＳＧＷ８０８に対するベアラ修正手順をトリガーし、その手順がＰＧＷ８１２に対するベアラ修正方法をトリガーする。ＭＭＥ８０６によるベアラ修正応答メッセージの受信によって方法が完了すると、ＭＭＥ８０６は、ＭＭＥ８０６によって選択されたＰＧＷ８１２がＨＳＳ８１４によってＭＭＥ８０６に対して特定されたＰＧＷ８１２と異なるかどうかをＡＰＮおよびＰＧＷ８１２識別によってＨＳＳ８１４に通知する。
【０１６３】
アタッチ受諾メッセージは、ＭＲＡアタッチタイプをサポートするように更新される。例えば、ＧＰＲＳアタッチに関する新しいフィールドが、図２４に関連して開示されるように追加され、アタッチ受諾メッセージの内容は、図２５に関連して検討される。
【０１６４】
例において、ＭＭＥ８０６は、別のＰＬＭＮでＭＳＣ８１０およびＳＧＳＮ８０８をサーチし、この手順のために、アタッチ要求メッセージ８５０に含まれる別のＰＬＭＮまたは別のＬＡＩ／ＲＡＩまたは別のセル識別を使用する。
【０１６５】
図９は、ＰＤＰコンテキストがＧＰＲＳ／ＵＭＴＳドメインおよびＥＰＳドメインでＷＴＲＵのために生成されるｅＵＴＲＡ（ＬＴＥ／ＥＰＳ）ＲＡＴからの複合アタッチ方法の別の例のフロー図の概略図である。ＷＴＲＵ９０２は、２つ以上の異なるＲＡＴを用いる２つ以上の異なるコアネットワークの２つ以上の異なるエンティティにアタッチする。図９の例においては、ＥＵＴＲＡＮネットワークにおける１つのアタッチ要求方法を通じてＥＵＴＲＡＮとＵＴＲＡＮとの両方がアタッチされる。図９の例において、ＷＴＲＵ９０２は、ＭＭＥ９０６およびＭＳＣ／ＶＬＲ９１０にアタッチする。例においては、ＷＴＲＵ９０２によって使用された１または複数のＵＴＲＡＮパラメータが、ＥＵＴＲＡＮへのアタッチ要求メッセージ９５０に含まれる。アタッチ要求メッセージ９５０で含まれるＵＴＲＡＮパラメータは、古いＴＭＳＩまたは古いＰ−ＴＭＳＩ値などの古いＵＴＲＡＮ  ＷＴＲＵ−ＩＤ、古いＫＳＩ値などの古いＵＴＲＡＮセキュリティ値、現在のＵＴＲＡＮエリアＩＤ、発見されたセルＩＤ、および任意でこの例においてはＵＴＲＡＮである他方のＲＡＴ、ならびにＰＬＭＮ−ＩＤのうちの１または複数を含む。この例において、ＷＴＲＵ９０２は、ＭＲＡ動作のための各ＲＡＴに対して１つずつアクティブなプライマリＰＤＰコンテキストを使用する。
【０１６６】
図９の９５０において、ＷＴＲＵ９０２が、アタッチ要求９５０でアタッチタイプを含む。例えば、アタッチタイプは、「複合ＥＰＳ／ＧＰＲＳ／ＩＭＳＩアタッチ」または「複合ＥＰＳ／ＧＰＲＳアタッチ」などの上述のアタッチタイプである。アタッチ要求９５０は、ＷＴＲＵ９０２が両方のＲＡＴのネットワークにアタッチすることができることを示し、所望のトラフィックのタイプのドメインを示す。例えば、アタッチ要求９５０は、ＧＰＲＳ／ＥＰＳがＵＴＲＡＮ  ＰＳおよびＬＴＥ  ＰＳのために丁重に使用されるべきであること、またはＧＰＲＳ／ＩＭＳＩ／ＥＰＳがＵＴＲＡＮ  ＰＳ／ＣＳおよびＬＴＥ  ＰＳのために丁重に使用されるべきであることを示す。ＷＴＲＵ９０２は、「ＵＴＲＡＮ  Ａｃｔｉｖａｔｅ  ＰＤＰコンテキスト」要求メッセージをアタッチ要求９５０に追加で埋め込む。そのようなタイプ情報要素の定義のより詳細な例は、以下で開示される。
【０１６７】
図９において、９５２、９５４、９５６、９５８、９６０、９６２、９６４、および９６６は、図８の８５２、８５４、８５６、８５８、８６０、８６２、８６４、および８６６と同様である。
【０１６８】
図９において、９６８は、図８の８６８と同様である。さらに、ＭＭＥ９０６は、以下、すなわち、ＳＧＷ９０８のアドレス、ＰＧＷ９１２のアドレス、および「ａｃｔｉｖａｔｅ  ＰＤＰコンテキスト要求」のうちの１または複数を、ＳＧＳＮ９０４に送信されるコンテキストインジケーションメッセージに含める。ＷＴＲＵ９０２は、アタッチ要求９５０に含まれるアタッチタイプがＧＰＲＳアタッチを含むとき、アタッチ要求９５０に「ａｃｔｉｖａｔｅ ＰＤＰコンテキスト要求」を埋め込む。
【０１６９】
図９において、９７０は、図８の８４９と同様である。さらに、ＳＧＳＮ９０４は、ＨＳＳ／ＨＬＲ９１４で更新する。ＳＧＳＮ９０４は、ＭＭＥ９０６のＩＤおよびアドレスを記憶する。
【０１７０】
図９の９７２、９７４、９７６、および９７８において、ＳＧＳＮ９０４が、ＰＤＰコンテキストをアクティブ化する。９８０において、ＳＧＳＮ９０４が、「アタッチ受諾およびＰＤＰコンテキストのアクティブ化。」をコンテキスト肯定応答９８０に埋め込む。図９において、９８２は、図８の８７４と同様である。９８２のアタッチ受諾メッセージは、追加のキャリアのＵＴＲＡＮのアタッチステータスを含む。９８２において、ＷＴＲＵ９０２は、ＭＭＥ９０６からアタッチ受諾メッセージを受信する。このアタッチ受諾メッセージは、ＭＲＡ動作のためのアタッチ手順が成功であるか否かを示す。アタッチ受諾は、Ｐ−ＴＭＳＩなどのＧＰＲＳ登録パラメータまたはＧＰＲＳセキュリティパラメータを含む。これらのパラメータは、ＷＴＲＵ９０２によってＳＧＳＮ９０４のＧＰＲＳサービスにアクセスするために使用される。
【０１７１】
ＬＴＥアタッチ受諾メッセージは、ＷＴＲＵによってその後のＭＲＡ動作のために使用される可能性があるＧＰＲＳアタッチ受諾メッセージなどの１または複数のＵＴＲＡＮの動作パラメータを含む。このＬＴＥアタッチ受諾メッセージは、「ＵＴＲＡＮアタッチステータス」ＩＥなどのＵＴＲＡＮに関連する情報要素を含む。ＩＥのさらなる例については図２４を参照されたい。
【０１７２】
例において、ＷＴＲＵ９０２は、ＭＭＥ９０６、ＳＧＳＮ９０４、およびＭＳＣ／ＶＬＲ９１０に登録するためにアタッチ手順をやはり実行する。例えば、ＷＴＲＵ９０２は、ＭＭＥ９０６、ＳＧＳＮ９０４、およびＭＳＣ／ＶＬＲ９１０への登録が行われるべきであることをアタッチタイプ９５０で示すことができる。ＷＴＲＵ９０２は、異なる登録のために本明細書に記載のすべての必要なパラメータを含める。例において、登録は、異なる順序で実行される可能性がある。例えば、ＭＭＥ９０６への登録、次に、ＭＳＣ／ＶＬＲ９１０へのＣＳの登録、およびそれからＳＧＳＮ９０４へのＰＳの登録が、実行される。
【０１７３】
本明細書に記載の例においては、ＷＴＲＵ９０２が、ＭＭＥ９０６と通信し、そして、ＭＭＥ９０６が、ＳＧＳＮ９０４またはＭＳＣ／ＶＬＲ９１０に対する登録を開始するその他の例において、ＷＴＲＵ９０２は、ＭＳＣ／ＶＬＲ９１０またはＳＧＳＮ９０４への複合登録を実行する。例えば、ＷＴＲＵ９０２が、ＳＧＳＮ９０４に対する複合アタッチ手順を開始し、アタッチタイプで、登録がＭＲＡのためのものであることを示し、さらに、アタッチがＭＭＥ９０６、ＭＳＣ／ＶＬＲ９１０、およびＳＧＳＮ９０４と行われることを示す。次いで、ＳＧＳＮ９０４が、本明細書において説明される方法を使用してＭＭＥ９０６およびＭＳＣ／ＶＬＲ９１０に対する登録手順を開始する。
【０１７４】
ＷＴＲＵ９０２は、複合アタッチ９５０に関する失敗応答を受信する。例において、ｅＵＴＲＡを用いる複合アタッチは、ネットワーク制御エンティティによって拒否される。例において、応答は、場合によっては１または複数のＵＴＲＡＮ／ＲＡＴ／ＰＬＭＮに固有のＥＭＭ理由値を含むアタッチ受諾メッセージからなる。例において、理由値は、ＭＲＡ動作に関連する。例において、応答は、ＳＧＳＮ９０４またはＭＳＣ／ＶＬＲ９１０などのＵＴＲＡＮ制御エンティティから来る。例において、応答は、ＭＲＡ動作のための関連付けの生成に失敗することに起因して受信される。
【０１７５】
ＷＴＲＵ９０２は、アタッチ失敗応答を受信する場合、対応するＵＴＲＡＮ  ＰＭＭ／ＭＭコンテキストを削除する。例において、ＷＴＲＵ９０２は、受信されたＥＭＭ理由値に基づいて以下の動作のうちの１または複数を行う。ロケーションエリア内に好適なセルがない：ＥＭＭ理由値に関して、ＷＴＲＵ９０２は、所与のエリアにおけるＵＴＲＡＮネットワーク（ＳＧＳＮもしくはＭＳＣ／ＶＬＲなどの）またはＵＴＲＡＮセルを用いたさらなるＭＲＡアクセスを開始しない。このＰＬＭＮにおいてＧＰＲＳサービスが許可されていない：ＥＭＭ理由値に関して、ＷＴＲＵ９０２は、ＥＭＭ理由のＰＬＭＮがもはやＭＲＡ動作のために使用されないようにＭＲＡ動作が可能であると、決定するＰＬＭＮのリストを更新する。例において、ＰＬＭＮは、ＭＲＡをサポートするＰＬＭＮのリストから削除される。例において、ＷＴＲＵ９０２は、所与のＰＬＭＮにおいてＵＴＲＡＮ  ＰＳサービスによるＭＲＡ動作を開始しない。
【０１７６】
ＣＳドメインが利用できない：ＥＭＭ理由値に関して、ＷＴＲＵ９０２は、現在のＰＬＭＮ、現在のロケーションエリア識別、または現在のＭＭＥ９０８でＣＳサービスによるＭＲＡ動作のための複合アタッチを試みない。ＵＴＲＡＮとのＭＲ−ＣＳの関連がサポートされない：ＥＭＭ理由値に関して、ＷＴＲＵ９０２は、現在のＰＬＭＮにおいてまたはＲＡＴに固有のＰＬＭＮの場合は対応するＰＬＭＮにおいてＵＴＲＡＮセルによるＭＲＡ動作の再開を試みる。以下の、ＥＰＳサービスが許可されていない、ＰＬＭＮが許可されていない、およびこのトラッキングエリアにおいてローミングが許可されていない：ＥＭＭ理由値に関して、ＷＴＲＵ９０２は、ＥＭＭ理由値のＰＬＭＮがもはやＭＲＡ動作のために使用されないように、ＭＲＡ動作が可能であるとそれが決定するＰＬＭＮのリストを更新する。例において、ＰＬＭＮは、ＭＲＡをサポートするＰＬＭＮのリストから削除される。例において、ＥＭＭ理由は、ＷＴＲＵ９０２がセルのサーチを実行することをトリガーする。ＷＴＲＵ９０２は、失敗したアタッチ応答を受信した後、後続の複合アタッチ方法を実行する。例において、ＷＴＲＵ９０２は、ＵＴＲＡＮネットワークに対してのみアタッチ方法を実行する。
【０１７７】
トラッキングエリアが許可されていない：ＥＭＭ理由コードに関して、ＷＴＲＵ９０２は、同じエリアでＥＵＴＲＡＮネットワークを使用して後続の複合アタッチ手順を開始しない。例において、ＷＴＲＵ９０２は、その後、ＵＴＲＡＮネットワークにおいて複合アタッチを開始する。
【０１７８】
ＥＭＭ理由コードを受信することに応答してＷＴＲＵ９０２が行うアクションのいずれかに関して、以下の、ＷＴＲＵ９０２が制限された時間の間のみアクションを実行すること、ＷＴＲＵ９０２がアクションの再試行の回数を所定の回数に制限すること、ＷＴＲＵ９０２が現在のエリアに地理的に留まっている間じゅうずっとアクションを実行するのみであること、ネットワークがＷＴＲＵ９０２にＭＲＡ動作を開始することを要求するのと対照的にＷＴＲＵ９０２が自律的にＭＲＡアクセスを開始していた場合にアクションが実行されるのみであること、およびＷＴＲＵ９０２をオフにするかまたはＵＳＩＭを含むＵＩＣＣが取り外されるまでの間だけアクションが適用可能であること、のうちのいずれかが当てはまる。
【０１７９】
図１０は、ＰＤＰコンテキストがＥＰＳドメインでアクティブ化されるが、ＧＰＲＳ／ＵＭＴＳドメインではアクティブ化されないＵＴＲＡ（ＧＰＲＳ／ＵＭＴＳ／ＨＳＰＡ）ＲＡＴからの複合アタッチ手順の例のフロー図の概略図である。例において、ＷＴＲＵ１００２は、単一のアタッチメッセージ９５０を使用して複数のＲＡＴに登録する。例において、ＷＴＲＵ１００２は、登録プロセスの間じゅうずっと、ＷＴＲＵ１００２の位置でＭＲＡ動作のために利用可能なネットワークリソースに関連する何らかの情報をネットワークに提供する。例において、ＷＴＲＵ１００２は、ＵＴＲＡＮネットワークにおける１つのアタッチ要求アクションを通じてＥＵＴＲＡＮとＵＴＲＡＮとの両方にアタッチする。これは、ＷＴＲＵ１００２によって使用されるＥＵＴＲＡＮパラメータをアタッチ要求メッセージに含めることによって実現される。アタッチ要求に含まれる例示的なＥＵＴＲＡＮパラメータは、ＰＬＭＮ−ＩＤをともなった、発見されたセルＩＤおよびＥＵＴＲＡＮなどのその他のＲＡＴである。図１０に示される例において、ＷＴＲＵ１００２は、ＭＲＡ動作のために単一のアクティブなプライマリＰＤＰコンテキストを使用する。
【０１８０】
図１０の１０５０において、ＷＴＲＵ１００２が、ＵＴＲＡＮのＭＲＡ対応セルを使用して、両方のＲＡＴ（例えば、ＥＵＴＲＡＮおよびＵＴＲＡＮ）上でのＭＲＡ動作のためにＷＴＲＵ１００２を登録するためのアタッチ要求メッセージ１０５０を送信する。例において、ＷＴＲＵ１００２は、ＭＲＡ動作をサポートする少なくとも１つの好適なＵＴＲＡＮセルと、例においては、ＭＲＡ動作をサポートする少なくとも１つの好適なＥＵＴＲＡＮセルとを特定した後、要求メッセージ１０５０を送信する。ＭＲＡのためのアタッチ要求１０５０に関するアタッチタイプが、定義される。新しいアタッチタイプは、以下、すなわち、ＵＴＲＡＮ  ＰＳおよびＬＴＥ  ＰＳに登録する複合ＧＰＲＳ／ＥＰＳのための複合ＧＰＲＳ／ＥＰＳアタッチタイプと、ＵＴＲＡＮ  ＰＳ／ＣＳおよびＬＴＥ  ＰＳに登録するＥＰＳをともなう複合ＧＰＲＳ／ＩＭＳＩのための複合ＧＰＲＳ／ＩＭＳＩ／ＥＰＳアタッチタイプと、ＵＴＲＡＮ  ＣＳおよびＬＴＥ  ＰＳに登録する複合ＩＭＳＩ／ＥＰＳのための複合ＩＭＳＩ／ＥＰＳアタッチタイプとのうちの１または複数を含む。
【０１８１】
ＷＴＲＵ１００２は、ＭＲＡ動作のためのアタッチ要求１０５０に上記アタッチタイプのうちの１つを含めて、所望のトラフィックのタイプのドメインの両方のＲＡＴネットワークにアタッチすることができることをネットワークに示す。例において、ＷＴＲＵ１００２は、ＥＵＴＲＡＮネットワークにアタッチされるＷＴＲＵ１０５０のために必要とされるデフォルトＰＤＮ接続を確立するためのＥＵＴＲＡＮ  ＰＤＮ接続性要求をＵＴＲＡＮアタッチ要求メッセージ１０５０に含む。追加の情報要素の例については図２８を参照されたい。
【０１８２】
図１０の１０６０において、ＥＵＴＲＡＮが、アタッチ手順を実行する。例においては、図１０の１０６０で、ＳＧＳＮ１００４およびＷＴＲＵ１００２が、互いの間で認証を実行する。ＳＧＳＮ１００４は、ＨＳＳ／ＨＬＲ１０１４に、ＷＴＲＵ１００２がそのサービスの下にあることを通知し、ＨＳＳ／ＨＬＲ１０１４から加入者情報をダウンロードする。次に、ＳＧＳＮ１００４は、ＭＳＣ／ＶＬＲ１０１０に対してＷＴＲＵ１００２を登録し、ＭＳＣ／ＶＬＲ１０１０が、ＨＬＲ１０１４から加入者情報もダウンロードする。
【０１８３】
例においては、図１０の１０６０で、ＥＵＴＲＡＮアタッチ方法は、以下の通りである。ＳＧＳＮ１００４は、古いＳＧＳＮが存在する場合は古いＳＧＳＮと特定要求および特定応答を交換し、その後、ＷＴＲＵ１００２と特定要求および特定応答を交換する。ＳＧＳＮおよびＷＴＲＵ１００２は、認証手順を実行する。そして、機器検査機能が、実行される。
【０１８４】
ＷＴＲＵ１００２が適切にデタッチせずに同じＳＧＳＮ１００４に再アタッチしている場合に起こる、ＷＴＲＵ１００２に関してＳＧＳＮ１００４にアクティブなＰＤＰコンテキストが存在する場合、ＳＧＳＮ１００４は、適切なＧＧＳＮにＰＤＰコンテキスト削除要求（ＴＥＩＤ）メッセージを送信することによってこれらのＰＤＰコンテキストを削除する。ＧＧＳＮは、ＰＤＰコンテキスト削除応答（ＴＥＩＤ）メッセージによって肯定応答する。ＳＧＳＮ１００４は、ＨＬＲ１０１４および古いＭＳＣ／ＶＬＲ１０１０に対して位置更新手順を開始して古い位置を除去し、それが、古いＳＧＳＮおよびＧＧＳＮにおける既存のＰＤＰコンテキストの削除につながる。ＨＬＲ１０１４は、ＨＬＲ１０１４とＳＧＳＮ１００４との間で加入者データ挿入メッセージ／加入者データ挿入肯定応答メッセージを交換することを通じてＨＬＲ１０１４からＳＧＳＮ１００４に加入データを送信する。そして、ＳＧＳＮ１００４は、通信ネットワーク全体にＷＴＲＵ１００２の新しい位置を伝播させるためにＭＳＣ／ＶＬＲ１０１０およびＨＬＲ１０１４に対して位置更新手順を開始する。
【０１８５】
図１０の１０７０において、ＳＧＳＮ１００４が、ＭＭＥ１００６にＷＴＲＵ１００２のコンテキストを転送するためのコンテキストインジケーションメッセージ１０７０を送信する。コンテキストインジケーションメッセージは、以下のパラメータ、すなわち、ＩＭＳＩ、モバイル機器（ＭＥ）識別、移動局国際加入者ディレクトリ番号（ＭＳＩＳＤＮ）、ＭＭコンテキスト、（１または複数の）ＥＰＳベアラコンテキスト、サービングＧＷのシグナリングアドレス、および（１または複数の）ＴＥＩＤ、ＩＳＲがサポートされるかどうか、ＷＴＲＵ１００２の情報変更報告アクション、ＣＳＧの情報報告アクション、ＷＴＲＵ１００２の時間帯、ＷＴＲＵ１００２のコアネットワーク機能、およびＷＴＲＵ１００２に固有のＤＲＸパラメータのうちの１または複数を含む。例において、方法は、ＷＴＲＵ１００２がＵＴＲＡＮにおいてアタッチされると行われる。図１０の１０７０を継続して、ＳＧＳＮ１００４は、ＵＴＲＡＮのセキュリティキーが生成されるようにＭＭＥ１００６にＣＫ、ＩＫ、ＷＴＲＵ１００２のセキュリティ機能を送信する。
【０１８６】
図１０の１０７２において、ＭＭＥ１００６が、ＮＯＮＣＥＭＭＥを生成する。図１０の１０７４において、ＭＭＥ１００６が、Ｋ’ＡＳＭＥ＝ＫＤＦ（ＣＫ，ＩＫ，ＮＯＮＣＥ）を計算する。図１０の１０７４において、ＭＭＥ１００６が、Ｋ’ＡＳＭＥからＫＮＡＳｉｎｔ、ＫＮＡＳｅｎｃ、ＫＵＰｅｎｃ、ＫＲＲＣｉｎｔ、およびＫＲＲＣｅｎｃを導出し、それらをキーセット識別子ＫＳＩＳＧＳＮに関連付ける。例において、ＭＭＥ１００６は、ＳＧＳＮ１００４によって選択されたのと同じＰＧＷ１０１２およびＳＧＷ１００８を選択する。
【０１８７】
図１０の１０７８において、ＭＭＥ１００６が、セッション生成要求をＳＧＷ１００８に送信してＰＤＮベアラを生成する。例において、ＭＭＥ１００６は、ＳＧＳＮ１００４によって選択されたＳＧＷ１００８とは異なるＳＧＷ１００８を選択する。ＭＭＥ１００６は、負荷分散を行うために異なるＳＧＷ１００８を選択する。
【０１８８】
図１０の１０８８において、ＭＭＥ１００６は、肯定応答コンテキストＡＣＫをＳＧＳＮ１００４に送信する。ＭＭＥ１００６は、肯定応答メッセージにＫＮＡＳｉｎｔ、ＫＮＡＳｅｎｃ、ＫＵＰｅｎｃ、ＫＲＲＣｉｎｔ、およびＫＲＲＣｅｎｃ、ＮＯＮＣＥ、およびＫＳＩＳＧＳＮを含める。例において、方法は、ＰＤＮベアラが生成された後に実行される。
【０１８９】
図１０の１０９０において、アタッチ受諾メッセージ１０９０が、ＭＲＡアタッチをサポートするための追加のパラメータを含む。追加のパラメータは、以下、すなわち、ＥＵＴＲＡＮアタッチ受諾メッセージのうちの１または複数を含む。情報要素のさらなる例については図３３を参照されたい。
【０１９０】
図１０において、１０８０、１０８２、１０８４、および１０８６は、本明細書において開示されたステップと同様である。例において、図１０の複合アタッチ完了１０９２は、以下の通りである。ＷＴＲＵ１００２が、アタッチ完了メッセージをＳＧＳＮ１００４に送信し、次に、ＳＧＳＮ１００４が、ＴＭＳＩ再割り当て完了メッセージをＭＳＣ／ＶＬＲ１０１０に送信する。そして、ＳＧＳＮとＭＳＣとの両方への複合登録が、完了する。
【０１９１】
例においては、図１０の複合アタッチ完了１０９２が、実行される。例において、図１０の複合アタッチ完了１０９２は、以下の通りである。Ｐ−ＴＭＳＩまたはＶＬＲのＴＭＳＩが変更された場合、ＷＴＲＵ１００２は、アタッチ完了メッセージをＳＧＳＮ１００４に返すことによって、（１または複数の）受信されたＴＭＳＩに肯定応答する。ＭＳＣ／ＶＬＲのＴＭＳＩが変更された場合、ＳＧＳＮ１００４は、ＴＭＳＩ再割り当て完了メッセージをＭＳＣ／ＶＬＲ１０１０に送信することによってＭＳＣ／ＶＬＲのＴＭＳＩ再割り当てを確定する。
【０１９２】
図１１は、ＥＰＳドメインでアクティブ化されるＰＤＰコンテキストに加えてＰＤＰコンテキストがＧＰＲＳ／ＵＭＴＳ／ＨＳＰＡドメインでアクティブ化される、ＵＴＲＡ（ＧＰＲＳ／ＵＭＴＳ／ＨＳＰＡ）ＲＡＴからの複合アタッチ手順の別の例のフロー図の概略図である。ＷＴＲＵ１１０２は、ＵＴＲＡＮネットワークにおける１つのアタッチ要求１１５０アクションを通じてＵＴＲＡＮとＥＵＴＲＡＮとの両方にアタッチする。アタッチ要求メッセージ１１５０は、以下のＥＵＴＲＡＮパラメータ、すなわち、発見されたセルＩＤ、およびＥＵＴＲＡＮなどの他方のＲＡＴ、ならびにＰＬＭＮ−ＩＤのうちの１または複数を含む。この例において、ＷＴＲＵ１１０２は、ＭＲＡ動作のための各ＲＡＴに対して１つずつアクティブなＰＤＰコンテキストを使用する。
【０１９３】
図１１の１１５０において、ＷＴＲＵ１００２が、ＵＴＲＡＮ  ＰＤＰコンテキストアクティブ化要求およびＥＵＴＲＡＮ  ＰＤＮ接続要求を複合アタッチ要求１１５０に含める。
【０１９４】
例においては、図１１の複合アタッチ１１６０が、実行される。例において、図１１の複合アタッチ１１６０は、以下の通りである。古いＳＧＳＮ（図示せず）が存在する場合、ＳＧＳＮ１１０４が、古いＳＧＳＮからＷＴＲＵ１１０２のコンテキストを取得する。ＳＧＳＮ１１０４は、ＨＳＳ／ＨＬＲ１１１４に、ＷＴＲＵ１１０２がそのサービスの下にあることを通知し、ＨＳＳ／ＨＬＲ１１１４からＷＴＲＵ１１０２の加入者情報をダウンロードする。次に、ＳＧＳＮ１１０４は、ＭＳＣ／ＶＬＲ１１１０に対してＷＴＲＵ１１０２を登録し、ＭＳＣ／ＶＬＲ１１１０は、ＨＳＳ／ＨＬＲ１１１４からＷＴＲＵ１１０２の加入者情報もダウンロードする。
【０１９５】
例において、図１１の複合アタッチ１１６０は、以下の通りである。ＷＴＲＵ１１０２が以前に適切にデタッチせずに同じＳＧＳＮ１１０４に再アタッチする場合に起こる、ＷＴＲＵ１１０２に関してＳＧＳＮ１１０４にアクティブなＰＤＰコンテキストが存在する場合、ＳＧＳＮ１１０４は、適切なＧＧＳＮ（図示せず）にＰＤＰコンテキスト削除要求（ＴＥＩＤ）メッセージを送信することによってこれらのＰＤＰコンテキストを削除する。ＧＧＳＮは、ＰＤＰコンテキスト削除応答（ＴＥＩＤ）メッセージによって肯定応答する。ＳＧＳＮ１１０４は、ＨＬＲ１１１４および古いＭＳＣ／ＶＬＲに対して位置更新手順を開始して古い位置を除去する。これは、古いＳＧＳＮおよびＧＧＳＮのあらゆる既存のＰＤＰコンテキストを削除し、ＨＬＲ１１１４とＳＧＳＮ１１０４との間で加入者データ挿入メッセージ／加入者データ挿入肯定応答メッセージを交換することを通じてＨＬＲ１１１４からＳＧＳＮ１１０４に加入データを送信する結果となる。そして、ＳＧＳＮ１１０４は、ネットワーク全体を通じてＷＴＲＵ１１０２の新しい位置を伝播させるためにＭＳＣ／ＶＬＲ１１１０およびＨＬＲ１１１４に対して位置更新手順を開始する。
【０１９６】
図１１の１１６２において、ＳＧＳＮ１１０４が、ＳＧＷ１１０８およびＰＧＷ１１１２を選択する。例においては、ＵＴＲＡＮ  ＰＤＰコンテキストアクティブ化要求がアタッチ要求１１５０に埋め込まれている場合、ＳＧＳＮ１１０４は、セッション生成要求をＳＧＷ１１０８に送信することによってＰＤＰコンテキストアクティブ化手順を開始する。
【０１９７】
図１１の１１７０において、ＳＧＳＮ１１０４が、ＰＤＰコンテキストがアクティブ化された後、ＥＵＴＲＡＮ上でアタッチ手順を開始する。図１１の１１９０において、ＳＧＳＮ１１０４が、ＥＵＴＲＡＮアタッチ受諾およびＵＴＲＡＮ  ＰＤＰコンテキストアクティブ化受諾をアタッチ受諾メッセージ１１９０に含める。情報要素のさらなる例については図３５を参照されたい。
【０１９８】
ＷＴＲＵ１１０２は、ＵＴＲＡネットワークからアタッチ受諾メッセージを受信する。例において、アタッチ受諾メッセージ１１９０は、ＭＲＡ動作のためのアタッチ手順が成功であるか否かを示す。例において、アタッチ受諾メッセージ１１９０は、ＥＰＳアタッチ受諾メッセージの一部である１または複数のＥＵＴＲＡＮの動作パラメータを含む。ＷＴＲＵ１１０２は、その後のＭＲＡ動作のために１または複数のＥＵＴＲＡＮの動作パラメータを使用する。例において、動作パラメータは、ＥＵＴＲＡＮアタッチステータスＩＥなどのＥＵＴＲＡＮに関連する情報要素を含む。
【０１９９】
ＷＴＲＵ１１０２は、複合アタッチ要求１１５０に応答してアタッチ受諾１１９０ではなく失敗応答を受信する。例において、ＵＴＲＡを用いる複合アタッチ要求１１５０は、ネットワーク制御エンティティによって拒否される。例において、応答は、１または複数のＥＵＴＲＡＮ／ＲＡＴ／ＰＬＭＮに固有のＭＭ理由値を含むアタッチ受諾メッセージからなる。例において、理由値は、ＭＲＡ動作に関連する。例において、応答は、ＥＵＴＲＡＮ制御エンティティから来る。例において、応答は、ＭＲＡ動作のための関連付けの生成に失敗することに起因して受信される。
【０２００】
ＷＴＲＵ１１０２は、失敗応答を受信する場合、対応するＥＵＴＲＡＮ  ＥＭＭコンテキストを削除する。例において、ＷＴＲＵ１１０２は、失敗応答を受信することに応じて以下の動作のうちの少なくとも１つを行う。
【０２０１】
受信されたＭＭ理由値が、ＥＰＳサービスが許可されていない、ＰＬＭＮが許可されていない、またはこのトラッキングエリアにおいてローミングが許可されていないである場合、ＷＴＲＵ１１０２は、ＭＭ理由で参照されたＰＬＭＮのステータスを削除または変更するように、ＭＲＡ動作が可能であるとそれが決定するＰＬＭＮのリストを更新する。別の例において、ＷＴＲＵ１１０２は、ＭＭ理由で参照されたＰＬＭＮにおいてＥＵＴＲＡＮ  ＰＳサービスによるＭＲＡ動作を開始しない。
【０２０２】
受信されたＭＭ理由値が、トラッキングエリア内に好適なセルがないである場合、ＷＴＲＵ１１０２は、所与のエリアにおけるＥＵＴＲＡＮネットワークまたはＥＵＴＲＡＮセルを用いたさらなるＭＲＡアクセスを開始しない。
【０２０３】
受信されたＭＭ理由値が、ＧＰＲＳサービスが許可されていない、またはＰＬＭＮが許可されていない、またはこのロケーションエリアにおいてローミングが許可されていないである場合、ＷＴＲＵ１１０２は、ＭＭ理由値で参照されたＰＬＭＮがもはやＭＲＡ動作のために使用されないように、ＭＲＡ動作が可能であるとそれが決定するＰＬＭＮのリストを更新する。例においては、参照されたＰＬＭＮが、リストから削除される。例において、ＷＴＲＵ１１０２は、ＭＲＡ動作のための新しいセルを探し出そうと試みるセルサーチ手順をトリガーする。例において、ＷＴＲＵ１１０２は、ＥＵＴＲＡＮネットワークかまたはＵＴＲＡＮネットワークかのどちらかをＭＲＡ動作のためのそのプライマリＲＡＴとして使用してその後の複合アタッチ手順を開始するように、その後の複合アタッチ手順を実行する。代替的に、ＷＴＲＵ１１０２は、ＵＴＲＡＮネットワークにおいてのみアタッチをトリガーする。
【０２０４】
受信されたＭＭ理由値が、ロケーションエリアが許可されていない、またはロケーションエリア内に好適なセルがないである場合、ＷＴＲＵ１１０２は、同じエリアにおいてＵＴＲＡＮネットワークを使用してその後の複合アタッチ手順を開始しない。例において、ＷＴＲＵ１１０２は、その後、ＥＵＴＲＡＮネットワークにおいて複合アタッチを開始する。
【０２０５】
ＭＭ理由コードを受信することに応じて、ＷＴＲＵ１１０２が行う動作のいずれかに関して、以下の、ＷＴＲＵ１１０２が制限された時間の間のみアクションを実行すること、ＷＴＲＵ１１０２がアクションの再試行の回数を所定の回数に制限すること、ＷＴＲＵ１１０２が現在のエリアに地理的に留まっている間じゅうずっとアクションを実行するのみであること、ネットワークがＷＴＲＵ１１０２にＭＲＡ動作を開始することを要求するのと対照的にＷＴＲＵ１１０２が自律的にＭＲＡアクセスを開始していた場合にアクションが実行されるのみであること、およびＷＴＲＵ１１０２をオフにするかまたはＵＳＩＭを含むＵＩＣＣが取り外されるまでの間だけアクションが適用可能であること、のうちのいずれかが当てはまる。
【０２０６】
例において、ＷＴＲＵ１１０２は、本明細書に記載の方法のうちの少なくとも１つに従ってＭＲＡ動作を可能にするためにＲＡＴ毎に１つのアタッチ手順を実行する。
【０２０７】
図１１の複合アタッチ完了１１９２は、図１０の１０９２に関連して開示された例のいずれかである。
【０２０８】
図１２は、逐次動作のための例示的なＲＡＴに固有のアタッチ手順のフロー図の概略図である。
【０２０９】
ＷＴＲＵ１２０２は、各ＲＡＴに対して１つずつアタッチ手順を実行する。第１のアタッチ手順は、ＷＴＲＵ１２０２によって選択されたＲＡＴの無線リソースを使用して開始される。ＷＴＲＵ１２０２は、ＭＲＡ動作を開始する。アタッチ手順は、シーケンシャルにまたは同時に行われる。さらに、ＷＴＲＵ１２０２は、後続のアタッチにおいて、それが既に特定のドメインにアタッチされていることを示し、コアネットワークノードを特定するために使用される可能性があるいくつかのパラメータを提供する。例えば、ＷＴＲＵ１２０２は、ＧＵＭＭＥＩまたはＰ−ＴＭＳＩを含める。コアネットワークのＮＡＳエンティティは、モビリティおよびセッション管理手順、メッセージ、およびパラメータをやはり調整することに留意されたい。
【０２１０】
例えば、ＷＴＲＵ１２０２は、以下のうちの少なくとも１つに従って図１２のＲＡＴに固有のアタッチ方法１２００を実行する。
【０２１１】
ＷＴＲＵ１２０２は、通常のアタッチによるプライマリアタッチ（ｐｒｉｍａｒｙ  ａｔｔａｃｈ）のために図１２の１２５０、１２５２、１２５４、および１２５６を実行する。ＷＴＲＵ１２０２は、アタッチ要求１２５０にＭＲＡ動作のための追加のアタッチタイプを含める。例えば、アタッチタイプは、その他の図に関連して説明されたアタッチタイプである。加えて、ＷＴＲＵ１２０２は、別のＲＡＴに適用可能なＷＴＲＵ情報、セル情報、またはエリア情報などの追加のパラメータをアタッチ要求メッセージ１２５０に含める。情報、特に、ＣＮのスイッチングノードが別のＲＡＴ上のそれに対応するものを特定するために必要とされる別のＲＡＴのエリアＩＤ情報が、セルのサーチによって取得される。この情報は、ネットワーク制御ノードが別の関係のあるＲＡＴのネットワーク制御ノードを探し出すためにネットワーク制御ノードによって使用され、例えば、１２１０が、コアネットワークの関連付けを確立する目的で対応するＭＭＥ１２０８を探し出す。
【０２１２】
図１２の１２６０、１２６２、１２６４、および１２６６において、ＵＴＲＡＮ／３ＧのＣＮコンテキスト割り当て手順が、クロス−ＲＡＴデータの再ルーティングがアンカーされるゲートウェイノードＳ−ＧＷ／Ｐ−ＧＷ１２１２に関してＷＴＲＵ１２０２に固有のコンテキストおよびＩＰアドレスの割り当てを行う。実施形態において、デフォルトのコンテキストの割り当てのトリガーは、ＳＧＳＮ１２１０などのネットワーク制御ノードから生じる。例えば、ＧＭＭメッセージ要求ＰＤＰコンテキストアクティベーションメッセージが、ＷＴＲＵ１２０２によって受信され、ＷＴＲＵ１２０２は、やはり応答する。
【０２１３】
図１２の１２６８において、以下、すなわち、アタッチを介したＵＴＲＡＮ／３ＧのＣＮ登録、ＷＴＲＵ１２０２の認証およびキーの合意、ＷＴＲＵ１２０２のデフォルトのコンテキスト／ＩＰアドレスの割り当てが完了する。ＷＴＲＵ１２０２は、接続モードのままであるか、またはＷＴＲＵ１２０２はアイドルモードになるかのどちらかである。
【０２１４】
図１２の１２７２において、ＷＴＲＵ１２０２は、アタッチ要求メッセージ１２７２において、そのＷＴＲＵ１２０２が接続モードに留まることを要求することを示す。実施形態において、ＷＴＲＵ１２０２は、例えば、アタッチ要求メッセージで、割り当てられたＩＰアドレスがＭＲＡ動作のために保存されることを要求し、これにより、３ＧのＷＴＲＵのＩＰアドレスを保存する時間制限を延長する。
【０２１５】
ＷＴＲＵ１２０２は、セカンダリアタッチ手順を実行する。実施形態においては、関連するＷＴＲＵ１２０２のコンテキスト／ＩＰアドレスの割り当てプロセスの完了を含め、プライマリアタッチが完了しているときにのみ、ＷＴＲＵ１２０２がセカンダリアタッチ手順を実行する。セカンダリアタッチは、図１２の１２７２、１２７４、１２７６、１２７８、１２８０、および１２８２に従い、対応するＲＡＴのリソースを使用する。第２のアタッチのアタッチ要求メッセージ１２７２は、第１のアタッチ受諾方法に関連する情報を含む。例えば、第２のアタッチは、新しいＷＴＲＵ１２０２のＩＤ、ＩＰアドレス、エリアＩＤ、およびセキュリティパラメータのうちの１または複数を含む。
【０２１６】
図１２の１２７４で、例において、例えば、ＨＳＳとのセカンダリアタッチのためのＷＴＲＵ１２０２の認証が省略される。例において、セキュリティキーは、その他のステップ（図示せず）において生成され、図１２の１２５６においてアタッチ受諾メッセージを介してＷＴＲＵ１２０２に返される。これは、それぞれのＲＡＴのアタッチ方法がシーケンシャルに実行されるときに当てはまる。
【０２１７】
図１２の１２７６で、この例においてはＭＭＥ１２０８であるセカンダリＲＡＴ制御ノードが、ＭＲＡの関連付けを確立するために、この例においてはＳＧＳＮ１２１０であるプライマリＲＡＴ制御ノードへの連絡を開始する。例において、ＳＧＳＮ１２１０は、ＭＭＥ１２０８にメッセージを送り返すことによって応答する。
【０２１８】
ＭＲＡ動作のためのコアネットワークの関連付けは、両方の制御ノード、例えば、ＭＭＥ１２０８およびＳＧＳＮ１２１０が、その後、ＷＴＲＵ１２０２の無線測定値の変化、ＷＴＲＵ１２０２のサービングセルの変更、ルーティングの変更、トラッキングエリアの変更、またはネットワークの負荷の変化に関連する受信された情報に基づいてコマンドを受信し、処理し、決定し、および送信することを可能にする。制御ノードは、ＷＴＲＵ１２０２に関連する情報を監視して、所与のＷＴＲＵ１２０２に関するＭＲＡ動作を調整する。
【０２１９】
図１３は、例示的なＲＡＴに固有の同時アタッチ方法１３００のフロー図の概略図である。ＷＴＲＵ１３０２は、以下のうちの少なくとも１つに従ってＲＡＴに固有のアタッチ手順を実行する。
【０２２０】
各ＲＡＴ上のアタッチ手順は、図１３に示されるように独立して実行される。ＷＴＲＵ１３０２は、ＣＮの対応するＲＡＴの部分と認証およびセキュリティキーの合意を独立して行う。ＷＴＲＵ１３０２は、ＵＴＲＡＮ／３ＧのＣＮと追加のＰＤＰコンテキストのアクティベーションを実行してデフォルトのＩＰアドレスを取得し、保存する。別の例においては、ＳＧＳＮ１３１０が、それがＷＴＲＵ１３０２にアタッチ受諾メッセージを送信した後、ＧＭＭメッセージ要求ＰＤＰコンテキストアクティベーションをＷＴＲＵ１３０２に送信することによってデフォルトのコンテキストの割り当てをトリガーする。
【０２２１】
ＭＲＡ動作のための各ＲＡＴ上で実行されるアタッチ方法において、以下の追加の情報が、同時アタッチを容易化するためにアタッチ要求に含まれる。アタッチタイプが、ＭＲＡ動作のためのアタッチの性質を示す。他方のＲＡＴについての情報が、セルのサーチから取得されている。情報は、他方のＲＡＴ上のエリアＩＤ情報に対応するものを識別するために、ＣＮのスイッチングノードに必要とされる他方のＲＡＴのエリアＩＤ情報を含む。ＣＮのスイッチングノードは、ＷＴＲＵ１３０２のためのＭＭＥ１３０８またはＳＧＳＮ１３１０である。
【０２２２】
ネットワークは、ＭＲＡ動作をサポートする。ＭＲＡ動作は、ＷＴＲＵ１３０２が複数のＲＡＴに、例においては異なるＰＬＭＮに渡ってアタッチされることを含む。この場合、ネットワークが、所与のＷＴＲＵ１３０２に関するＭＲＡ動作をサポートし、調整するための何らかの形態の関連付けを確立する。例えば、コアネットワークの制御エンティティが、以下のうちの少なくとも１つを実行する。
【０２２３】
ＣＮ制御ノードは、ＭＲＡの関連付けを開始する。例えば、ＣＮは、別のＣＮ制御ノードへの要求および応答トランザクションのシーケンスを使用する。例において、ＣＮは、ＷＴＲＵ１３０２からアタッチ要求を受信することに基づいて、あるいは例においてはＥＵＴＲＡのためのｅノードＢまたはＵＴＲＡのためのノードＢもしくはＲＮＣなどのＲＡＮ制御ノードから要求を受信することに基づいてシーケンスを開始する。例において、制御ノードは、ＷＴＲＵ１３０２の最初のアタッチ要求に含まれる情報を使用して識別され、探し出される。例えば、最初のアタッチ要求は、他方の関与するＰＬＭＮにおいてＰＬＭＮ−ＩＤ、ＲＡＩ、ＬＡＩ、およびセルのセルＩＤのうちの１または複数を含む。
【０２２４】
それぞれのＣＮ制御ノード１３０８、１３１０は、登録メッセージを受信する。例えば、ＣＮ制御ノード１３０８、１３１０は、ルーティング、トラッキング、またはロケーションエリアの更新を受信し、制御ノードの対応するＲＡＴの無線リソース上でＷＴＲＵ１３０２から測定レポートを受信する。例において、ＷＴＲＵ１３０２は、ＲＡＴのＲＡＮのＣＮに関するその通常のエリアの更新または測定レポートに、複数のＲＡＴのエリアの変更または測定結果を含める。
【０２２５】
ＣＮ制御ノード１３０８、１３１０は、ＭＲＡ動作がＷＴＲＵ１３０２に関するルーティング経路の変更を必要とすると決定する。ＣＮ制御ノード１３０８、１３１０は、アタッチされるＷＴＲＵ１３０２に、それ自体のＲＡＴ命令経路を介して、ＮＡＳコンテキスト、および例においてはさらにＮＡＳ接続、ならびに場合によっては再ルーティングされるトラフィックのためのＲＡＮ接続を確立するように命令する。
【０２２６】
例において、ＣＮ制御ノード１３０８、１３１０は、異なるＲＡＴの別のＣＮの制御１３０８、１３１０ノードとは無関係に、その対応するＲＡＴの経路を使用してアイドルモードのＷＴＲＵ１３０２をページングする。
【０２２７】
例において、ＣＮ制御ノード１３０８、１３１０は、どのノードが特定のサービスのためにＷＴＲＵ１３０２をページングする役割を担うかについて合意する。さらに、これは、ネットワークのポリシーまたは構成に基づく。例えば、ＭＭＥ１３０８およびＭＳＣ／ＶＬＲへの複合登録の間に、これは、オペレータのポリシー、ネットワークの構成、ＭＭＥ１３０８およびＭＳＣ／ＶＬＲのインタラクション、またはメッセージングのうちの少なくとも１つに基づく。
【０２２８】
例において、それぞれのＣＮ制御ノード１３０８、１３１０は、必要なページング手順を開始する。例において、ＭＳＣ／ＶＬＲは、適切な変更を伴ってＣＳドメインにおいてＷＴＲＵ１３０２をページングする。例えば、利用可能なＰＳサービスが存在する場合に、新しいＣＮドメインインジケータは、ＣＮがＰＳ／ＭＭＥまたはＰＳ／ＳＧＳＮであることを示す。ＰＳサービスの利用可能性は、ノードを一緒に接続するインターフェース上でのＭＭＥ１３０８−ＭＳＣ／ＶＬＲまたはＳＧＳＮ１３１０−ＭＳＣ／ＶＬＲインタラクションに基づく。例において、ＭＭＥ１３０８は、ＣＳサービスのためにＬＴＥにおいてＷＴＲＵ１３０２をページングする。例において、ＳＧＳＮ１３１０は、ＣＳサービスのためにＵＴＲＡＮにおいてＷＴＲＵ１３０２をページングする。
【０２２９】
対応するＣＮ制御ノード１３０８、１３１０は、単一のＰＤＰコンテキストが使用されるか、または例においては各ＰＤＰコンテキストが所与のＷＴＲＵ１３０２に関して同じＩＰアドレスなどの同様のパラメータ値を有するかのどちらかであると決定する。
【０２３０】
加えて、関与するネットワーク制御ノード１３０８、１３１０の間の探査動作が、コアネットワーク関連付け方法のために定義される。
【０２３１】
第１のノード、例えばＳＧＳＮ１３１０が、他方のＲＡＴ上でＣＮのスイッチングノード、例えば、ＭＭＥ１３０８にＭＲＡ関連付け要求メッセージを送信する。例においては、第１のノードは、ＷＴＲＵ１３０２であるＷＴＲＵ１３０２からアタッチ要求を受信する場合、該ＷＴＲＵ１３０２は、例においては正常に認証されたＷＴＲＵ１３０２である。ＣＮのスイッチングノードは、アタッチ要求内のＷＴＲＵ１３０２のロケーションエリアＩＤに基づいて決定される。そのとき、第１のノードは、未決定状態、例えば、ＭＲＡ関連付け未決定状態である。
【０２３２】
第２のノード、例えば、ＭＭＥ１３０８は、正常に認証されたＷＴＲＵ１３０２である同じＷＴＲＵ１３０２からトラッキング、ルーティング、またはロケーションエリアの更新などのアタッチ要求または登録メッセージを受信する。例において、第２のノードは、例えば、同時アタッチ方法の場合、第１のノードからＭＲＡ関連付け要求を既に受信済みである。例において、第２のノードは、それから、第１のノードにＭＲＡ関連付け応答メッセージを送り返す。例において、第２のノードは、例えば、シーケンシャルなアタッチ方法に関しては、他方のノードにＭＲＡ関連付け要求メッセージを送信する。
【０２３３】
第１のノードと第２のノードとの両方は、レディー（ｒｅａｄｙ）状態、例えば、ＭＲＡ関連付けレディー状態になる。例においては、両方のノードが、ＭＲＡ関連付け応答を受信したときにレディー状態に入る。
【０２３４】
ＭＲＡ関連付け応答は、トランザクション識別子、タイムスタンプ、および／または受諾／拒否のインジケーションのうちの少なくとも１つを含む。
【０２３５】
ＭＲＡ未決定状態は時間が限られており、時間切れになると、制御ノードの状態は元に戻され、関連付けは失敗したと見なされる。
【０２３６】
例において、コアネットワークの関連付けは、アタッチ、またはトラッキング、ルーティング、位置、もしくはエリア更新方法の結果としてトリガーされる。ＷＴＲＵ１３０２は、どのネットワークに関連付けるべきか、ＷＴＲＵ１３０２の機能、およびＵＳＩＭの加入を示す。ＣＮは、同じＰＤＰコンテキストが構成されることを保証する。例においては、関連付けが準備できていないかまたは確立されていない場合、複合アタッチまたは別々のアタッチが拒否される。
【０２３７】
ＲＡＮ制御ノード、例えば、ＥＵＴＲＡのためのｅノードＢまたはＵＴＲＡのためのノードＢもしくはＲＮＣは、接続されたＲＡＴ上でのＭＲＡ動作を終了するためにＷＴＲＵ１３０２に要求を開始する。ＲＡＮ制御ノードは、所与のＷＴＲＵ１３０２に関する別のＲＡＴのハンドオーバの失敗に応じて終了するための要求を開始する。例において、ＲＡＮ制御ノード、例えば、ＥＵＴＲＡのためのｅノードＢまたはＵＴＲＡのためのノードＢもしくはＲＮＣは、所与のＷＴＲＵ１３０２に関する１または複数のＲＡＴのハンドオーバの失敗に応答してＭＲＡ動作を終了するために、およびＭＲＡの関連付けを削除するために、コアネットワークへの要求を開始する。ＭＲＡ動作の終了は、関係のあるＲＡＴに関するデタッチ手順の開始を含む。
【０２３８】
１つの方法において、ＷＴＲＵ１３０２は、所定の期間、ＭＭＥ１３０８と通信しなかった場合、暗黙的にデタッチする。例において、ＷＴＲＵ１３０２は、関係のあるＲＡＴのそれぞれの状態を、登録取消された状態、デタッチされた状態、または同等の状態に変更する。例において、ＷＴＲＵ１３０２は、登録を取り消すかまたはデタッチするとき、それぞれの関係のあるＲＡＴの無線リソースのあらゆる専用の構成を削除する。
【０２３９】
図１４は、ｅＵＴＲＡ（ＬＴＥ／ＥＰＳ）ＲＡＴからの、例示的なＷＴＲＵにより開始される複合デタッチ方法１４００のフロー図の概略図である。図１４の１４５０において、ＷＴＲＵ１４０２が、例えば、ＬＴＥ  ＲＡＴの接続上で複合デタッチ要求を送信することによってコアネットワークからそれ自体をデタッチするデタッチ方法を開始する。図１４の１４５２において、ＷＴＲＵ１４０２が、ＭＭＥ１４０６にデタッチ要求などのＮＡＳメッセージを送信し、デタッチ要求１４５２は、ＧＵＴＩおよびスイッチオフなどの１または複数のパラメータを含む。例において、デタッチ要求１４５２は、複合ＥＰＳ／ＧＰＲＳデタッチまたは複合ＥＰＳ／ＧＰＲＳ／ＩＭＳＩデタッチなどのデタッチタイプインジケーションを含む。タイプインジケーションは、ＷＴＲＵ１４０２の状態およびネットワークへのアタッチのタイプに依存する。ＩＥのさらなる例については図２６を参照されたい。
【０２４０】
ＭＭＥ１４０８は、ＷＴＲＵ１４０２に関するＳＧＷ１４０８におけるアクティブなＥＰＳベアラを無効化する。例において、ＭＭＥ１４０８は、図１４の１４５２、１４５４、１４５６、および１４５８に示されるように、例えば、ＭＭＥ１４０８がＰＤＮ接続毎のセッション削除要求（ＬＢＩ）をＳＧＷ１４０８およびＰＧＷ１４１２に送信し、ＰＧＷ１４１２がセッション削除応答を送信することによって応答してアクティブなＥＰＳを無効化する。
【０２４１】
図１４の１４６０において、ＭＭＥ１４０６は、デタッチ通知、例えば、理由メッセージを関連するＳＧＳＮ１４０４に送信する。例において、デタッチ通知は、ＷＴＲＵ１４０２がさらにＧＰＲＳアタッチされているとき、デタッチ要求が複合ＥＰＳ／ＧＰＲＳデタッチかまたは複合ＥＰＳ／ＧＰＲＳ／ＩＭＳＩデタッチかのどちらかであるデタッチタイプを含んでいたＳＧＳＮ１４０４に送信される。例において、理由は、ネットワークからの完全なデタッチを示す。
【０２４２】
図１４の１４６２において、ＳＧＳＮ１４０４が、関係のあるＷＴＲＵ１４０２に関するＳＧＷ１４０８におけるアクティブなＰＤＰコンテキストを無効化する。例において、これは、例えば、ＳＧＳＮ１４０４がＰＤＮ接続毎のセッション削除要求（ＬＢＩ）をＳＧＷ１４０８およびＰＧＷ１４１２に送信し、図１４の１４６８においてセッション削除応答を受信することによって達成される。
【０２４３】
図１４の１４７０において、ＳＧＳＮ１４０４が、デタッチ肯定応答メッセージをＭＭＥ１４０８に送信する。１４７２において、例えば、関係のあるＷＴＲＵ１４０２がＩＭＳＩアタッチされており、デタッチタイプが複合ＥＰＳ／ＩＭＳＩまたは複合ＥＰＳ／ＧＰＲＳ／ＩＭＳＩを示す場合、ＭＭＥ１４０６が、ＩＭＳＩデタッチインジケーション（ＩＭＳＩ）メッセージ１４７２をＭＳＣ／ＶＬＲ１４１０に送信する。
【０２４４】
図１４の１４７４において、例えば、ＷＴＲＵ１４０２がＧＰＲＳアタッチされており、デタッチタイプが複合ＥＰＳ／ＧＰＲＳまたは複合ＥＰＳ／ＧＰＲＳ／ＩＭＳＩを示す場合、ＭＭＥ１４０６が、ＧＰＲＳデタッチインジケーションメッセージをＭＳＣ／ＶＬＲ１４１０に送信して、ＳＧＳＮ１４０４とのＭＳＣ１４１０の関連付けを解除する。
【０２４５】
図１４の１４７６において、例えば、ＷＴＲＵ１４０２がＥＰＳアタッチされており、デタッチタイプが複合ＥＰＳ／ＧＰＲＳ」またはＥＰＳのみまたはＥＰＳ／ＧＰＲＳ／ＩＭＳＩを示す場合、ＭＭＥ１４０６が、ＥＰＳデタッチインジケーションメッセージ１４７６をＭＳＣ／ＶＬＲ１４１０に送信してＭＭＥ１４０６とのＭＳＣ１４１０の関連付けを解除する。
【０２４６】
図１４の１４８０において、ＷＴＲＵ１４０２が、ＭＭＥ１４０６からデタッチ受諾メッセージを受信する。例において、ＷＴＲＵ１４０２は、関係のあるＲＡＴのそれぞれの状態を、登録を取り消された状態、デタッチされた状態、または同等の状態に変更する。図１４の１４７２、１４７４、および１４７６の順序は変わる。
【０２４７】
図１５は、ＵＴＲＡ（ＧＰＲＳ／ＵＭＴＳ／ＨＳＰＡ）ＲＡＴからの、例示的なＷＴＲＵにより開始される複合デタッチ方法のフロー図の概略図である。
【０２４８】
ＷＴＲＵ１５０２は、例えば、ＵＴＲＡＮ  ＲＡＴの接続上で複合デタッチ要求１５５０を送信することによって、コアネットワークからそれ自体をデタッチするデタッチ方法を開始する。
【０２４９】
図１５の１５５０において、ＷＴＲＵ１５０２が、デタッチ要求１５５０などのＮＡＳメッセージをＳＧＳＮ１５０４に送信する。デタッチ要求１５５０は、デタッチタイプ、Ｐ−ＴＭＳＩ、Ｐ−ＴＭＳＩ署名、またはスイッチオフなどの１または複数のパラメータを含む。例において、デタッチ要求１５５０は、複合ＥＰＳ／ＧＰＲＳデタッチ、複合ＥＰＳ／ＩＭＳＩデタッチ、または複合ＥＰＳ／ＧＰＲＳ／ＩＭＳＩデタッチなどのデタッチタイプインジケーションを含む。タイプインジケーションは、ＷＴＲＵ１５０２の状態およびネットワークへのアタッチのタイプに依存する。そのようなＩＥのより詳細な例は、以下で開示される。
【０２５０】
図１５の１５５２において、ＧＰＲＳデタッチの場合、ＳＧＳＮ１５０４が、ＷＴＲＵ１５０２に関連するＧＧＳＮにおけるアクティブなＰＤＰコンテキストを無効化する。これは、図１５の１５５２、１５５４、１５５６、および１５５８に示されるように、ＳＧＳＮ１５０４がセッション削除要求１５５２をＳＧＷ１５０８およびＰＧＷ１５１２に送信し、ＰＧＷ１５１２がセッション削除応答を送信することによって達成される。
【０２５１】
図１５の１５６０において、例えば、デタッチタイプがＥＰＳ／ＧＰＲＳデタッチか、ＥＰＳ／ＧＰＲＳ／ＩＭＳＩか、またはＥＰＳ／ＩＭＳＩデタッチかのどれかである場合、ＳＧＳＮ１５０４が、デタッチ通知理由メッセージを、さらにＥＰＳアタッチされているＷＴＲＵ１５０２について関連するＭＭＥ１５０６に送信する。例において、理由は、ＷＴＲＵ１５０２に関する完全なデタッチを示す。
【０２５２】
図１５の１５６２において、ＭＭＥが、関係のあるＷＴＲＵ１５０２に関するＭＭＥ１５０６におけるアクティブなＰＤＰコンテキストを無効化する。例において、これは、ＭＭＥ１５０６がＰＤＮ接続毎のセッション削除要求（ＬＢＩ）１５６２をＳＧＷ１５０８およびＰＧＷ１５１２に送信し、図１５の１５６８においてセッション削除応答を受信することによって達成される。
【０２５３】
図１５の１５７０において、ＭＭＥ１５０６が、デタッチ肯定応答メッセージをＳＧＳＮ１５０４に送信する。
【０２５４】
図１５の１５７２において、例えば、ＷＴＲＵ１５０２がＩＭＳＩアタッチされていた場合、ＳＧＳＮ１５０４またはＭＭＥ１５０６が、ＩＭＳＩデタッチインジケーション（ＩＭＳＩ）メッセージ１５７２をＭＳＣ／ＶＬＲ１５１０に送信する。例において、ＳＧＳＮ１５０４は、デタッチタイプが複合ＥＰＳ／ＩＭＳＩ、複合ＥＰＳ／ＧＰＲＳ／ＩＭＳＩ、またはＥＰＳ／ＩＭＳＩを示す場合、ＩＭＳＩデタッチインジケーションメッセージ１５７２を送信する。
【０２５５】
図１５の１５７４において、例えば、ＷＴＲＵ１５０２がＧＰＲＳアタッチされていた場合、ＳＧＳＮ１５０４またはＭＭＥ１５０６が、ＧＰＲＳデタッチインジケーションメッセージ１５７４をＭＳＣ／ＶＬＲ１５１０に送信してＳＧＳＮ１５０４とのＭＳＣ１５１０の関連付けを解除する。例において、ＳＧＳＮ１５０４は、デタッチタイプが複合ＥＰＳ／ＧＰＲＳまたは複合ＥＰＳ／ＧＰＲＳ／ＩＭＳＩを示す場合、ＧＰＲＳデタッチインジケーションメッセージ１５７４を送信する。
【０２５６】
図１５の１５７６において、ＷＴＲＵ１５０２がＥＰＳアタッチされていた場合、ＳＧＳＮ１５０４またはＭＭＥ１５０６が、ＥＰＳデタッチインジケーション（ＩＭＳＩ）メッセージ１５７６をＭＳＣ／ＶＬＲ１５１０に送信してＭＭＥ１５０６とのＭＳＣ１５１０の関連付けを解除する。ＳＧＳＮ１５０４またはＭＭＥ１５０６は、デタッチタイプが複合ＥＰＳ／ＧＰＲＳまたはＥＰＳ／ＧＰＲＳまたはＥＰＳ／ＩＭＳＩを示す場合、ＥＰＳデタッチインジケーション（ＩＭＳＩ）メッセージ１５７６をＭＳＣ／ＶＬＲ１５１０に送信する。
【０２５７】
図１５の１５８０において、ＳＧＳＮ１５０４が、デタッチ受諾メッセージをＷＴＲＵ１５０２に送信する。デタッチタイプＩＥのスイッチオフビットが、デタッチがスイッチオフ状況に起因するものでないことを示す場合、ＳＧＳＮ１５０４は、デタッチ受諾をＷＴＲＵ１５０２に送信する。図１５に関連して説明された方法は、ＷＴＲＵ１５０２がＰＳ  ＣＮエンティティとさらにＭＳＣ／ＶＬＲ１５１０との両方に関するデタッチ手順を実行しているときにも当てはまることに留意されたい。
【０２５８】
このように、ＷＴＲＵ１５０２が、ＭＭＥ１５０６に対して複合デタッチ方法１５００を開始し、ＭＭＥ１５０６が、さらに、ＭＳＣ／ＶＬＲ１５１０にデタッチ要求を示す。ＭＭＥ１５０６は、デタッチインジケーションをＭＳＣ／ＶＬＲ１５１０に転送する。また、ＷＴＲＵ１５０６は、ＭＳＣ／ＶＬＲ１５１０と複合デタッチ方法を実行し、ＷＴＲＵ１５０２は、ＣＳとＰＳ−ＭＭＥとの両方またはＰＳ−ＳＧＳＮに関するデタッチを示す。そして、ＭＳＣ／ＶＬＲ１５１０は、デタッチインジケーションを適切なＣＮノード、例えば、ＭＭＥ１５０６またはＳＧＳＮ１５０４に転送する。
【０２５９】
一部の例において、ＭＭＥ１５０６は、所定の期間、ＷＴＲＵ１５０２と通信しなかった場合、ＷＴＲＵ１５０２を暗黙的にデタッチする。例において、ＭＭＥ１５０６は、関係のあるＲＡＴに関するコアネットワークにおけるＭＲＡ動作のための関連付けを削除するための手順を開始する。別の方法においては、ＷＴＲＵ１５０２が、コアネットワークからそれ自体をデタッチするために、例えば、ＬＴＥ  ＲＡＴの接続上でＭＭＥ１５０６から複合デタッチ要求を受信する。
【０２６０】
図１６は、例示的なモビリティ管理エンティティ（ＭＭＥ１６０６）により開始される複合デタッチ方法１６００のフロー図の概略図である。
【０２６１】
１６５０において、ＷＴＲＵ１６０２が、ＭＭＥ１６０６からデタッチ要求メッセージ１６５０を受信する。例において、ＷＴＲＵ１６０２は、ＥＣＭ−ＣＯＮＮＥＣＴＥＤ状態である場合にのみＭＭＥ１６０６からデタッチ要求メッセージ１６５０を受信する。ＭＭＥ１５０６により開始されるデタッチ方法は、例えば、Ｏ＆Ｍ介入による明示的なものであるか、または暗黙的なものであるかのどちらかである。１６５２ないし１６７２は、図１４および図１５に関連して説明されたＷＴＲＵ１６０２により開始されるデタッチ手順と同様である。１６７６において、ＷＴＲＵ１６０２は、１６５０の後の任意の時間にデタッチ受諾メッセージ１６７６をＭＭＥ１６０６に送信する。例において、ＷＴＲＵ１６０２は、１６５０においてＭＭＥ１６０６からデタッチ要求メッセージ１６５０を受信する場合にのみＭＭＥ１６０６にデタッチ受諾メッセージ１６７６を送信する。ｅノードＢ（図示せず）は、このＮＡＳメッセージをＭＭＥ１６０６に転送する。ＷＴＲＵ１６０２は、ＭＲＡに関連するＲＡＴのそれぞれの状態を、登録を取り消された状態、デタッチされた状態、または同等の状態に変更する。
【０２６２】
例において、ＷＴＲＵ１６０２は、ＭＭＥ１６０６がＷＴＲＵ１６０２にデタッチ要求１６５０を送信するとき、ＵＴＲＡＮ（またはそれに登録されていた場合はＭＳＣ／ＶＬＲ）にアタッチされたままである。また、ＭＭＥ１６０６は、例えば、ＳＧＳＮおよび／またはＭＳＣ／ＶＬＲにデタッチ通知メッセージ１６６０を送信することによって、ＳＧＳＮ１６０４および／またはＭＳＣ／ＶＬＲ１６１０に、それがＷＴＲＵ１６０２をデタッチしていることを示す。デタッチ方法１６００が完了した後、ＷＴＲＵ１６０２は、それがまだアタッチされているＲＡＴを（これがまだ起動されていない場合）起動し、そのＲＡＴ上でその動作を継続する。
【０２６３】
一部の例において、ＳＧＳＮ１６０４は、所定の期間、ＷＴＲＵと通信しなかった場合、ＷＴＲＵ１６０２を暗黙的にデタッチする。例において、ＳＧＳＮ１６０４は、ＭＲＡに関連するＲＡＴに関するコアネットワークにおけるＭＲＡ動作のための関連付けを削除するための方法を開始する。一部の例において、ＷＴＲＵ１６０２は、コアネットワークからそれ自体をデタッチするために、例えば、ＵＴＲＡＮ  ＲＡＴの接続上でＳＧＳＮ１６０４から複合デタッチ要求を受信する。
【０２６４】
図１７は、例示的なサービング汎用パケット無線サービス（ＧＰＲＳ）サポートノード（ＳＧＳＮ）により開始される複合デタッチ方法１７００のフロー図の概略図である。１７５０において、ＷＴＲＵ１７０２が、ＳＧＳＮ１７０４からデタッチ要求メッセージ１７０２を受信する。デタッチ要求メッセージ１７０２は、デタッチタイプを含む。ＳＧＳＮ１７０４は、ＷＴＲＵ１７０２が接続状態である場合にデタッチ要求メッセージ１７５０を送信するのみである。ＳＧＳＮ１７０４により開始されるデタッチ方法１７００は、例えば、Ｏ＆Ｍ介入による明示的なものであるか、または暗黙的なものであるかのどちらかである。図１７において、１７５２ないし１７７８は、図１４および図１５に関連して説明されたＷＴＲＵ１７０２により開始されるデタッチ手順と同様である。１７８０において、ＷＴＲＵ１７０２が、１７５０の後の任意の時間にデタッチ受諾メッセージ１７８０をＳＧＳＮ１７０４に送信する。例において、ＷＴＲＵ１７０２は、ステップ１７５０においてＳＧＳＮ１７０４からデタッチ要求メッセージ１７５０を受信する場合にのみＳＧＳＮ１７０４にデタッチ受諾メッセージ１７８０を送信する。例において、ＷＴＲＵ１７０２は、ＭＲＡに関連するＲＡＴのうちの１または複数の状態を登録を取り消された状態、デタッチされた状態、または同等の状態に変更する。
【０２６５】
ＷＴＲＵ１７０２は、ＳＧＳＮ１７０４がＷＴＲＵ１７０２にデタッチ要求１７５０を送信するとき、そのＳＧＳＮ１７０４がＷＴＲＵ１７０２に登録されていた場合、ＥＵＴＲＡＮまたはＭＳＣ／ＶＬＲでアタッチされたままである。また、ＳＧＳＮ１７０４は、例えば、ＭＭＥ１７０６とＭＳＣ／ＶＬＲ１７１０との一方または両方にデタッチ通知メッセージ１７６０を送信することによって、ＭＭＥ１７０６および／またはＭＳＣ／ＶＬＲ１７１０に、ＳＧＳＮ１７０４がＷＴＲＵ１７０２をデタッチしていることを示す。デタッチ方法１７００が完了した後、ＷＴＲＵ１７０２は、まだアタッチされているＲＡＴを、まだ起動されていない場合は起動し、そのＲＡＴ上でその動作を継続する。
【０２６６】
例において、ＨＬＲ（図示せず）は、いくつかのオペレータのポリシーまたは加入情報に基づいてＷＴＲＵ１７０２をデタッチする。例において、ＨＬＲは、ＭＲＡに関連する１または複数のＲＡＴに関するコアネットワークにおけるＭＲＡ動作のための関連付けを削除するための手順を開始する。例において、ＷＴＲＵ１７０２は、ＨＬＲからのそのようにするためのインジケーションの結果としてＳＧＳＮ１７０４から複合デタッチ要求を受信する。
【０２６７】
図１８は、例示的なホームロケーションレジスタ（ＨＬＲ）により開始される複合デタッチ方法１８００のフロー図である。図１８の１８５０において、ＨＬＲ１８１４が、取消しタイプが加入取りやめに設定されることを伴ったＩＭＳＩ取消しタイプである位置取消しメッセージ１８５０をＳＧＳＮ１８０４に送信して、ＳＧＳＮ１８０４からＷＴＲＵ１８０２の加入者のＭＭおよびＰＤＰコンテキストを直ちに削除することを要求する。
【０２６８】
図１８の１８５２において、ＷＴＲＵ１８０２が、ＳＧＳＮ１８０４からデタッチ要求メッセージ１８５２を受信する。ＳＧＳＮ１８０４は、デタッチタイプを有するデタッチ要求をＷＴＲＵ１８０２に送信することによって、ＷＴＲＵ１８０２にＳＧＳＮ１８０４がデタッチされたことを知らせる。
【０２６９】
図１８において、１８５４ないし１８８２は、ＳＧＳＮ１８０４により開始されるデタッチ方法と同様である。図１８の１８８４において、ＳＧＳＮ１８０４が、位置取消し肯定応答（ＩＭＳＩ）メッセージ１８８４を伴ったＭＭおよびＰＤＰコンテキストの削除を確定する。
【０２７０】
例において、方法１８００は、ＷＴＲＵ１８０２がＭＭＥ１８０６またはＭＳＣ／ＶＬＲ１８１０に登録されているときに同様に使用される。したがって、ＭＭＥ１８０６またはＭＳＣ／ＶＬＲ１８１０は、ＨＳＳ／ＨＬＲ１８１４から位置取消しメッセージをやはり受信する。また、同様の動作が、ＭＭＥ１８０６およびＭＳＣ／ＶＬＲ１８１０に関して行われる。例えば、ＷＴＲＵ１８０２がデタッチされ、デタッチ通知がその他のＣＮのノード、例えば、ＭＭＥ１８０６および／またはＳＧＳＮ１８０４に送信される。
【０２７１】
図１９、図２０、および図２１は、３ＧＰＰネットワークにおけるＲＡＴおよび非３ＧＰＰネットワークにおけるＲＡＴに関するデュアル（ｄｕａｌ）ＲＡＴアクセスのための単一のアタッチ方法を開示する。３ＧＰＰネットワーク制御ノードと非３ＧＰＰネットワーク制御ノードとの間の相互接続は必ずしも保証されないので、以下の手法、つまり、非３ＧＰＰサイトに至るまでにＨＳＳ／認証、認可、およびアカウンティング（ＡＡＡ）システムを経ることが、図１９、２０、および２１に開示され、アタッチ要求は、３ＧＰＰセルおよび３ＧＰＰネットワークで始まり、次いで、非３ＧＰＰネットワークと通信する。
【０２７２】
図１９は、３ＧＰＰネットワークと非３ＧＰＰネットワークとの両方へのＷＴＲＵのアタッチをもたらす、ＵＴＲＡ（ＧＰＲＳ／ＵＭＴＳ／ＨＳＰＡ）ＲＡＴかまたはＥＵＴＲＡ（ＥＰＳ／ＬＴＥ）ＲＡＴかのどちらかからの複合アタッチ要求方法１９００の例のフロー図の概略図である。図１９の１９５０において、ＷＴＲＵ１９０２が、３ＧＰＰ／非３ＧＰＰネットワークへの複合アタッチのアタッチタイプで３ＧＰＰネットワーク１９０４にアタッチ要求１９５０を送信する。図１９の１９５２において、３ＧＰＰネットワーク１９０４が、ＷＴＲＵ１９０２の認証およびセキュリティ手順をトリガーする。図１９の１９５０、１９５２、１９５４、および１９５６に示されるように、ＷＴＲＵ１９９０２は、３ＧＰＰ  ＡＡＡサーバなどのサーバに登録され（１９５４）、ＡＡＡは非３ＧＰＰネットワークにおいてＷＴＲＵを登録する（１９５６）。図１９において、１９５８は、３ＧＰＰアタッチ手順である。
【０２７３】
図２０は、３ＧＰＰネットワークと非３ＧＰＰネットワークとの両方へのＷＴＲＵのアタッチをもたらす、非３ＧＰＰ  ＲＡＴからの複合アタッチ要求方法２０００の例のフロー図の概略図である。図２０の２０５０において、ＷＴＲＵ２００２が、非３ＧＰＰシステム２０１０に登録され、非３ＧＰＰシステム２０１０は、そのゲートウェイ／および信頼できるノードをＷＴＲＵ２００２の加入者情報で更新する。ゲートウェイ／信頼できるノード２０１０は、ＡＡＡサーバ２００８をＷＴＲＵ２００２の加入者情報で更新する。次いで、ＡＡＡサーバ２００８は、ＨＬＲ２００６をＷＴＲＵ２００２の加入者情報で更新する。そして、ＡＡＡサーバ２００８は、ＨＬＲ２００６へのＷＴＲＵ２００２の登録をトリガーする。ＷＴＲＵ２００２の加入者データおよび位置に基づいて、ＨＬＲ２００６またはＡＡＡサーバ２０８は、ＷＴＲＵ２００２がサポートするアクセス技術およびＷＴＲＵ２００２の加入者情報に応じて、ＭＭＥ／ＳＧＳＮ２００４に加入者挿入情報を送信する。そして、ＭＭＥ／ＳＧＳＮ２００４は、アタッチ方法を実行するトリガー２０６２である。
【０２７４】
例においては、図２０のアタッチ手順２０６２が、実行される。例において、図２０のアタッチ手順２０６２は、以下の通りである。ＭＭＥ２００４は、ＷＴＲＵ２００２が現在そのサービスを受けているＨＳＳを更新し、ＨＳＳからＷＴＲＵ２００２の加入情報を取得する。次いで、ＭＭＥ２００４は、ＩＰアドレスの割り当てがＬＴＥにおけるアタッチ手順の一部であるので、ＳＧＷ／ＰＤＮ  ＧＷへのＷＴＲＵ２００２のＰＤＮ接続を生成する。
【０２７５】
例において、図２０のアタッチ手順２０６２は、以下の通りである。ＷＴＲＵ２００２がＳＧＳＮ２００４から適切にデタッチせずに同じＳＧＳＮ２００４に再アタッチする場合に存在する、ＷＴＲＵ２００２に関してＳＧＳＮ２００４にアクティブなＰＤＰコンテキストが存在する場合、ＳＧＳＮ２００４は、適切なＧＧＳＮにＰＤＰコンテキスト削除要求（ＴＥＩＤ）メッセージを送信することによって、これらのＰＤＰコンテキストを削除する。ＧＧＳＮは、ＰＤＰコンテキスト削除応答（ＴＥＩＤ）メッセージを伴って肯定応答する。ＳＧＳＮ２００４は、ＨＬＲ２００６および古いＭＳＣ／ＶＬＲに対して位置更新手順を開始して古い位置を除去する。位置更新手順は、古いＳＧＳＮおよび適切なＧＧＳＮのあらゆる既存のＰＤＰコンテキストを削除する結果となる。ＨＬＲ２００６は、ＨＬＲ２００６とＳＧＳＮ２００４との間で加入者データ挿入メッセージ／加入者データ挿入肯定応答メッセージを交換することを通じて、ＨＬＲ２００６からＳＧＳＮ２００４に加入データを送信する。そして、ＳＧＳＮ２００４は、ＶＬＲおよびＨＬＲ２００６に対して位置更新手順を開始して、通信ネットワーク全体にＷＴＲＵ２００２の新しい位置を伝播する。
【０２７６】
図２０の２０６４に示されるように、３ＧＰＰアタッチが完了した後、ＭＭＥ／ＳＧＳＮ２００４は、ＡＡＡサーバ２００６に登録完了を送信する。図２０の２０６６において、ＡＡＡサーバ２００６が、ＴＡＩ、ＬＡＩ、ＲＡＩ、ＴＭＳＩ、およびＩＰアドレスのうちの１または複数を含む３ＧＰＰアタッチ情報で非３ＧＰＰノードを更新する。
【０２７７】
非３ＧＰＰ制御ノードがネットワーク内で３ＧＰＰ制御ノードによって到達可能である場合、３ＧＰＰ制御ノードが非３ＧＰＰ制御ノードに要求するところを示す図２１で以下に開示される以下のシーケンスで、一方の制御ノードがＷＴＲＵ２００２の代わりに他方にＷＴＲＵ２００２のＲＡＴを渡るアクセスを可能にするように要求することによって、デュアルモードのアタッチが実行される。
【０２７８】
図２１は、３ＧＰＰネットワークと非３ＧＰＰネットワークとの両方へのＷＴＲＵのアタッチをもたらす複合アタッチ方法２１００の別の例のフロー図の概略図である。図２１の２１５０において、３ＧＰＰセルと非３ＧＰＰセルとの両方を検出した後のＷＴＲＵ２１０２が、アタッチタイプＥＰＳ／非３ｇのデュアルモードアタッチ要求２１５０を送信することによって、３ＧＰＰ  ＲＡＴ／セル、例えばＬＴＥセルからデュアルＲＡＴネットワーク登録２１５０を開始する。
【０２７９】
図２１の２１５２において、３ＧＰＰ−ＣＮ制御ノード、例えば、ＭＭＥ２１０４がデュアルモードアタッチ要求を受信するとき、ＭＭＥ２１０４は、まず、３ＧＰＰドメインでＨＳＳ（図示せず）と一緒にＷＴＲＵ２１０２を認証し、セキュリティキーを生成する。図２１の２１５４において、ＷＴＲＵ２１０２およびＣＮ２１０４のコンテキストが、ゲートウェイノード、例えば、Ｓ−ＧＷ２１０６もしくはＰ−ＧＷ２１０８、またはＳＧＳＮ／ＧＧＳＮ（図示せず）で確立される。図２１の２１２０において、非３ＧＰＰセルでＷＴＲＵ２１０２によって発見された非３ＧＰＰのＲＡＴ情報に基づいて、３ＧＰＰ−ＣＮ制御ノード２１０４が、必要なＷＴＲＵ２１０２および非３ＧＰＰのセル情報を用いて、非３ＧＰＰローカルネットワーク制御ノード、例えば、信頼できる非３ＧＰＰアクセスノード２１１２に非３ＧＰＰアクセス登録を送信する。
【０２８０】
図２１の２１５８において、非３ＧＰＰ制御ノード２１１２が、ＷＴＲＵ２１０２の情報およびＰ−ＧＷの情報を含む認証および認可情報をＨＳＳ／ＡＡＡ２１１０と交換し、ＷＴＲＵ２１０２に関する非３ＧＰＰアクセス認可パラメータを取り返す。
【０２８１】
図２１の２１６０において、非３ＧＰＰ制御ノード２１１２が、３ＧＰＰ制御ノード２１０４に肯定応答メッセージを送り返し、クロス−ＲＡＴ登録の成功を知らせる。図２１の２１６２において、３ＧＰＰ制御ノード２１０４が、３ＧＰＰネットワークおよび非３ＧＰＰネットワークのための動作パラメータとともにアタッチ受諾メッセージをＷＴＲＵ２１０２に送り返す。
【０２８２】
図２２は、セッション管理を実行するための異なる方法を概略的に示す。図２２Ａに示されるのは、ＲＡＴ−固有のセッション管理方法であり、メッセージ２２３４ＡがＷＴＲＵ２２０２からＵＭＴＳシステム２２０４、２２０６のＳＧＳＮであるＮＡＳレベルエンティティ２２１２に送信される。メッセージ２２３４は、エアーインターフェース５１６上で送信される。図２２Ｂに示されるのは、プロキシに基づくセッション管理であり、メッセージ２２３４がＷＴＲＵ２２０２からＬＴＥシステム２２１４、２２０７のＭＭＥであるＮＡＳエンティティ２２１３に送信される。そのとき、メッセージ２２３４は、ＮＡＳエンティティ２２１３からＵＭＴＳシステムのＳＧＳＮであるＮＡＳ２２１２に送信される。メッセージ２２３４は、ＮＡＳ２２１２のためのセッション管理情報を含む。
【０２８３】
ＷＴＲＵ２２０２は、モビリティ管理のために以下のうちの少なくとも１つを実行する。ＷＴＲＵ２２０２が、ＭＲＡのサポートに関してネットワークを監視する。ＷＴＲＵ２２０２が、アタッチ受諾、アタッチ拒否、ＴＡＵ受諾、ＴＡＵ拒否のうちの１または複数などの登録メッセージで、ＭＲＡのサポートについてのインジケーションを受信する。ＷＴＲＵ２２０２が、その他のＮＡＳメッセージで、またはＯＭＡ  ＤＭもしくはＯＴＡを介してＭＲＡに関するネットワークのサポートの明示的なインジケーションを受信する。
【０２８４】
ＷＴＲＵ２２０２は、ネットワークへの登録手順においてそのＭＲＡ機能を示す。ＷＴＲＵ２２０２は、ネットワークに登録すると、そのＭＲＡ動作のサポートのインジケーションを提供する。例えば、ＷＴＲＵ２２０２は、以下の登録メッセージ、すなわち、アタッチ要求、ＧＭＭアタッチ要求、ロケーションエリア更新（ＬＡＵ）要求、ルーティングエリア更新（ＲＡＵ）要求、およびトラッキングエリア更新（ＴＡＵ）要求のうちの１または複数でそのＭＲＡのサポートを示す。例において、このインジケーションは、無線アクセス機能ＩＥもしくはネットワーク機能ＩＥ、またはこの目的のために定義される任意のその他の新しいＩＥの一部として含まれる。
【０２８５】
例において、ＷＴＲＵ２２０２は、その他のＮＡＳメッセージを課してこのインジケーションを提供する。例えば、ＭＲＡのサポートに関するインジケーションは、ＥＭＭ情報で提供される。ＷＴＲＵ２２０２は、ＷＴＲＵ２２０２の設定が変更されると、ＭＲＡ動作がＷＴＲＵ２２０２で今サポートされているかもしくはアクティブ化されているか、またはＷＴＲＵ２２０２で今無効化されているかもしくはサポートされていないなど、ＭＲＡのサポートを示す。例えば、ＷＴＲＵ２２０２によって送信されるＭＲＡのサポートのインジケーションは、ＭＲＡのサポートが変更されるときになされる。例えば、ＷＴＲＵ２２０２は、そのＭＲＡ動作のサポートがサポートされていないもしくは無効化されていることから、サポートされているもしくはアクティブ化されていることに変わるか、またはサポートされているもしくはアクティブ化されていることからサポートされていないもしくは無効化されていることに変わる度にネットワークに示す。
【０２８６】
ＷＴＲＵは、ＭＲＡに対応したＲＡＴである複数の関係のあるＲＡＴに関するコアネットワーク（ＣＮ）のドメインに登録する。例えば、ＲＡＴは、ＭＲＡに対応しているとしてＷＴＲＵによって決定されている。例えば、ＷＴＲＵは、ＭＲＡ動作のためにＬＴＥおよびＵＭＴＳを使用している場合、ＭＭＥとＳＧＳＮとの両方に登録する。例において、ＷＴＲＵは、ＭＳＣ／ＶＬＲなどのその他のノードにも登録する。ＷＴＲＵは、ＭＲＡのサポートのアクティベーションまたはインジケーションがあると２つ以上のＣＮのノードへのそのような登録を実行する。代替的に、そのような登録は、たとえＷＴＲＵが両方のＲＡＴまたは関係のあるＲＡＴのうちの少なくとも１つでアイドルモードのままである場合も行われる。例えば、ＷＴＲＵは、たとえＭＲＡ動作が電源がオンになった直後に使用されないとしても、電源がオンになると（ＭＭＥ、ＳＧＳＮ、およびＭＳＣ／ＶＬＲなどの）必要なＣＮエンティティに登録する
【０２８７】
例において、ＨＳＳ、ＨＬＲ、ＭＭＥ、ＳＧＳＮ、またはＭＳＣ／ＶＬＲなどのＣＮエンティティは、ＭＲＡ動作がＷＴＲＵに対して提供される可能性があるか否かを示すために、例えば、あらゆるＷＴＲＵ（ＷＴＲＵの加入プロファイルに）に関して１つのインジケーションを有する。例えば、アタッチすると、ＨＳＳは、ＭＲＡ動作がＷＴＲＵに関してサポートされるか否かのインジケーションをＨＳＳによって送信されるロケーション更新ＡＣＫメッセージでＭＭＥに転送する。ＳＧＳＮ、ＨＳＳ、ＭＳＣ／ＶＬＲ、およびＨＬＲなどのその他のネットワークエンティティは、ＷＴＲＵがＭＲＡ動作に関してサポートされるか否かを示す同様のメッセージを送信する。例において、ＷＴＲＵは、ＰＳもしくはＣＳのみ、ＬＴＥのＰＳおよびＵＭＴＳのＰＳのみ、ＬＴＥのＰＳおよび非３ＧＰＰのＰＳのみ、またはＬＴＥのＰＳならびにＵＴＲＡＮのＰＳおよびＵＴＲＡＮのＣＳのみなどの特定のサービスに関してのみに関してＭＲＡ動作を許される。
【０２８８】
例において、以下は、ＷＴＲＵに関する加入情報である。ＭＲＡ動作は、１つのＩＰアドレスに関してのみ許され、特定のＡＰＮへの接続を介して得られるトラフィックに関してのみ許される。
【０２８９】
上で開示されたモビリティ管理方法は、さまざまなタイプのＲＡＴおよびさまざまなＣＮエンティティのために使用される。例えば、ＷＴＲＵおよびＭＭＥエンティティが通信するＬＴＥシステム内のＷＴＲＵに関して開示された方法が、ＷＴＲＵおよびＳＧＳＮエンティティが通信するＵＴＲＡＮシステム内のＷＴＲＵによっても使用される。
【０２９０】
ＷＴＲＵがネットワーク、ＲＡＴ、またはＣＮエンティティのうちの１または複数上で登録を実行するための登録方法が、開示される。ＷＴＲＵは、ＭＲＡサービスを使用するために、異なるＲＡＴに属する異なるＣＮエンティティ上で登録を行う。新しい登録のタイプが、ＭＲＡが必要とされることをネットワークに示すＷＴＲＵによって定義される。
【０２９１】
例において、ＷＴＲＵは、ＭＲＡを用いるＥＰＳアタッチなどの新しいアタッチタイプＩＥを有するアタッチ要求メッセージを送信することによって、ＬＴＥまたは別のネットワークタイプ上でアタッチ手順を実行する。代替的に、ＷＴＲＵは、ＥＰＳアタッチなどの既存のアタッチタイプを使用し、ＷＴＲＵのＭＲＡのサポートなどの追加ＩＥをメッセージに含める。例において、ＷＴＲＵは、ＭＭＥ／ＳＧＳＮへのデュアル登録、またはＭＭＥ／ＳＧＳＮ／ＭＳＣへのトリプル（ｔｒｉｐｌｅ）登録をそれぞれ示すための「ＥＰＳ／ＳＧＳＮアタッチ」または「ＥＰＳ／ＳＧＳＮ／ＩＭＳＩアタッチ」などの新しいアタッチタイプを送信する。その他のネットワークエンティティおよびその他のネットワークタイプが使用される。
【０２９２】
例において、ＷＴＲＵからメッセージを受信するＣＮエンティティ、例えば、ＭＭＥエンティティが、ＭＲＡを実行するために１または複数のその他のＣＮエンティティにおいてＷＴＲＵを登録する。ＣＮエンティティは、ＷＴＲＵがＭＲＡ動作を許されることを示すＷＴＲＵの加入に応答して１または複数のその他のＣＮエンティティにおいてＷＴＲＵを登録する。例において、ＷＴＲＵは、直接ＷＴＲＵによってまたはＷＴＲＵが１または複数のＣＮエンティティに登録することに応答してＣＮエンティティによってＣＮエンティティに登録される。
【０２９３】
例において、ＭＭＥは、ＬＴＥネットワークへのＷＴＲＵの登録が成功であったことを示すアタッチ受諾メッセージを送信する。ＮＡＳメッセージまたはその他のタイプのメッセージがＷＴＲＵに送信され、該メッセージはＷＴＲＵがＵＭＴＳ、ＧＥＲＡＮなどの別のＲＡＴ上で特定のその他のシステムへの登録、またはＳＧＳＮもしくはＭＳＣ／ＶＬＲなどの特定のエンティティへの登録、または非３ＧＰＰアクセスへの登録を実行すべきであることを示す。ＷＴＲＵが別のＲＡＴ上で別のネットワークエンティティまたは別のネットワークに登録すべきであることを示すメッセージは、ネットワークオペレータのポリシー、加入情報（ＭＭＥのローカルにあるかまたはＨＳＳからＭＭＥによって取り出されるかのどちらかである）、位置または負荷／混雑情報に基づいて送信される。
【０２９４】
例において、ＭＭＥまたはその他のネットワークエンティティは、ＷＴＲＵの代わりにＳＧＳＮまたはＭＳＣ／ＶＬＲなどの必要とされるＣＮへの登録を実行する。そのとき、ＭＭＥは、Ｓ３インターフェース、またはこれらの２つのネットワークエンティティを接続する別のインターフェースを使用してＳＧＳＮに対する登録手順を実行する。ＭＭＥまたはその他のネットワークエンティティは、新しいメッセージタイプまたは既存のメッセージタイプを使用する。ＭＭＥまたはその他のネットワークエンティティは、ＷＴＲＵが少なくとも２つのＲＡＴ上で同時に動作すると予想されるように、受信するエンティティに、ＷＴＲＵの登録のタイプがＭＲＡ登録であることを示す。
【０２９５】
例において、ネットワークエンティティのうちの１つは、ＷＴＲＵの主な登録またはコンテキストに責任を持つマスタエンティティである。ＭＭＥおよびＳＧＳＮまたはＭＳＣ／ＶＬＲなどのネットワークエンティティは、どのエンティティがＷＴＲＵの主な登録またはコンテキストに責任を持つことになるのかについて調整し、及び合意する。例において、マスタエンティティは、開始ノードであるか、または、オペレータのポリシーまたはこれらのエンティティのローカルで定義されるその他の条件に基づいて、ＣＮエンティティがマスタエンティティを決定する。例において、マスタノードは、ネットワークの状態に基づいて決定され、例えば、特定のネットワークのリソースが少ないとき、マスタエンティティは異なるネットワークに割り振られる。
【０２９６】
例において、ＭＭＥなどのネットワークエンティティは、その他のＣＮエンティティにＷＴＲＵのＭＲＡ動作のためのコンテキスト情報を提供する。例えば、ＭＭＥは、ＳＧＳＮにＥＰＳベアラコンテキストを提供し、ＰＤＮ接続の数、ＰＤＮ接続のタイプ、例えば、ＩＰｖ４またはＩＰｖ６、およびデフォルトベアラの数を示す。例において、ＭＭＥは、ＰＤＮ  ＧＷとＳＧＷとの一方または両方に関する情報を送信する。例えば、ＭＭＥは、ＰＤＮ  ＧＷおよびＳＧＷのアドレス、セットアップされるべき新しいベアラのトンネルエンドポイントＩＤ、およびＷＴＲＵのＭＲＡ動作に関連する任意のその他の情報を含む。例において、ＭＭＥは、ＷＴＲＵのＭＲＡについてその他のＣＮエンティティに知らせる。例えば、ＭＭＥは、ＰＤＮ  ＧＷとＳＧＷとの一方または両方に、ＷＴＲＵがＭＲＡモードで動作することをメッセージで送信する。ＳＧＳＮ、ＰＤＮ  ＧＷ、またはＳＧＷ、またはその他のネットワークエンティティは、ＷＴＲＵがＭＲＡモードで動作するというインジケーションを使用してＷＴＲＵに関するその他のアクションを実行する。例えば、ＰＤＮ  ＧＷは、ＭＭＥ／ＳＧＷとＳＧＳＮとの両方のために、ＷＴＲＵのコンテキスト情報を記憶する。別の例として、ＷＴＲＵの登録手順の間じゅうずっと、ＭＭＥは、新しいデフォルトベアラを生成するとき、ＷＴＲＵのＭＲＡ機能に応じて、ＳＧＳＮまたはＲＮＣなどの異なるＲＡＴタイプを通じてＷＴＲＵのための追加のデフォルトベアラリソースおよびベアラコンテキストを準備するようにＳＧＷ／ＰＧＷに指示する。例において、ＳＧＷ／ＰＧＷは、単一のデフォルトベアラを使用し、複数の専用ベアラおよび複数のセカンダリＰＤＰコンテキストを確立する。
【０２９７】
例において、コアネットワークのＣＮエンティティからＷＴＲＵのＭＲＡ動作に備えるための指示を受信するＣＮエンティティ、例えば、ＳＧＳＮは、ローカルもしくはリモートのどちらかで取得される加入情報などのネットワークオペレータのポリシー、位置情報、負荷、または混雑情報のうちの１または複数に基づいて登録を受諾または拒否する。
【０２９８】
ＷＴＲＵのＭＲＡ動作に備えるための指示を受信する他方のネットワークエンティティ、例えば、ＳＧＳＮが登録を受諾する場合、他方のネットワークエンティティ、例えば、ＳＧＳＮは、送信するネットワークエンティティ、例えば、ＭＭＥにメッセージを送信する。例において、送信するネットワークエンティティに送信されるメッセージは、新しいメッセージタイプ、または新しい理由もしくはＩＥを用いる既存のメッセージタイプである。他方のネットワークエンティティ、この例においてはＳＧＳＮは、制御またはユーザプレーンのためのトンネルエンドポイントのアドレスに関して、送信するネットワークエンティティ、この例においてはＭＭＥへの情報をも含む。他方のエンティティ、この例においてはＳＧＳＮは、送信するエンティティ、この例においてはＭＭＥへの応答メッセージで、ＷＴＲＵに関する情報を提供する。ＷＴＲＵに関する情報は、ＭＳＣ／ＶＬＲから得られるＳ−ＴＭＳＩ、ルーティングエリア識別情報、またはロケーションエリア識別情報のうちの１または複数を含む。
【０２９９】
例において、他方のエンティティ、この例においてはＳＧＳＮがオペレータのポリシーまたは加入ポリシーに基づいて登録を拒否する場合、他方のエンティティは、送信するエンティティに、適切な理由を含む登録の拒否を示すメッセージを送信する。例において、この例においてはＭＭＥである送信するエンティティまたはＷＴＲＵは、登録の再試行を監視する例えば何らかのタイマーに基づいて登録を再試行する。
【０３００】
ＷＴＲＵは、送信するネットワークエンティティ、この例においてはＭＭＥと、受信するエンティティ、この例においてはＳＧＳＮとの両方によって複合手順が受諾されたことを示すアタッチ受諾メッセージを受信する。例において、メッセージは、アタッチ結果または更新結果）ＩＥに関する新しい値を使用し、アタッチ受諾メッセージは、既存のアタッチ受諾メッセージに新しいＩＥを追加する。例において、ＷＴＲＵは、両方のＣＮに関する共通のＮＡＳモビリティ管理識別、および２つのＰＳドメインに関する識別およびＣＳドメインに関する識別を与えられる。例において、ＷＴＲＵは、ＣＮまたはＲＡＴ毎に独立した識別子を与えられる。例えば、ＷＴＲＵは、ＬＴＥの動作毎のＳ−ＴＭＳＩ、ＧＰＲＳの動作毎のＰ−ＴＭＳＩ、およびＣＳドメインの動作毎のＴＭＳＩを与えられる。
【０３０１】
例において、ＷＴＲＵは、共通の周期的な更新タイマーを備え、それが切れると、必要なＣＮのドメインへの周期的な更新登録を実行する。周期的な更新は、複合的な周期的な更新または登録メッセージを受信したＣＮエンティティであるプライマリＣＮエンティティから、ＳＧＳＮおよび／またはＭＳＣ／ＶＬＲなどの、ＷＴＲＵが登録される別のＣＮエンティティへの、複合登録または更新をトリガーする複合的な周期的更新である。
【０３０２】
例において、ＷＴＲＵは、既存の方法を使用して個々のＣＮエンティティに対する独立した更新を実行する。例において、１つのＣＮエンティティへの周期的な更新または登録メッセージは、その他のＣＮエンティティへのＷＴＲＵの登録ステータスのインジケーションを、ＲＡＩ、Ｐ−ＴＭＳＩ、ＧＵＴＴＩ、Ｓ−ＴＭＳＩ、およびＴＭＳＩなどのＣＮエンティティの識別情報のうち１または複数とともに含む。
【０３０３】
例において、ＷＴＲＵは、まず、１つのＣＮまたはＲＡＴに登録し、ＭＲＡ動作をトリガーするイベントが起きるとき、別のＲＡＴまたはＣＮ上で登録を行う。例において、ＷＴＲＵは、トラッキング／ルーティング／ロケーションエリア更新メッセージを登録メッセージとして使用する。
【０３０４】
例において、ＭＲＡ  ＷＴＲＵは、所与のＲＡＴ上でアイドルモードであり、一方、別のＲＡＴ上では接続モードである。各ＲＡＴにおけるアイドルモードと接続モードとの間の遷移は、互いに無関係に発生する。例において、ＷＴＲＵは、１つのＲＡＴ上でアイドルモードであることを許されず、一方、別のＲＡＴ上では接続モードであることを許されない。例において、ＷＴＲＵがＲＡＴ上でアイドルモードになるとき、ＷＴＲＵがＲＡＴ上で通信しないまま所定の期間よりも長くアイドルモードに留まることを防止するために、所定の時間を有するタイマーが開始される。タイマーは、ＷＴＲＵ、コアネットワーク、またはＲＡＮにおいて開始される。
【０３０５】
例において、ＷＴＲＵ、ＲＡＮ、またはコアネットワークは、ＭＲＡ動作モードから単一ＲＡＴ動作モードに遷移する。例において、ＷＴＲＵ、ＲＡＮ、またはコアネットワークは、ＷＴＲＵがＭＲＡモードから単一ＲＡＴアクセスモードに遷移することを要求する。
【０３０６】
例において、ＷＴＲＵは、いくつかのドメイン上で、またはいくつかのＣＮエンティティ、例えば、ＭＭＥおよびＭＳＣ／ＶＬＲに登録され、各ＲＡＴ上で実行される並列のもしくは同時のセッションが存在するとき、またはセッションが異なるＣＮエンティティによって制御されるとき、ＲＡＴを起動するのみである。例えば、ＭＭＥとＭＳＣ／ＶＬＲとの両方に登録され、ＭＲＡで動作しているＷＴＲＵは、同時に必要とされるＰＳサービスとＣＳサービスとの両方が存在する場合、ＭＲＡのみを使用する。例えば、ＬＴＥ  ＣＮにおけるＷＴＲＵは、ＣＳ通話が存在するときにＣＳＦＢを実行するが、ＬＴＥに関するＰＳを使用しない。別の例として、ＬＴＥのＰＳセッションおよびＧＥＲＡＮ／ＵＴＲＡＮのＣＳセッションを用いるＷＴＲＵは、ＭＲＡで動作し、したがって、ＬＴＥへのＲＡＴとＧＥＲＡＮ／ＵＴＲＡＮへのＲＡＴとの両方を使用している。
【０３０７】
例において、トリガーが、ＷＴＲＵまたはネットワークエンティティのどちらか、または両方に適用される。例において、トリガーは、ＭＲＡ動作を開始するか、またはＭＲＡ動作を終了する。例において、トリガーは、ＷＴＲＵがＭＲＡ動作に入るための方法を開始するもので、このＭＲＡ動作とはＷＴＲＵがコアネットワーク上で登録を行うことを含む。
【０３０８】
例において、ＷＴＲＵの加入が、１つのＲＡＴ上で提供される最大ビットレートが存在し、追加のサービス要求、例えば、任意のＱｏＳクラスまたは追加のリソースを必要とするセッション管理要求が存在するようなものである場合、ＷＴＲＵがＭＲＡ動作に入るためにトリガーがアクティブになる。例においては、トリガーを起こす要求されたサービスのタイプが、ＭＲＡ動作のためのＲＡＴを決定する。例えば、ＰＳサービスが要求される場合、ＬＴＥなどのＰＳサービスを提供するＲＡＴが、ＭＲＡ動作のためにアクティブ化される。別の例として、ＷＴＲＵがアクティブなＬＴＥ  ＲＡＴを有する場合、ＭＯまたはＭＴ  ＣＳサービス、例えば、ＳＭＳ、ＳＳ、音声通話の要求が、ＣＳを提供するＲＡＴ上のＭＲＡのアクティブ化／開始をトリガーする。
【０３０９】
ユーザは、ＭＲＡ動作を要求する。例えば、ユーザは、ユーザインターフェース上でＭＲＡ動作を要求するか、またはＭＲＡ動作をトリガーするＷＴＲＵの設定を変更する。例において、ＷＴＲＵの設定は、ＯＭＡ  ＤＭまたはＯＴＡを介して変更され、これにより、ＭＲＡ動作をトリガーする。
【０３１０】
例において、ＷＴＲＵは、システムの任意のネットワークエンティティ、例えば、ＲＮＣ、ｅノードＢ、ノードＢなどの任意のＲＡＮエンティティ、またはＣＮエンティティ、例えば、ＭＭＥまたはＳＧＳＮから、ＭＲＡで動作するための明示的なインジケーションを受信する。
【０３１１】
例において、ＭＲＡ動作に入るためのトリガーは、システムがＭＲＡをサポートするというインジケーションがＷＴＲＵによって受信されると起こされる。例において、ＷＴＲＵは、ネットワークがＭＲＡ動作をサポートするというインジケーションを受信する場合、ＷＴＲＵのユーザがＭＲＡに入りたいか否かを決定する。例において、ＷＴＲＵは、ネットワークがＭＲＡをサポートしないとき、ユーザに示す。
【０３１２】
例において、ＭＲＡ動作に入るためのトリガーは、ＷＴＲＬが特定のＡＰＮへのまたは特定のサービス（ＭＯもしくはＭＴ）のためのＰＤＮ接続を要求した結果として起こされる。例において、ＭＲＡ動作に入るためのトリガーは、所定の数のＰＤＮ接続が既に１つのＲＡＴ上でセットアップ済みであるとき、ＰＤＮ接続の要求の後、起こされる。
【０３１３】
例において、ＷＴＲＵがＶＰＬＭＮローミング（ＶＰＬＭＮ  ｒｏａｍｉｎｇ）しているとき、ＶＰＬＭＮは、これが問題のＶＰＬＭＮに関して許可されているというＨＰＬＭＮからのインジケーションがあるとＭＲＡをアクティブ化する。
【０３１４】
例において、サービスのサポートがないことが、ＭＲＡをアクティブ化するためのトリガーを起こす。例えば、ＣＳＦＢのサポートがないことが、ＷＴＲＵに関するＭＲＡをアクティブ化し、その結果、それぞれ、ＬＴＥおよびＵＴＲＡＮ／ＧＥＲＡＮを介したＰＳサービスとＣＳサービスとの両方を引き続き有することができる。別の例として、ＬＴＥ（ＮＡＳまたはＲＲＣメッセージで示される）におけるＩＭＳまたはＶｏＩＰのサポートがないことが、ＭＲＡをアクティブ化するためのトリガーを起こし、その結果、ＷＴＲＵが、ＧＥＲＡＮ／ＵＴＲＡＮのＣＳドメインを介した音声サービスを引き続き得ることができる。
【０３１５】
例において、ＷＴＲＵがＬＴＥ内にいる間にＣＳの緊急通報を行う要求は、緊急通報を提供するためにＭＲＡ動作がアクティブ化されるためのトリガーを起こす。
【０３１６】
図２３は、２つの新しい情報要素（ＩＥ）を導入する複合アタッチ手順のためのＥＰＳアタッチタイプ情報要素（ＩＥ）を示す表を概略的に示す。例において、複合デタッチ手順のためのＥＰＳアタッチタイプ情報要素（ＩＥ）は、複合ＥＰＳ／ＧＰＲＳ／ＩＭＳＩアタッチ２３１０および複合ＥＰＳ／ＧＰＲＳアタッチ２３２０を含むように定義される。新しい複合アタッチ情報要素２３１０、２３２０は、それぞれ、ビット０１１および１００として表される可能性がある。
【０３１７】
図２４は、複合アタッチ手順のための修正されたＥＰＳアタッチ受諾メッセージを示す表を概略的に示す。ＥＰＳアタッチ受諾メッセージ２４１０は、新しいＩＥ「ＵＴＲＡＮアタッチステータス」をカプセル化する。例において、アタッチ受諾メッセージ２４１０は、単一のＰＤＰコンテキストアクティベーションが使用される複合アタッチ方法である。
【０３１８】
図２５は、図２４に示された修正されたＥＰＳアタッチ受諾メッセージに関連して検討されたＧＰＲＳ／ＵＭＴＳアタッチステータス情報要素（ＩＥ）を示す表を概略的に示す。このＧＰＲＳ／ＵＭＴＳアタッチステータス情報要素（ＩＥ）の内容は、定義された通常のＧＰＲＳ／ＵＭＴＳアタッチ受諾メッセージの内容と同じである。例において、ＩＥは、ＷＴＲＵへの最終送信先を有するＭＭＥなどのＥＰＣネットワークノードに対する透過的なコンテナでもある。ＳＧＳＮなどのＧＰＲＳ／ＵＭＴＳのコアネットワークノードは、ＧＰＲＳ／ＵＴＲＡＮアタッチ受諾メッセージ並んで追加の情報を含める。ＩＥは、ＭＭＥなどのＥＰＣノードによって処理され、使用すべき追加の情報も含む。例において、１つのシステム、例えば、ＥＰＳ、ＧＰＲＳ／ＵＭＴＳ、または非３ＧＰＰＳシステムからのアタッチ受諾メッセージは、他方のシステム、例えば、ＥＰＳ、ＧＰＲＳ／ＵＴＲＡＮ、または非３ＧＰＰネットワークによってＷＴＲＵに送信されるアタッチ受諾メッセージにカプセル化され、ＷＴＲＵに最終的なアタッチ受諾メッセージを送信するシステムに対する透過的なコンテナとしてカプセル化される可能性がある。透過的なコンテナは、ネットワークエンティティがメッセージの内容を解釈または理解する必要がないが、ネットワークを通じてメッセージを渡すことを意味する。
【０３１９】
図２６は、修正されたＥＰＳアタッチ受諾メッセージの内容の別の例を示す表を概略的に示す。図２６に示されるのは、ＵＴＲＡＮアタッチステータス２６１０およびＰＤＰコンテキスト２６２０ＩＥのＵＴＲＡＮアクティベーションである。２６１０と２６２０との両方は、情報要素（ＩＥ）であり、両方とも、ＷＴＲＵにアドレス指定された透過的なコンテナにカプセル化される。ＵＴＲＡＮアタッチステータス２６１０は、ＧＰＲＳ／ＵＭＴＳのためのものである。
【０３２０】
図２７は、図２６に示された修正されたＥＰＳアタッチ受諾メッセージの例としてＧＰＲＳ／ＵＭＴＳのＰＤＰコンテキストメッセージの内容の例を概略的に示す。
【０３２１】
図２８は、図２５に示されたＧＰＲＳ／ＵＭＴＳアタッチ受諾メッセージの内容と同じであるＧＰＲＳ／ＵＭＴＳアタッチ受諾メッセージの内容を概略的に示す。例において、ＵＴＲＡＮアタッチ受諾メッセージの内容に関するメッセージの内容は、本明細書において開示された方法および装置に応じて定義される。
【０３２２】
図２９は、複合デタッチ手順のためのＥＰＳデタッチ要求メッセージで使用されるデタッチタイプＩＥに関する情報要素（ＩＥ）の修正された表を概略的に示す。以下の追加のＩＥ、すなわち、「複合ＥＰＳ／ＧＰＲＳデタッチ」２９１０、「複合ＥＰＳ／ＧＰＲＳ／ＩＭＳＩデタッチ」２９２０、「複合ＥＰＳ／ＧＰＲＳデタッチ」２９３０、および「複合ＥＰＳ／ＧＰＲＳ／ＩＭＳＩデタッチ」２９４０が、定義される。例において、追加のＩＥは、本明細書において開示された例のために使用される。
【０３２３】
図３０は、複合アタッチのためのＧＰＲＳ／ＵＭＴＳアタッチ要求メッセージで使用されるＧＰＲＳ／ＵＭＴＳアタッチタイプＩＥの表を概略的に示す。例においては、新しいＧＰＲＳアタッチタイプ情報要素が、複合デタッチ手順のために定義される可能性がある。以下の追加のＩＥ、すなわち、「複合ＧＰＲＳ／ＥＰＳアタッチ」３０１０、「複合ＧＰＲＳ／ＩＭＳＩ／ＥＰＳアタッチ」３０２０、および「複合ＩＭＳＩ／ＥＰＳアタッチ」３０３０が、導入された。例において、新しいＧＰＲＳアタッチタイプは、本明細書において開示された例のために使用される。
【０３２４】
図３１は、複合アタッチ手順のためのＧＰＲＳ／ＵＭＴＳアタッチ受諾メッセージの内容の修正された表を概略的に示す。例においては、複合アタッチのための新しいＧＰＲＳアタッチ受諾メッセージが、定義される可能性がある。例えば、ＥＵＴＲＡＮアタッチ受諾３１１０と、タイプ参照がビット列（１２８）であり、および存在がＯであるＮＯＮＣＥ３１２０とが、定義される。複合アタッチのための新しいＧＰＲＳアタッチ受諾メッセージが、表のアタッチ受諾メッセージに追加される可能性がある。新しいＧＰＲＳアタッチ受諾メッセージは、本明細書において開示された例で使用される。
【０３２５】
図３２は、図３１において導入されたＥＰＳアタッチ受諾メッセージの内容に関する表を概略的に示す。例においては、複合デタッチ手順のための新しいＥＵＴＲＡＮアタッチ受諾メッセージの内容が、本明細書において開示された装置および方法に応じて定義される可能性がある。
【０３２６】
図３３は、複合アタッチ手順のためのＧＰＲＳ／ＵＭＴＳアタッチ受諾メッセージの内容の表の別の例を概略的に示す。例において、ＥＵＴＲＡＮアタッチ受諾３３１０は、ＧＰＲＳ／ＵＭＴＳのコンテキストアクティベーション結果の結果を示すＩＥである。ＮＯＮＣＥは、３３２０である。定義されたＩＥは、本明細書において開示された例で使用される。
【０３２７】
図３４は、図３３において導入されたＧＰＴＳ／ＵＭＴＳ  ＰＤＰコンテキストアクティブ化受諾メッセージの内容に関する表を概略的に示す。内容は、図２７の表の内容と同じである。
【０３２８】
図３５は、図３３において導入されたＥＰＳアタッチ済み受諾メッセージに関する表を概略的に示す。例において、内容は、図３２の表の内容と同じである。
【０３２９】
図３６は、複合デタッチのための情報要素のＧＰＲＳ／ＵＭＴＳデタッチタイプに関する表を概略的に示す。６つの追加のＩＥ、すなわち、「複合ＧＰＲＳ／ＩＭＳＩデタッチ」３６１０、「複合ＥＰＳ／ＩＭＳＩデタッチ」３６２０、「複合ＥＰＳ／ＧＰＲＳ／ＩＭＳＩデタッチ」３６３０、「複合ＥＰＳ／ＧＰＲＳデタッチ」３６４０、「複合ＥＰＳ／ＩＭＳＩデタッチ」３６５０、および「複合ＥＰＳ／ＧＰＲＳ／ＩＭＳＩデタッチ」３６６０が、導入された。新しいデタッチタイプ情報要素は、複合デタッチ手順のために表のデタッチメッセージに追加される。新しいデタッチタイプ情報要素は、本明細書において開示された例で使用される。
【０３３０】
特徴および要素が特定の組み合わせで上で説明されているが、当業者は、各特徴または要素が、単独で、またはその他の特徴および要素との任意の組み合わせで使用される可能性があることを理解するであろう。加えて、本明細書に記載の方法は、コンピュータまたはプロセッサによる実行のためにコンピュータ可読媒体に組み込まれたコンピュータプログラム、ソフトウェア、またはファームウェアで実装される。コンピュータ可読媒体の例は、（有線または無線接続を介して送信される）電子的な信号と、コンピュータ可読ストレージ媒体とを含む。コンピュータ可読ストレージ媒体の例は、読み出し専用メモリ（ＲＯＭ）、ランダムアクセスメモリ（ＲＡＭ）、レジスタ、キャッシュメモリ、半導体メモリデバイス、内蔵ハードディスクおよび取り外し可能なディスクなどの磁気媒体、光磁気媒体、ならびにＣＤ−ＲＯＭディスクおよびデジタルバーサタイルディスク（ＤＶＤ）などの光媒体を含むがこれらに限定されない。ソフトウェアに関連するプロセッサが、ＷＴＲＵ、ＵＥ、端末、基地局、ＲＮＣ、または任意のホストコンピュータで使用するための無線周波数トランシーバを実装するために使用される。
【０３３１】
実施形態
【０３３２】
１．無線送信／受信ユニット（ＷＴＲＵ）がマルチ無線アクセス技術（ＲＡＴ）アクセス（ＭＲＡ）動作を実行する方法であって、ＭＲＡ動作をサポートするアクセスすべきセルを決定するステップと、単一の無線リソース制御（ＲＲＣ）接続を制御する単一の非アクセス層（ＮＡＳ）エンティティを使用して無線リソースを管理するステップとを備えた方法。
【０３３３】
２．ＷＴＲＵは、第１のＲＡＴの展開のために使用される少なくとも１つの周波数上の無線リソースを管理し、第２のＲＡＴの展開のために使用される少なくとも１つの周波数上のその他の無線リソースを同時に使用する実施形態１に記載の方法。
【０３３４】
３．第１のＲＡＴはロングタームエボリューション（ＬＴＥ）であり、第２のＲＡＴは高速パケットアクセス（ＨＳＰＡ）である実施形態２に記載の方法。
【０３３５】
４．無線送信／受信ユニット（ＷＴＲＵ）がマルチ無線アクセス技術（ＲＡＴ）アクセス（ＭＲＡ）動作を実行する方法であって、ＭＲＡ動作をサポートするアクセスすべきセルを決定するステップと、複数の無線リソース制御（ＲＲＣ）接続を制御する単一の非アクセス層（ＮＡＳ）エンティティを使用して無線リソースを管理するステップとを備えた方法。
【０３３６】
５．ＷＴＲＵは、第１のＲＲＣ接続上の第１のＲＡＴの展開のために使用される少なくとも１つの周波数上の無線リソースを管理し、第２のＲＲＣ接続上の第２のＲＡＴの展開のために使用される少なくとも１つの周波数上のその他の無線リソースを同時に使用する実施形態４に記載の方法。
【０３３７】
６．第１のＲＡＴはロングタームエボリューション（ＬＴＥ）であり、第２のＲＡＴは高速パケットアクセス（ＨＳＰＡ）である実施形態４に記載の方法。
【０３３８】
７．ＷＴＲＵは、ＲＡＴ毎に１つずつＲＲＣインスタントを使用する実施形態１ないし６のいずれか１つに記載の方法。
【０３３９】
８．無線送信／受信ユニット（ＷＴＲＵ）がマルチ無線アクセス技術（ＲＡＴ）アクセス（ＭＲＡ）動作を実行する方法であって、ＭＲＡ動作をサポートするアクセスすべきセルを決定するステップと、複数のＲＡＴのそれぞれのために非アクセス層（ＮＡＳ）エンティティおよび１つの無線リソース制御（ＲＲＣ）インスタンスを使用して無線リソースを管理するステップとを備えた方法。
【０３４０】
９．ＷＴＲＵは、第１のＲＡＴの展開のために使用される少なくとも１つの周波数上の無線リソースを管理するために第１のＮＡＳエンティティおよび第１のＲＲＣインスタンスを使用し、第２のＲＡＴの展開のために使用される少なくとも１つの周波数上の無線リソースを管理するために第２のＮＡＳエンティティおよび第２のＲＲＣインスタンスを同時に使用する実施形態８に記載の方法。
【０３４１】
１０．第１のＲＡＴはロングタームエボリューション（ＬＴＥ）であり、第２のＲＡＴは高速パケットアクセス（ＨＳＰＡ）である実施形態９に記載の方法。
【０３４２】
１１．無線送信／受信ユニット（ＷＴＲＵ）がマルチ無線アクセス技術（ＲＡＴ）アクセス（ＭＲＡ）動作を実行する方法であって、ＭＲＡ動作をサポートするアクセスすべきセルを決定するステップと、複数のＲＡＴのそれぞれのために非アクセス層（ＮＡＳ）エンティティおよび１つの無線リソース制御（ＲＲＣ）接続を使用して無線リソースを管理するステップとを備えた方法。
【０３４３】
１２．ＷＴＲＵは、第１のＲＡＴの展開のために使用される少なくとも１つの周波数上の無線リソースを管理するために第１のＮＡＳエンティティおよび第１のＲＲＣ接続を使用し、第２のＲＡＴの展開のために使用される少なくとも１つの周波数上の無線リソースを管理するために第２のＮＡＳエンティティおよび第２のＲＲＣ接続を同時に使用する実施形態１１に記載の方法。
【０３４４】
１３．第１のＲＡＴはロングタームエボリューション（ＬＴＥ）であり、第２のＲＡＴは高速パケットアクセス（ＨＳＰＡ）である実施形態１２に記載の方法。
【０３４５】
１４．ＭＲＡ動作をサポートする公衆陸上移動ネットワーク（ＰＬＭＮ）のリストを用いてＷＴＲＵの汎用加入者識別モジュール（ＵＳＩＭ）を構成するステップをさらに備えた実施形態１ないし１３のいずれか１つに記載の方法。
【０３４６】
１５．ＭＲＡ動作をサポートするエリア識別のリストを用いてＷＴＲＵの汎用加入者識別モジュール（ＵＳＩＭ）を構成するステップをさらに備えた実施形態１ないし１３のいずれか１つに記載の方法。
【０３４７】
１６．ＭＲＡ動作をサポートする限定加入者グループ（ＣＳＧ）のリストを用いてＷＴＲＵの汎用加入者識別モジュール（ＵＳＩＭ）を構成するステップをさらに備えた実施形態１ないし１３のいずれか１つに記載の方法。
【０３４８】
１７．ＭＲＡ動作をサポートする進化型ノード−Ｂ（ｅＮＢ）／無線ネットワークコントローラ（ＲＮＣ）のリストを用いてＷＴＲＵの汎用加入者識別モジュール（ＵＳＩＭ）を構成するステップをさらに含む実施形態１ないし１３のいずれか１つに記載の方法。
【０３４９】
１８．ＭＲＡ動作をサポートするセル識別のリストを用いてＷＴＲＵの汎用加入者識別モジュール（ＵＳＩＭ）を構成するステップをさらに備えた実施形態１ないし１３のいずれか１つに記載の方法。
【０３５０】
１９．実施形態１ないし１８のいずれか１つに記載の方法を実行するように構成された無線送信／受信ユニット（ＷＴＲＵ）。
【０３５１】
２０．無線送信／受信ユニット（ＷＴＲＵ）がマルチ無線アクセス技術（ＲＡＴ）アクセス（ＭＲＡ）動作を実行する方法であって、複数のＲＡＴネットワーク上でのＭＲＡ動作のためにＷＴＲＵを登録するための単一のアタッチ要求メッセージを送信するステップと、登録プロセスの間じゅうずっとＷＴＲＵの位置でＭＲＡ動作のために利用可能なネットワークリソースに関連する情報を提供するステップと、ＷＴＲＵをＲＡＴネットワークのそれぞれにアタッチするステップとを備えた方法。
【０３５２】
２１．マルチ無線アクセス技術（ＲＡＴ）アクセス（ＭＲＡ）動作を実行するように構成された無線送信／受信ユニット（ＷＴＲＵ）。
【０３５３】
２２．第１のコアネットワークの第１の非アクセス層（ＮＡＳ）エンティティおよび第２のコアネットワークの第２のＮＡＳエンティティと通信するように構成されたＷＴＲＵのＮＡＳエンティティと、第１のＲＡＴを使用する第１の接続および第２のＲＡＴを使用する第２の接続を制御するように構成された無線リソース制御（ＲＲＣ）エンティティとを備え、第１のＲＡＴは第１のコアネットワークに接続され、第２のＲＡＴは第２のコアネットワークに接続される実施形態２１に記載のＷＴＲＵ。
【０３５４】
２３．第１のコアネットワークの第１の非アクセス層（ＮＡＳ）エンティティおよび第２のコアネットワークの第２のＮＡＳエンティティと通信するように構成されたＷＴＲＵのＮＡＳエンティティと、第１のＲＡＴを使用する第１の接続を制御するように構成された第１の無線リソース制御（ＲＲＣ）エンティティと、第２のＲＡＴを使用する第２の接続を制御するように構成された第２のＲＲＣエンティティとを備え、第１のＲＡＴは第１のコアネットワークに接続され、第２のＲＡＴは第２のコアネットワークに接続される実施形態２１に記載のＷＴＲＵ。
【０３５５】
２４．第１のコアネットワークの第１の非アクセス層（ＮＡＳ）エンティティと通信するように構成された第１のＷＴＲＵのＮＡＳエンティティと、第２のコアネットワークの第２のＮＡＳエンティティと通信するように構成された第２のＷＴＲＵのＮＡＳエンティティと、第１のＲＡＴを使用する第１の接続および第２のＲＡＴを使用する第２の接続を制御するように構成された無線リソース制御（ＲＲＣ）エンティティとを備え、第１のＲＡＴは第１のコアネットワークに接続され、第２のＲＡＴは第２のコアネットワークに接続される実施形態２１に記載のＷＴＲＵ。
【０３５６】
２５．第１のコアネットワークの第１の非アクセス層（ＮＡＳ）エンティティと通信するように構成された第１のＷＴＲＵのＮＡＳエンティティと、第２のコアネットワークの第２のＮＡＳエンティティと通信するように構成された第２のＷＴＲＵのＮＡＳエンティティと、第１のＲＡＴを使用する第１の接続を制御するように構成された無線リソース制御（ＲＲＣ）エンティティと、第２のＲＡＴを使用する第２の接続を制御するように構成された第２のＲＲＣエンティティとを備え、第１のＲＡＴは第１のコアネットワークに接続され、第２のＲＡＴは第２のコアネットワークに接続される実施形態２１に記載のＷＴＲＵ。
【０３５７】
２６．第１のＲＡＴおよび第２のＲＡＴは、ロングタームエボリューション（ＬＴＥ）、（ＬＴＥ−Ａ）、ユニバーサル移動体通信システム（ＵＭＴＳ）、ＵＭＴＳ地上無線アクセス周波数分割複信（ＵＴＲＡ−ＦＤＤ）、広帯域チャネル分割多元接続（ＷＣＤＭＡ）、ＵＭＴＳ地上無線アクセス時分割複信（ＵＴＲＡ−ＴＤＤ）、ＵＭＴＳ地上無線アクセス時分割複信高チップレート（ＵＴＲＡ−ＴＤＤ  ＨＣＲ）、ＵＭＴＳ地上無線アクセス時分割複信低チップレート（ＵＴＲＡ−ＴＤＤ  ＬＣＲ）、高速パケットアクセス（ＨＳＰＡ）、高速ダウンリンクパケットアクセス（ＨＳＤＰＡ）、高速アップリンクパケットアクセス（ＨＳＵＰＡ）、移動体通信用グローバルシステム（ＧＳＭ）、ＧＳＭの進化のための拡張データレート（ＥＤＧＥ）、８０２．１１ｂ、８０２．１１ａ、８０２．１１ｇ、８０２．１１ｎ、８０２．１６ａ、８０２．１６ｅ、８０２．２０、符号分割多元接続（ＣＤＭＡ）２０００  １ｘ、ＣＤＭＡ２０００、およびエボリューションデータオプティマイズド（ＥＶ−ＤＯ）のうちの異なるものである実施形態２２ないし２５のいずれか１つに記載のＷＴＲＵ。
【０３５８】
２７．第１のＷＴＲＵのＮＡＳエンティティは、第２のＷＴＲＵのＮＡＳエンティティと通信してパケット交換（ＰＳ）データの配信を調整するように構成される実施形態２４または２５に記載のＷＴＲＵ。
【０３５９】
２８．ＲＲＣエンティティは、第１のＲＡＴを管理するようにＲＲＣの第１のインスタンスを制御し、第２のＲＡＴを管理するようにＲＲＣの第２のインスタンスを制御するようにさらに構成された実施形態２２または２４に記載のＷＴＲＵ。
【０３６０】
２９．ＮＡＳエンティティは、第１のＲＡＴを使用して、第１のＮＡＳエンティティおよび第２のＮＡＳエンティティと通信してセッション管理を実行する実施形態２２または２３のいずれか１つに記載のＷＴＲＵ。
【０３６１】
３０．第１のＲＡＴは１または複数の周波数上で動作し、第２のＲＡＴは、１または複数の異なる周波数上で動作する実施形態２２ないし２９のいずれか１つに記載のＷＴＲＵ。
【０３６２】
３１．どのセルがＭＲＡ動作をサポートするかを示すＷＴＲＵに記憶された情報に基づいて第１のＲＡＴに関する第１のセルを選択するように構成された実施形態２２ないし３０のいずれか１つに記載のＷＴＲＵ。
【０３６３】
３２．第１のコアネットワークから受信された信号に基づいて第１のＲＡＴに関する第１のセルを選択するように構成され、信号は、ブロードキャスト信号または専用信号のうちの１つであり、ＭＲＡ動作をサポートする第１のコアネットワークのセルに関する情報を含む実施形態２２ないし３０のいずれか１つに記載のＷＴＲＵ。
【０３６４】
３３．ＭＲＡ動作は、以下、すなわち、ＷＴＲＵがＡＰＮへの接続を要求すること、ＷＴＲＵが所定のＱｏＳを要求すること、ＷＴＲＵが特定のＩＰアドレスへの接続を要求すること、ＷＴＲＵが音声サービスを要求すること、ＷＴＲＵがデータサービスを要求すること、ＷＴＲＵがＳＭＳサービスを要求することのうちの１もしくは複数によって、または以下、すなわち、過負荷状態、オペレータのポリシーのトリガーに合致するイベント、もしくは加入者プロファイルに記憶されたインジケーションのうちの１つの結果としてＷＴＲＵが新しい確立理由を指定することによって、トリガーされる実施形態２２ないし３２のいずれか１つに記載のＷＴＲＵ。
【０３６５】
３４．第１のコアネットワークにアタッチするための第１のアタッチ方法を実行し、第１のコアネットワークにアタッチした後、第２のコアネットワークにアタッチするための第２のアタッチ方法を実行するようにさらに構成された実施形態２２ないし３３のいずれか１つに記載のＷＴＲＵ。
【０３６６】
３５．第１のコアネットワークおよび第２のコアネットワークにアタッチするためのアタッチ方法を実行するようにさらに構成され、アタッチ方法は、第２のコアネットワークにアタッチするためのパラメータとともに第１のコアネットワークにメッセージを送信する実施形態２２ないし３３のいずれか１つに記載のＷＴＲＵ。
【０３６７】
３６．無線送信／受信ユニット（ＷＴＲＵ）がマルチ無線アクセス技術（ＲＡＴ）アクセス（ＭＲＡ）動作を実行する方法であって、ＭＲＡ動作をサポートする第１のＲＡＴの第１のセルを決定するステップと、第１のコアネットワークの第１の非アクセス層（ＮＡＳ）エンティティおよび第２のコアネットワークの第２のＮＡＳエンティティと通信するように構成されたＷＴＲＵのＮＡＳエンティティを使用し、および第１のＲＡＴを使用する第１の接続および第２のＲＡＴを使用する第２の接続を制御するように構成された無線リソース制御（ＲＲＣ）エンティティを使用して、第１のセルを介して第１のコアネットワークの第１のＮＡＳエンティティにアタッチするステップであって、第１のＲＡＴは第１のコアネットワークに接続され、および第２のＲＡＴは第２のコアネットワークに接続される、該アタッチするステップと、ＭＲＡ動作をサポートする第２のＲＡＴの第２のセルを決定するステップと、およびＷＲＴＵのＮＡＳエンティティおよびＲＲＣエンティティを使用して第２のＮＡＳエンティティにアタッチするステップとを備えた方法。
【０３６８】
３７．第２のセルにアタッチするステップは、第２のコアネットワークの第２のＮＡＳエンティティにアタッチするためのパラメータとともに第１のコアネットワークの第１のＮＡＳエンティティにメッセージを送信するステップと、ＷＴＲＵのＮＡＳエンティティおよびＲＲＣエンティティを使用して第２のＮＡＳエンティティにアタッチするステップとを備えた実施形態３６に記載の方法。
【０３６９】
３８．無線送信／受信ユニット（ＷＴＲＵ）がマルチ無線アクセス技術（ＲＡＴ）アクセス（ＭＲＡ）動作を実行する方法であって、ＭＲＡ動作をサポートする第１のＲＡＴの第１のセルを決定するステップと、第１のコアネットワークの第１の非アクセス層（ＮＡＳ）エンティティおよび第２のコアネットワークの第２のＮＡＳエンティティと通信するように構成されたＷＴＲＵのＮＡＳエンティティを使用し、および第１のＲＡＴを使用する第１の接続を制御するように構成された第１の無線リソース制御（ＲＲＣ）エンティティを使用して、第１のセルを介して第１のコアネットワークの第１のＮＡＳエンティティにアタッチするステップであって、第１のＲＡＴは第１のコアネットワークに接続される、該アタッチするステップと、ＭＲＡ動作をサポートする第２のＲＡＴの第２のセルを決定するステップと、ＷＲＴＵのＮＡＳエンティティおよび第２のＲＡＴを使用する第２の接続を制御するように構成された第２のＲＲＣエンティティを使用して、第２のセルを介して第２のＮＡＳエンティティにアタッチするステップであって、第２のＲＡＴは第２のコアネットワークに接続される、該アタッチするステップとを含む方法。
【０３７０】
３９．無線送信／受信ユニット（ＷＴＲＵ）がマルチ無線アクセス技術（ＲＡＴ）アクセス（ＭＲＡ）動作を実行する方法であって、ＭＲＡ動作をサポートする第１のＲＡＴの第１のセルを決定するステップと、第１のコアネットワークの第１の非アクセス層（ＮＡＳ）エンティティと通信するように構成された第１のＷＴＲＵのＮＡＳエンティティを使用し、および第１のＲＡＴを使用する第１の接続および第２のＲＡＴを使用する第２の接続を制御するように構成された無線リソース制御（ＲＲＣ）エンティティを使用して、第１のセルを介して第１のコアネットワークの第１のＮＡＳエンティティにアタッチするステップであって、第１のＲＡＴは第１のコアネットワークに接続され、第２のＲＡＴは第２のコアネットワークに接続される、該アタッチするステップと、ＭＲＡ動作をサポートする第２のＲＡＴの第２のセルを決定するステップと、第２のコアネットワークの第２のＮＡＳエンティティおよびＲＲＣエンティティと通信するように構成された第２のＷＴＲＵのＮＡＳエンティティを使用して、第２のセルを介して第２のＮＡＳエンティティにアタッチするステップとを備えた方法。
【０３７１】
４０．無線送信／受信ユニット（ＷＴＲＵ）がマルチ無線アクセス技術（ＲＡＴ）アクセス（ＭＲＡ）動作を実行する方法であって、ＭＲＡ動作をサポートする第１のＲＡＴの第１のセルを決定するステップと、第１のコアネットワークの第１の非アクセス層（ＮＡＳ）エンティティと通信するように構成された第１のＷＴＲＵのＮＡＳエンティティを使用し、および第１のＲＡＴを使用する第１の接続および第２のＲＡＴを使用する第２の接続を制御するように構成された無線リソース制御（ＲＲＣ）エンティティを使用して、第１のセルを介して第１のコアネットワークの第１のＮＡＳエンティティにアタッチするステップであって、第１のＲＡＴは第１のコアネットワークに接続され、第２のＲＡＴは第２のコアネットワークに接続される、該アタッチするステップと、ＭＲＡ動作をサポートする第２のＲＡＴの第２のセルを決定するステップと、第２のコアネットワークの第２のＮＡＳエンティティおよびＲＲＣエンティティと通信するように構成された第２のＷＴＲＵのＮＡＳエンティティを使用して、第２のセルを介して第２のコアネットワークの第２のＮＡＳエンティティにアタッチするステップとを備えた方法。
【０３７２】
４１．ＮＡＳエンティティは、第１のＲＡＴを使用して第１のＮＡＳエンティティおよび第２のＮＡＳエンティティと通信してセッション管理を実行する実施形態３９または４０のいずれか１つに記載のＷＴＲＵ。
【０３７３】
４２．第１のセルにアタッチするステップおよび第２のセルにアタッチするステップは、同時に実行される実施形態３６、３８、３９、または４０のいずれか１つに記載のＷＴＲＵ。
【０３７４】
４３．第１のＲＡＴおよび第２のＲＡＴは、ロングタームエボリューション（ＬＴＥ）、（ＬＴＥ−Ａ）、ユニバーサル移動体通信システム（ＵＭＴＳ）、ＵＭＴＳ地上無線アクセス周波数分割複信（ＵＴＲＡ−ＦＤＤ）、広帯域チャネル分割多元接続（ＷＣＤＭＡ）、ＵＭＴＳ地上無線アクセス時分割複信（ＵＴＲＡ−ＴＤＤ）、ＵＭＴＳ地上無線アクセス時分割複信高チップレート（ＵＴＲＡ−ＴＤＤ  ＨＣＲ）、ＵＭＴＳ地上無線アクセス時分割複信低チップレート（ＵＴＲＡ−ＴＤＤ  ＬＣＲ）、高速パケットアクセス（ＨＳＰＡ）、高速ダウンリンクパケットアクセス（ＨＳＤＰＡ）、高速アップリンクパケットアクセス（ＨＳＵＰＡ）、移動体通信用グローバルシステム（ＧＳＭ）、ＧＳＭの進化のための拡張データレート（ＥＤＧＥ）、８０２．１１ｂ、８０２．１１ａ、８０２．１１ｇ、８０２．１１ｎ、８０２．１６ａ、８０２．１６ｅ、８０２．２０、符号分割多元接続（ＣＤＭＡ）２０００  １ｘ、ＣＤＭＡ２０００、およびエボリューションデータオプティマイズド（ＥＶ−ＤＯ）のうちの異なるものである実施形態３６または３８ないし４０のいずれか１つに記載の方法。
【０３７５】
４４．第１のＲＡＴおよび第２のＲＡＴは、ロングタームエボリューション（ＬＴＥ）、（ＬＴＥ−Ａ）、高速パケットアクセス（ＨＳＰＡ）、移動体通信用グローバルシステム（ＧＳＭ）、広帯域チャネル分割多元接続（ＷＣＤＭＡ）、高速ダウンリンクパケットアクセス（ＨＳＤＰＡ）、高速アップリンクパケットアクセス（ＨＳＵＰＡ）、８０２．１１ｂ、８０２．１１ａ、８０２．１１ｇ、８０２．１１ｎ、８０２．１６ａ、８０２．１６ｅ、８０２．２０、符号分割多元接続（ＣＤＭＡ）２０００  １ｘ、ＣＤＭＡ２０００、およびエボリューションデータオプティマイズド（ＥＶ−ＤＯ）のうちの異なるものである実施形態３６または３８ないし４０のいずれか１つに記載の方法。
【０３７６】
４５．第１のＷＴＲＵのＮＡＳエンティティが第２のＷＴＲＵのＮＡＳエンティティと通信してパケット交換（ＰＳ）データの配信を調整するステップをさらに備えた実施形態３９または４０に記載の方法。
【０３７７】
４６．ＲＲＣエンティティが第１のＲＡＴを管理するようにＲＲＣの第１のインスタンスを制御し、および第２のＲＡＴを管理するようにＲＲＣの第２のインスタンスを制御するステップをさらに備えた実施形態３９または４０に記載の方法。
【０３７８】
４７．ＮＡＳエンティティが第１のＲＡＴを使用して第１のＮＡＳエンティティおよび第２のＮＡＳエンティティと通信してセッション管理を実行するステップをさらに備えた実施形態３６または３８のいずれか１つに記載の方法。
【０３７９】
４８．第１のＲＡＴは、１または複数の周波数上で動作し、第２のＲＡＴは、１または複数の異なる周波数上で動作する実施形態３６ないし４７のいずれか１つに記載の方法。
【０３８０】
４９．方法の少なくとも１つのステップがＷＴＲＵのプロセッサによって実行される実施形態３６ないし４８のいずれか１つに記載の方法。
【０３８１】
５０．ステップのうちの少なくとも１つは、ステップを実行するように構成された専用のハードウェアによって実行される実施形態３６ないし４８のいずれか１つに記載の方法。
【０３８２】
５１．どのセルがＭＲＡ動作をサポートするかを示すＷＴＲＵに記憶された情報に基づいて、第１のＲＡＴに関する第１のセルを選択するステップをさらに備えた実施形態３６ないし５０のいずれか１つに記載の方法。
【０３８３】
５２．第１のコアネットワークから受信された信号に基づいて第１のＲＡＴに関する第１のセルを選択するステップであって、信号は、ブロードキャスト信号または専用信号のうちの１つであり、ＭＲＡ動作をサポートする第１のコアネットワークのセルに関する情報を含む、該選択するステップをさらに備えた実施形態３６ないし５０のいずれか１つに記載の方法。
【０３８４】
５３．以下、すなわち、ＷＴＲＵがＡＰＮへの接続を要求すること、ＷＴＲＵが所定のＱｏＳを要求すること、ＷＴＲＵが特定のＩＰアドレスへの接続を要求すること、ＷＴＲＵが音声サービスを要求すること、ＷＴＲＵがデータサービスを要求すること、ＷＴＲＵがＳＭＳサービスを要求することのうちの１または複数に応答して、または以下、すなわち、過負荷状態、オペレータのポリシーのトリガーに合致するイベント、または加入者プロファイルに記憶されたインジケーションのうちの１つの結果としてＷＴＲＵが新しい確立理由を指定することによって、ＭＲＡ動作がトリガーされるステップをさらに含む実施形態３６ないし５２のいずれか１つに記載の方法。
【０３８５】
５４．第１のセルにアタッチするステップは、第２のコアネットワークにアタッチするためのパラメータとともに第１のコアネットワークにメッセージを送信するステップをさらに備えた実施形態３６ないし５３のいずれか１つに記載の方法。
【図１Ａ】
0005864750.tif 000002
【図１Ｂ】
0005864750.tif 000003
【図１Ｃ】
0005864750.tif 000004
【図１Ｄ】
0005864750.tif 000005
【図２Ａ】
0005864750.tif 000006
【図２Ｂ】
0005864750.tif 000007
【図３Ａ】
0005864750.tif 000008
【図３Ｂ】
0005864750.tif 000009
【図３Ｃ】
0005864750.tif 000010
【図３Ｄ】
0005864750.tif 000011
【図３Ｅ】
0005864750.tif 000012
【図３Ｆ】
0005864750.tif 000013
【図３Ｇ】
0005864750.tif 000014
【図３Ｈ】
0005864750.tif 000015
【図３Ｉ】
0005864750.tif 000016
【図４】
0005864750.tif 000017
【図５Ａ】
0005864750.tif 000018
【図５Ｂ】
0005864750.tif 000019
【図５Ｃ】
0005864750.tif 000020
【図５Ｄ】
0005864750.tif 000021
【図６】
0005864750.tif 000022
【図７】
0005864750.tif 000023
【図８】
0005864750.tif 000024
【図９】
0005864750.tif 000025
【図１０】
0005864750.tif 000026
【図１１】
0005864750.tif 000027
【図１２】
0005864750.tif 000028
【図１３】
0005864750.tif 000029
【図１４】
0005864750.tif 000030
【図１５】
0005864750.tif 000031
【図１６】
0005864750.tif 000032
【図１７】
0005864750.tif 000033
【図１８】
0005864750.tif 000034
【図１９】
0005864750.tif 000035
【図２０】
0005864750.tif 000036
【図２１】
0005864750.tif 000037
【図２２Ａ】
0005864750.tif 000038
【図２２Ｂ】
0005864750.tif 000039
【図２３】
0005864750.tif 000040
【図２４】
0005864750.tif 000041
【図２５】
0005864750.tif 000042
【図２６】
0005864750.tif 000043
【図２７】
0005864750.tif 000044
【図２８】
0005864750.tif 000045
【図２９】
0005864750.tif 000046
【図３０】
0005864750.tif 000047
【図３１】
0005864750.tif 000048
【図３２】
0005864750.tif 000049
【図３３】
0005864750.tif 000050
【図３４】
0005864750.tif 000051
【図３５】
0005864750.tif 000052
【図３６】
0005864750.tif 000053